(57)【特許請求の範囲】
【請求項１】
遊技球が流下する遊技領域が前面に画成された遊技盤に設けられ、図柄変動ゲームを含む表示演出が行われる図柄表示装置の表示面が臨む表示部と該遊技領域とを区画する枠状の装飾部材と、前記遊技盤における該表示部の外側に設けられ、発光による演出を行う発光演出部と、前記遊技盤において前記表示部の外側に位置する待機位置および表示部の前側に位置する動作位置の間を動作して、動作による演出を行う可動体とを備えた遊技機において、
前記装飾部材は、前記遊技盤の前面より前側に突出するよう設けられ、遊技領域から該装飾部材で囲う表示部側への遊技球の移動を規制する庇状部と、この庇状部から遊技盤の前面に沿って遊技領域側に延出するように設けられ、前記遊技領域を流下する遊技球が前面を転動可能な枠飾りとを有し、
前記発光演出部は、発光領域が前記表示部の外縁から前記遊技盤の遊技領域に向けて延びる線状に形成されると共に、前記装飾部材の内側から該装飾部材に設けられた光透過部に亘って形成された固定発光部を有し、
前記光透過部は、前記装飾部材における前記庇状部の前面から前記枠飾りの前面にかけての面形状と整合する階段状に形成され、
前記可動体は、前記動作位置で前記表示部の前側に臨む部位に少なくとも延在する可動発光部を有し、該可動発光部の発光領域は、該可動体の動作位置で前記固定発光部の発光領域と同一延在方向に並ぶように形成され、該固定発光部の発光と該可動発光部の発光との組み合わせにより発光演出を行うよう構成した
ことを特徴とする遊技機。
【請求項２】
前記発光演出部は、前記表示部の外側に一端部が支持された前記可動体における該表示部の前側に臨む他端部が前記動作位置で指向する側に、前記固定発光部を備えると共に、前記遊技盤における前記可動体の前記一端部側に、待機位置にある該可動体の動作位置への動作側に配置されて、前記固定発光部と表示部を挟んで対をなす別の固定発光部を備え、
前記別の固定発光部は、前記固定発光部の発光領域と同一延在方向に延在する発光領域が前記可動体の待機位置で前記遊技盤の前側に臨むと共に、動作位置にある該可動体の後側に重なるように配設される請求項１記載の遊技機。
【請求項３】
前記装飾部材は、
前記遊技盤に開設された貫通口の開口縁前面に当接すると共に、内縁が該貫通口の内側に位置する枠状の基枠部と、
前記基枠部の後面に後方へ突出形成され、前記貫通口の開口縁から離間して延在するよう設けられた延出部と、
前記装飾部材を前記貫通口に前記延出部を挿入して取り付けた際に該延出部と貫通口の開口縁との間に画成される空間部に対応して前記基枠部に設けられ、前記庇状部および前記枠飾りを固定するジョイント部とを有し、
前記空間部を介して前記固定発光部を構成する発光体が臨み、発光体で該空間部を覆う発光領域を照らすよう構成される請求項１または２記載の遊技機。
【請求項４】
前記可動体は、前記表示部の外側に支持された一端部から該表示部の前側に臨む他端部に向けて長手辺が延在する形状に形成され、該長手辺に沿って前記可動発光部の発光領域が設けられる請求項１〜３の何れか一項に記載の遊技機。
【請求項５】
前記可動体は、前記表示部の外側で一端部が軸支され、該一端部を支点として揺動するよう構成される請求項１〜４の何れか一項に記載の遊技機。
【請求項６】
前記発光演出部は、発光領域が前記表示部における前記可動体の一端部側の外縁から前記遊技領域に向けて延びる別の固定発光部を有し、該別の固定発光部の発光領域は、該可動体の動作位置にある前記可動発光部の発光領域と同一延在方向に並ぶように形成される請求項５記載の遊技機。
【発明の詳細な説明】
【技術分野】
【０００１】
この発明は、動作による演出を行う可動体を備えた遊技機に関するものである。
【背景技術】
【０００２】
代表的な遊技機であるパチンコ機は、機内にセットされる遊技盤の盤面に画成した遊技領域の略中央位置に装飾部材が配設されて、該装飾部材の開口から液晶式やドラム式等の図柄表示装置を臨ませ、この図柄表示装置で図柄組み合わせゲームやリーチ演出等の遊技演出を行うよう構成されている。また、パチンコ機では、リーチ予告時、リーチ発生時、大当たり予告時、大当たり発生時等に合わせて、遊技盤に備えた発光装置によって光による演出を行うことで、視覚的な演出効果を向上させて遊技の興趣を高めている(例えば、特許文献１参照)。
【０００３】
特許文献１のパチンコ機は、遊技盤中央部の図柄表示画面を各々跨ぐように第１ランプ表示部および第２ランプ表示部を設け、図柄表示画面の画面表示と第１および第２ランプ表示部の点灯表示との組み合わせにより統合した演出を行っている。第１ランプ表示部は、遊技領域の右上から該図柄表示画面を跨いで遊技領域の左下に向けて斜めに延在するように設けられ、第２ランプ表示部は、遊技領域の左上から該図柄表示画面を跨いで遊技領域の右下に向けて斜めに延在するように設けられている。各ランプ表示部は、遊技盤に穿設された貫通孔と、この貫通孔に沿って配列された発光素子群と、貫通孔を塞ぐように配設された透光部材とを備えており、貫通孔が、遊技盤に打ち込まれる遊技釘の位置を避けるように形成されている。そして、特許文献１のパチンコ機は、第１および第２のランプ表示部の発光素子群を発光すると同時に、図柄表示画面で発光素子群を繋ぐようにＸ状に表示することで、遊技盤面全体で大きくＸ状に発光しているように演出している。
【先行技術文献】
【特許文献】
【０００４】
【特許文献１】特開２００４−２８３２４６号公報
【発明の概要】
【発明が解決しようとする課題】
【０００５】
特許文献１のパチンコ機では、遊技盤中央部の図柄表示画面を各々跨ぐように設けられた第１ランプ表示部および第２ランプ表示部の間を図柄表示画面の画面表示で埋めることで、遊技盤面に長い発光ラインを形成している。しかしながら、図柄表示画面では、平面に画面表示がされる故に、立体感に乏しく、発光演出の迫力が十分満足できるものではない。
【０００６】
すなわち本発明は、従来の技術に係る遊技機に内在する前記問題に鑑み、これらを好適に解決するべく提案されたものであって、効果的な発光演出を行い得る遊技機を提供することを目的とする。
【課題を解決するための手段】
【０００７】
前記課題を克服し、所期の目的を達成するため、本願の請求項１に係る発明の遊技機は、
遊技領域(40a)が前面に画成された遊技盤(40)に設けられ、図柄変動ゲームを含む表示演出が行われる図柄表示装置の表示面が臨む表示部(41)と該遊技領域(40a)とを区画する枠状の装飾部材(100)と、前記遊技盤(40)における表示部(41)の外側に設けられ、発光による演出を行う発光演出部と、前記遊技盤(40)において前記表示部(41)の外側に位置する待機位置および表示部(41)の前側に位置する動作位置の間を動作して、動作による演出を行う可動体(420)とを備えた遊技機において、
前記装飾部材(100)は、前記遊技盤(40)の前面より前側に突出するよう設けられ、遊技領域(40a)から該装飾部材(100)で囲う表示部(41)側への遊技球の移動を規制する庇状部(106)と、この庇状部(106)から遊技盤(40)の前面に沿って遊技領域(40a)側に延出するように設けられ、前記遊技領域(40a)を流下する遊技球が前面を転動可能な枠飾り(108)とを有し、
前記発光演出部は、発光領域が前記表示部(41)の外縁から前記遊技盤(40)の遊技領域(40a)に向けて延びる線状に形成されると共に、前記装飾部材(100)の内側から該装飾部材(100)に設けられた光透過部(502b)に亘って形成された固定発光部(500)を有し、
前記光透過部(502b)は、前記装飾部材(100)における庇状部(106)の前面から枠飾り(108)の前面にかけての面形状と整合する階段状に形成され、
前記可動体(420)は、前記動作位置で前記表示部(41)の前側に臨む部位に少なくとも延在する可動発光部(430)を有し、該可動発光部(430)の発光領域は、該可動体(420)の動作位置で前記固定発光部(500)の発光領域と同一延在方向に並ぶように形成され、該固定発光部(500)の発光と該可動発光部(430)の発光との組み合わせにより発光演出を行うよう構成したことを特徴とする。
請求項１に係る発明によれば、表示部の外側に位置する固定発光部と可動体に設けられた可動発光部とによって遊技盤面に長い発光ラインを構成でき、可動発光部が有形的存在である可動体に形成されているので、全体として立体感があり、可動体の動作演出と相まって発光演出の興趣を向上し得る。また、遊技領域と表示部とを区画する装飾部材も光透過部を設けて固定発光部の発光領域として用いているので、固定発光部についても立体感を増すことができる。
【０００８】
請求項２に係る発明では、前記発光演出部は、前記表示部(41)の外側に一端部が支持された前記可動体(420)における該表示部(41)の前側に臨む他端部が前記動作位置で指向する側に、前記固定発光部(500)を備えると共に、前記遊技盤(40)における前記可動体(420)の前記一端部側に、待機位置にある該可動体(420)の動作位置への動作側に配置されて、前記固定発光部(500)と表示部(41)を挟んで対をなす別の固定発光部(510)を備え、
前記別の固定発光部(510)は、前記固定発光部(500)の発光領域と同一延在方向に延在する発光領域が前記可動体(420)の待機位置で前記遊技盤の前側に臨むと共に、動作位置にある該可動体(420)の後側に重なるように配設されることを要旨とする。
請求項２に係る発明によれば、可動体の一番動きが大きくて目を惹く他端部とこの他端部が指向する部位にある固定発光部とで発光ラインを形成することができるので、発光演出効果を向上できる。
【０００９】
請求項３に係る発明では、前記装飾部材(100)は、
前記遊技盤(40)に開設された貫通口(42a)の開口縁前面に当接すると共に、内縁が該貫通口の内側に位置する枠状の基枠部(102)と、
前記基枠部(102)の後面に後方へ突出形成され、前記貫通口(42a)の開口縁から離間して延在するよう設けられた延出部(104)と、
前記装飾部材(100)を前記貫通口(42a)に前記延出部(104)を挿入して取り付けた際に該延出部(104)と貫通口(42a)の開口縁との間に画成される空間部(100b)に対応して前記基枠部(102)に設けられ、前記庇状部(106)および前記枠飾り(108)を固定するジョイント部(103a,103b)とを有し、
前記空間部(100b)を介して前記固定発光部(500)を構成する発光体(306a)が臨み、発光体(306a)で該空間部(100b)を覆う発光領域を照らすよう構成されることを要旨とする。
請求項３に係る発明によれば、板部材と装飾部材との間の隙間を介して固定発光部を構成する発光体を臨ませて発光領域を延長することができる。
【００１０】
請求項４に係る発明では、前記可動体(420)は、前記表示部(41)の外側に支持された一端部から該表示部(41)の前側に臨む他端部に向けて長手辺が延在する形状に形成され、該長手辺に沿って前記可動発光部(430)の発光領域が設けられることを要旨とする。
請求項４に係る発明によれば、可動体の形状に合わせて可動発光部の発光領域を形成してあるので、可動体の形状と発光演出の親和性により発光演出効果を向上できる。
請求項５に係る発明では、前記可動体(420)は、前記表示部(41)の外側で一端部が軸支され、該一端部を支点として揺動するよう構成されることを要旨とする。
請求項５に係る発明によれば、可動体を支持部位を中心に揺動することで、少ないスペースで大きく動作させることができる。
請求項６に係る発明では、前記発光演出部は、発光領域が前記表示部(41)における前記可動体(420)の一端部側の外縁から前記遊技領域(40a)に向けて延びる別の固定発光部(510,520,530)を有し、該別の固定発光部(510,520,530)の発光領域は、該可動体(420)の動作位置にある前記可動発光部(430)の発光領域と同一延在方向に並ぶように形成されることを要旨とする。
請求項６に係る発明によれば、別の固定発光部によっても発光演出を行うことができる。
【発明の効果】
【００１１】
本発明に係る遊技機によれば、可動体の動作演出と合わせて、発光演出を効果的に行い得る。
【図面の簡単な説明】
【００１２】
【図１】本発明の好適な実施例に係るパチンコ機を示す正面図である。
【図２】実施例に係るパチンコ機の背面図である。
【図３】実施例に係るパチンコ機を中枠および遊技盤を取外した状態で示す正面図である。
【図４】実施例に係る遊技盤を示す正面図である。
【図５】実施例に係る遊技盤を示す背面図である。
【図６】実施例に係る遊技盤を示す背面図であって、図柄表示装置を取り外した状態を示す。
【図７】実施例に係る遊技盤を概略的に示す正面図であって、上部可動体および下部可動体が待機位置にある。
【図８】図７のＡ−Ａ線断面図である。
【図９】図７のＢ−Ｂ線断面図である。
【図１０】図７のＣ−Ｃ線断面図である。
【図１１】図７のＤ−Ｄ線断面図である。
【図１２】実施例に係る遊技盤を概略的に示す正面図であって、上部可動体および下部可動体が動作位置にある。
【図１３】図１２のＥ−Ｅ線断面図である。
【図１４】実施例の板部材を示す背面図である。
【図１５】実施例の裏ユニットを示す正面図である。
【図１６】実施例の裏ユニットを示す右側面図である。
【図１７】実施例の裏ユニットを上部装飾ユニットを取り外した状態で示す正面図であって、上部可動体および下部可動体が待機位置にある。
【図１８】実施例の裏ユニットを上部装飾ユニットを取り外した状態で示す背面図であって、上部可動体および下部可動体が待機位置にある。
【図１９】実施例の裏ユニットを上部装飾ユニットを取り外した状態で示す正面図であって、上部可動体および下部可動体が動作位置にある。
【図２０】実施例の裏ユニットを上部装飾ユニットを取り外した状態で示す背面図であって、上部可動体および下部可動体が動作位置にある。
【図２１】実施例の裏ユニットを上部装飾ユニットおよび前半体を取り外した状態で示す正面図であって、上部可動体および下部可動体が待機位置にある。
【図２２】実施例の裏ユニットを上部装飾ユニット、上部可動演出装置および下部可動演出装置を取り外した状態で示す正面図である。
【図２３】実施例の裏ユニットを上部装飾ユニット、上部可動演出装置、下部可動演出装置および下部発光装置のハーフミラー部材を取り外した状態で示す正面図である。
【図２４】実施例の裏ユニットを上部装飾ユニット、上部可動演出装置、下部可動演出装置および上部発光装置の光透過カバーを取り外した状態で示す正面図である。
【図２５】図２２のＦ−Ｆ線断面図である。
【図２６】実施例の右側部発光装置および上部発光装置を分解して示す斜視図である。
【図２７】実施例の下部発光装置および右側部発光装置を分解して示す斜視図である。
【図２８】実施例の裏ユニットを前側から示す分解斜視図である。
【図２９】実施例の裏ユニットを後側から示す分解斜視図である。
【図３０】実施例の装飾枠部材を示す正面図である。
【図３１】実施例の装飾枠部材を示す右側面図である。
【図３２】実施例の装飾枠部材を示す斜視図である。
【図３３】実施例の装飾枠部材を前側から示す分解斜視図である。
【図３４】実施例の装飾枠部材を後側から示す分解斜視図である。
【図３５】実施例の装飾枠部材の要部を示す左側面図である。
【図３６】図３０のＧ−Ｇ線断面図である。
【図３７】図３０のＨ−Ｈ線断面図である。
【図３８】実施例のステージを示す概略斜視図である。
【図３９】実施例のワープ通路を一部切り欠いて示す概略斜視図である。
【図４０】実施例のステージユニットを示す正面図である。
【図４１】実施例のステージユニットを示す背面図である。
【図４２】実施例のステージを示す正面図である。
【図４３】実施例のステージを示す背面図である。
【図４４】実施例のステージを示す平面図である。
【図４５】実施例のステージを示す右側面図である。
【図４６】実施例のカバー部材を示す正面図である。
【図４７】実施例のカバー部材を示す背面図である。
【図４８】実施例のカバー部材を示す平面図である。
【図４９】実施例のカバー部材を示す右側面図である。
【図５０】実施例の通路本体を示す正面図である。
【図５１】実施例の通路本体を示す背面図である。
【図５２】実施例の通路本体を示す平面図である。
【図５３】実施例の通路本体を示す左側面図である。
【図５４】実施例のゲートを示す正面図である。
【図５５】実施例のゲートを示す平面図である。
【図５６】実施例のゲートを示す右側面図である。
【図５７】実施例のゲートを示す縦断面図である。
【図５８】実施例の上部可動演出装置を示す正面図であって、上部可動体が待機位置にある。
【図５９】実施例の上部可動演出装置を示す正面図であって、上部可動体が動作位置にある。
【図６０】図５８のＩ−Ｉ線断面図である。
【図６１】実施例の上部可動演出装置を前側から示す分解斜視図である。
【図６２】実施例の上部可動演出装置を後側から示す分解斜視図である。
【図６３】実施例の上部可動演出装置を上部ベース体を省いた状態で示す正面図であって、上部可動体が待機位置にある。
【図６４】実施例の上部可動演出装置を上部ベース体を省いた状態で示す正面図であって、上部可動体が動作位置にある。
【図６５】実施例の上部可動演出装置を上部ベース体を省いた状態で示す背面図であって、上部可動体が待機位置にある。
【図６６】実施例の上部可動演出装置を上部ベース体を省いた状態で示す背面図であって、上部可動体が動作位置にある。
【図６７】図６５のＪ部拡大図である。
【図６８】実施例の上部可動演出装置を装飾体における前側のカバーを省いた状態で示す正面図である。
【図６９】実施例の上部装飾ユニットを示す正面図である。
【図７０】実施例の上部装飾ユニットを示す背面図である。
【図７１】実施例の上部装飾ユニットを示す分解斜視図である。
【図７２】実施例のユニット本体部を示す正面図である。
【図７３】実施例のユニット本体部を示す背面図である。
【図７４】実施例の動作体を示す正面図である。
【図７５】実施例の動作体を示す背面図である。
【図７６】実施例の動作体を示す右側面図である。
【図７７】実施例の上部装飾ユニットの動作機構を示す概略図である。
【図７８】実施例の下部可動演出装置を示す正面図であって、下部可動体が待機位置にある。
【図７９】図７８のＫ−Ｋ線断面図である。
【図８０】実施例の下部可動演出装置を示す正面図であって、下部可動体が動作位置にある。
【図８１】実施例の下部可動演出装置を前側から示す分解斜視図である。
【図８２】実施例の下部可動演出装置を後側から示す分解斜視図である。
【図８３】実施例の下部可動演出装置の下部駆動機構を示す概略図である。
【図８４】実施例のパチンコ機の制御ブロック図である。
【図８５】図８のア部拡大図である。
【図８６】図８のイ部拡大図である。
【図８７】図１０のウ部拡大図である。
【図８８】実施例の第１上部可動体を前側から示す分解斜視図である。
【図８９】実施例の第１上部可動体を後側から示す分解斜視図である。
【発明を実施するための形態】
【００１３】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１４】
(パチンコ機について)
図１に示すように、実施例に係るパチンコ機１０は、矩形枠状に形成されて、遊技店の図示しない設置枠台に固定される固定枠としての外枠１１を備えている。また、パチンコ機１０には、後述する遊技盤４０(図４参照)が着脱可能に保持される本体枠としての中枠１２が、外枠１１の開口前面側に開閉および着脱可能に組み付けられている。更に、パチンコ機１０は、遊技盤４０の裏側に対して、各種図柄を変動表示可能な図柄表示装置１３が着脱し得るよう配設されている(図２参照)。中枠１２の前面側には、遊技盤４０を透視保護するガラス板１４ａを備えた装飾枠としての前枠１４が開閉可能に組付けられると共に、前枠１４の下方にパチンコ球(遊技球)を貯留する下球受け皿１５が開閉可能に組付けられる(図１参照)。なお、実施例では、前枠１４の下部位置に、パチンコ球を貯留する上球受け皿１６が一体的に組付けられており、前枠１４の開閉に合わせて上球受け皿１６も一体的に開閉するよう構成される。図柄表示装置１３としては、液晶表示装置やドラム式の表示装置、ベルト式の表示装置等の各種図柄を変動表示可能な従来公知の表示装置を用いることができる。
【００１５】
(中枠について)
図３に示すように、前記中枠１２は、上縁をなす上枠部材１７と、下縁をなし、スピーカ３３や打球発射装置３４、操作ハンドル３５等が設置された下枠部材１８と、左側縁をなす左枠部材１９と、右側縁をなす右枠部材２０とから構成されている。中枠１２は、上下左右の枠部材１７,１８,１９,２０を組付けた際に、全体が外枠１１の開口に整合する矩形枠状に形成される。そして、上下左右の枠部材を組付けた際に前後に開口する開口部分が、遊技盤４０を設置する遊技盤保持部２２として機能する。ここで、中枠１２は、外枠１１の左上端部および左下端部に設けられた支軸(図示せず)を介して枢支され、左側端部を中心として中枠１２を回転させることで、外枠１１に対して中枠１２を開閉し得るようになっている。
【００１６】
図３に示すように、左枠部材１９の開口内側(遊技盤保持部２２側)には、上下に離間する位置に、遊技盤４０の左側端部を回転および着脱可能に保持する回転保持具２３,２３が複数設けられている。また、上下の枠部材における右端部(右枠部材２０側)には、固定位置および固定解除位置に回転可能な固定具２４,２４が夫々設けられており、該固定具２４,２４により遊技盤４０の右側上下端部を中枠１２に固定し得るようになっている。パチンコ機１０では、遊技盤４０の左側端部を回転保持具２３,２３で保持した状態で、遊技盤４０の右側端部を押し込んで遊技盤４０の左側端部(回転保持具２３,２３)を中心に回動させて遊技盤４０の全体を遊技盤保持部２２に臨ませて、固定具２４,２４を固定位置に回転変位させて遊技盤４０の右側上下端部が支持固定される。このように、遊技盤４０は、その周縁部の裏面が前記上下および左の各枠部材１７,１８,１９,２０に当接支持された状態で、回転保持具２３,２３および固定具２４,２４で対応箇所の前面が当接支持されて、前後方向の移動が規制される。そして、この状態の遊技盤４０の前面(後述する板部材４２の前面)は、中枠１２に組付けられている前枠１４のガラス板１４ａに対して予め設定された距離だけ離間する位置に臨むよう構成されている。
【００１７】
図３に示すように、前記上枠部材１７の裏側には、設置枠台等に設けられた外部球供給設備から供給されるパチンコ球を貯留する球タンク２５が、上枠部材１７の左右幅の略全幅に亘って設けられている。この球タンク２５は、遊技盤保持部２２に配設された遊技盤４０の裏側上部に重なるよう形成されており、遊技盤４０の上下寸法を最大限大きくし得るようになっている。また、下枠部材１８の裏側には、上下の球受け皿１５,１６に連通する球供給路および設置枠台に設けた球回収樋に連通する球排出路(何れも図示せず)が夫々形成されたセット部材２６が配設されている(図２参照)。なお、球タンク２５とセット部材２６とは、両部材間に架設された球通路ユニット２７を介して連通接続されており、該球通路ユニット２７に配設された球払出し装置２７ａの駆動により球タンク２５に供給されたパチンコ球を上下の球受け皿１５,１６へ給出するよう構成されている。
【００１８】
前記セット部材２６には、図２に示すように、パチンコ機１０の電源制御を行なう電源装置２８、球通路ユニット２７に配設した球払出し装置２７ａを駆動制御する払出し制御装置２９、前記打球発射装置３４を駆動制御する発射制御装置３０、外部端末に接続されるインターフェース基板３１等が配設されている。なお、これらの各装置２８,２９,３０,３１は、遊技盤４０の裏側に配設される主制御装置３２に配線接続され、該主制御装置３２からの制御信号に基づいて所定の制御を実行するようになっている。
【００１９】
(遊技盤)
図４〜図１３に示すように、前記遊技盤４０は、略矩形状に形成されたベニヤ等の合板からなる板部材４２と、この板部材４２の後側に取り付けられる裏ユニット５０とから基本的に構成される。また、遊技盤４０には、裏ユニット５０の後面に図柄表示装置１３が着脱可能に配設されて(図２参照)、該遊技盤４０の中央部に画成された表示部４１に該図柄表示装置１３の表示面が臨んでいる。そして、遊技盤４０では、該遊技盤４０の前面に画成される遊技領域４０ａに打ち出されて流下するパチンコ球による入賞に合わせてあるいは独立して、表示部４１から前側(遊技者側)に臨む図柄表示装置１３の表示面において図柄変動ゲームや所定の表示演出が行われるようになっている。
【００２０】
(板部材)
図４または図５に示すように、板部材４２は、平板状の部材であって、略矩形を基本として四隅が前述した中枠１２への取り付け構造に合わせて切り欠き等されて適宜形状とされている。板部材４２は、左下部から右上部にかけて円弧状に延在する外レール４３と、この外レール４３の内側に中央下部から左上部にかけて並べて配置された内レール４４とが前面に配設されている(図４参照)。また、板部材４２の前面右側には、第１盤面飾り部材４５ａが配設され、外レール４３の右上部から内レール４４の下部までの間に、第１盤面飾り部材４５ａの右方に凹む湾曲形状の内側縁が延在している。そして、板部材４２の前面には、外レール４３、内レール４４および第１盤面飾り部材４５ａによって略円形の遊技領域４０ａが画成されている。また、板部材４２の前面には、外レール４３の左方(遊技領域４０ａの外側)の上下位置に第２盤面飾り部材４５ｂが夫々配設されている。
【００２１】
前記遊技盤４０では、中枠１２に配設された打球発射装置３４から発射されたパチンコ球が遊技領域４０ａに対して打ち出されて、該遊技領域４０ａ内をパチンコ球が流下して遊技が行われるようになっている。なお、打球発射装置３４から発射されたパチンコ球は、外レール４３と内レール４４との間を通って遊技領域４０ａの左上部に打ち出される。ここで、板部材４２の前面には、遊技領域４０ａに位置して多数の遊技釘や風車等が配設されており、これらの部品によって遊技領域４０ａを流下するパチンコ球の流下方向が不規則に変更される(図４参照)。
【００２２】
図１４に示すように、前記板部材４２には、装飾枠部材(装飾部材)１００、各種入賞装置６０,６２、遊技領域４０ａに設けられる飾り部材６６やゲート７０等に合わせて前後に貫通する貫通口４２ａ,４２ｂ,４２ｃ,４２ｄが複数開設されている。板部材４２は、遊技領域４０ａの中央部に大きく開設された表示貫通口４２ａと、この表示貫通口４２ａの下側に開設され、後述する入賞装置６０,６２が配設される入賞装置貫通口４２ｂと、この入賞装置貫通口４２ｂの左側に開設された飾り貫通口４２ｃとを備えている。また、板部材４２には、表示貫通口４２ａと内レール４４との間に、ゲート７０が配設されるゲート貫通口４２ｄが開設されている。表示貫通口４２ａは、図柄表示装置１３の表示面の前側に形成されており、この表示貫通口４２ａの内側に表示部４１が設けられる。そして、板部材４２では、表示貫通口４２ａに対して後述する装飾枠部材１００が配設される(図４参照)。
【００２３】
前記板部材４２には、表示貫通口４２ａ(表示貫通口４２ａに嵌め合わせた装飾枠部材１００)の下方位置に、遊技領域４０ａを流下するパチンコ球が入賞可能な始動入賞装置６０が入賞装置貫通口４２ｂの上部に嵌め合わせて配設されている(図４参照)。また、板部材４２には、始動入賞装置６０の下方に、遊技領域４０ａを流下するパチンコ球が入賞可能な特別入賞装置６２が入賞装置貫通口４２ｂの下部に嵌め合わせて配設されている。板部材４２には、遊技領域４０ａの左下縁に沿って形成された飾り貫通口４２ｃに嵌め合わせて下部飾り部材６６が配設されている。各下部飾り部材６６には、普通入賞装置６４の遊技領域４０ａに臨む普通入賞口６４ａが設けられている(図４参照)。更に、板部材４２には、ゲート貫通口４２ｄに嵌め合わせて、ゲート飾り部材７２がパチンコ球の通過を許容するゲート口７６ａを遊技領域４０ａに臨ませて配設されている。
【００２４】
(裏ユニット)
図１５〜図２９に示すように、裏ユニット５０は、合成樹脂の成形品であって、板部材４２の後面から離間して該板部材４２に対向する設置板部(後壁)５３と、この設置板部５３の外周縁から前方へ突出する壁部５４とを有する前側に開放するよう形成された箱枠状の箱状本体５２を備えている。裏ユニット５０には、設置板部５３の略中央部に位置して前後に貫通する裏ユニット開口５０ａが開設され、設置板部５３における裏ユニット開口５０ａの両脇に後側に突出するように装置支持部５２ａ,５２ａが形成されている(図６,図２８または図２９参照)。また、裏ユニット５０には、設置板部５３における裏ユニット開口５０ａの下側に後側に突出するように装置支持板５２ｂが形成されている。図５に示すように、遊技盤４０は、略矩形状の図柄表示装置１３の下面を装置支持板５２ｂの上面で支持すると共に、図柄表示装置１３の一側部(実施例では左)に突設された係止突片(図示せず)を左側の装置支持部５２ａの係止凹部(図示せず)に差し込んで、図柄表示装置１３の他側部(右)を右側の装置支持部５２ａで支持される。そして、遊技盤４０は、ナイラッチ等の着脱可能な係合手段(図示せず)で図柄表示装置１３の他側部側を固定することで、設置板部５３の後側に図柄表示装置１３が表示面を裏ユニット開口５０ａに臨ませた状態で配設される。すなわち、遊技盤４０では、裏ユニット開口５０ａの内側に表示部４１が設けられる。
【００２５】
図２８または図２９に示すように、前記箱状本体５２には、壁部５４の前端から外方または内方に向けて板部材４２と平行に延在する複数の取付フランジ部５４ａが夫々形成されている。裏ユニット５０は、箱状本体５２の取付フランジ部５４ａを板部材４２の後面に当接させて、該取付フランジ部５４ａを介して板部材４２に対してネジ止め固定される(例えば図１０参照)。すなわち、遊技盤４０では、箱状本体５２の設置板部５３が板部材４２から後側に離間し、板部材４２の後面と箱状本体５２の設置板部５３の前面との間に、装置または部材を設置し得る収容空間５７,５８が画成されるようになっている。
【００２６】
前記裏ユニット５０は、箱状本体５２の下側に通路形成部５６を備えている(図２８または図２９参照)。通路形成部５６は、パチンコ球の通過を検知し得る普通入賞センサ６５(図８４参照)が取り付けられると共に、普通入賞口６４ａから入賞したパチンコ球を普通入賞センサ６５に案内する球通路５６ａが形成されている。通路形成部５６は、箱状本体５２と別体に形成された合成樹脂の成形品であって、各種装置が配設されて剛性が要求される箱状本体５２より軟らかい素材で形成され、球通路５６ａを流下するパチンコ球の流下勢を緩衝するようになっている。また、通路形成部５６の後面には、中継基板３９の設置部５６ｃが設けられている(図２９参照)。
【００２７】
図１５に示すように、前記裏ユニット５０には、箱状本体５２に可動演出装置２００,４００、装飾ユニット３００、発光装置６００,６２０,６４０,６５０および発光演出部を構成する発光部４３０,５００,５１０,５２０,５４０,５５０が配設されている。これらの装置が前記収容空間５７,５８に収容されたり、板部材４２の表示貫通口４２ａ(表示貫通口４２ａに取り付けられる装飾枠部材１００の窓口１００ａ)を介して遊技盤４０の前面に臨むようになっている(図４参照)。実施例の裏ユニット５０には、設置板部５３における裏ユニット開口５０ａの上側に延在する上辺部５３ａ(図２６〜図２８参照)および裏ユニット開口５０ａの左側に延在する左辺部５３ｂ(図２６〜図２８参照)にかけて上部可動演出装置２００が配設され、上部可動演出装置２００の前側に位置して設置板部５３の上辺部５３ａに上部装飾ユニット３００が配設されている(図１５または図１７参照)。また、裏ユニット５０には、設置板部５３における裏ユニット開口５０ａの右側に延在する右辺部５３ｃ(図２６〜図２８参照)と裏ユニット開口５０ａの下側に延在する下辺部５３ｄ(図２６〜図２８参照)とが交差する部位から右辺部５３ｃにかけて下部可動演出装置４００が配設されている。更に、裏ユニット５０には、設置板部５３の下辺部５３ｄに下部発光装置６００が配設され、設置板部５３の右辺部５３ｃに右側部発光装置６２０が配設されると共に、右辺部５３ｃの上部に上部発光装置６４０が配設され、設置板部５３の左辺部５３ｂに左側部発光装置６５０が配設されている(図２２参照)。このように、遊技盤４０には、表示部４１を囲んで上部可動演出装置２００、上部装飾ユニット３００、下部可動演出装置４００、左右の側部発光装置６２０,６５０、下部発光装置６００および上部発光装置６４０、後述する発光演出部が設置され、これらの装置によって所要の演出を行い得るように構成される。
【００２８】
(入賞装置)
図４に示す如く、始動入賞装置６０は、板部材４２の前面にネジ固定される第１取付ベース板６０ａの前面側に、遊技領域４０ａを流下するパチンコ球が入賞可能な上下の始動入賞口(入賞口)６０ｂ,６０ｃが設けられる。始動入賞装置６０は、第１取付ベース板６０ａの後側に突出する装置本体部が入賞装置貫通口４２ｂの上部を介して板部材４２の後側に突出すると共に、第１取付ベース板６０ａによって入賞装置貫通口４２ｂの上部を塞いでいる。パチンコ機１０では、始動入賞装置６０の始動入賞口６０ｂ,６０ｃへ入賞したパチンコ球が始動入賞センサ６１(図８４参照)で検出されることで、図柄表示装置１３の表示面で図柄変動が開始されると共に、所定数(例えば５個)のパチンコ球が賞球として上下の球受け皿１５,１６に払い出されるようになっている。また、下側の始動入賞口６０ｃを挟む左右位置には、相互に近接および離間するよう揺動可能な一対の羽根部材(図示せず)が設けられている。そして、始動入賞装置６０は、第１取付ベース板６０ａの後面側に設けられた装置本体部に設けた図示しないソレノイドにより羽根部材を揺動することで、下側の始動入賞口６０ｃが開閉される。
【００２９】
図４に示す如く、前記特別入賞装置６２は、板部材４２の前面にネジ固定される第２取付ベース板６２ａに、前後に開口する横長の特別入賞口６２ｂが開設されると共に、該第２取付ベース板６２ａの後面側に、該特別入賞口６２ｂを介してパチンコ球が入賞可能な入賞空間が形成された装置本体部が設けられている。また、特別入賞装置６２は、特別入賞口６２ｂを開閉自在に閉成する開閉扉６２ｃを備え、この開閉扉６２ｃを装置本体部に設けた図示しないソレノイドにより開閉することで、特別入賞口６２ｂが開閉されるようになっている。パチンコ機１０では、図柄表示装置１３で行なわれる図柄変動演出の結果、該図柄表示装置１３に所定の図柄組み合わせ(例えば同一図柄の三つ揃い等)で図柄が停止表示されることで所謂「大当り」が発生する。これにより、パチンコ機１０では、特別入賞装置６２の特別入賞口６２ｂが開放され、特別入賞口６２ｂに入賞したパチンコ球が特別入賞センサ６３(図８４参照)で検出されることで、多数の賞球が上下の球受け皿１５,１６に払い出されるよう構成される。なお、始動入賞装置６０の装置本体部および特別入賞装置６２の装置本体部は、板部材４２に穿設された入賞装置貫通口４２ｂを介して板部材４２の後方に突出し、両装置本体部が、裏ユニット５０の通路形成部５６に該装置本体部に対応して形成された入賞装置収容部５６ｂ(図１５参照)に収容されるようになっている。
【００３０】
（普通入賞装置）
前記板部材４２には、装飾枠部材１００の下方位置に位置して、特別入賞装置６２の特別入賞口６２ｂを挟む左右両側に普通入賞装置６４の普通入賞口６４ａが夫々設けられている(図４参照)。実施例では、図４に示す如く、特別入賞装置６２の左側に飾り貫通口４２ｃを塞いで設けられた下部飾り部材６６に、遊技領域４０ａに臨む普通入賞口６４ａが設けられ、特別入賞装置６２における特別入賞口６２ｂより右側に延出する第２取付ベース板６２ａにも、遊技領域４０ａに臨む普通入賞口６４ａが設けられている。下部飾り部材６６には、３つの普通入賞口６４ａ,６４ａが、左から中央に向かうにつれて下がる階段状となるよう上下および左右に離間して設けられている。これに対して、特別入賞口６２ｂの右側には、１つの普通入賞口６４ａが配置されている。そして、パチンコ機１０では、普通入賞口６４ａに入賞したパチンコ球を、裏ユニット５０における通路形成部５６と板部材４２との間または通路形成部５６に形成された球通路５６ａで案内するようになっている(図１５参照)。そして、パチンコ機１０では、球通路５６ａの下流側に設けた普通入賞センサ６５(図８４参照)でパチンコ球を検出することで、所定数(例えば１０個)の賞球が上下の球受け皿１５,１６に払い出されるようになっている。
【００３１】
図４に示すように、前記遊技盤４０には、遊技領域４０ａの最下部、すなわち特別入賞装置６２の下側には、始動入賞口６０ｂ,６０ｃ、特別入賞口６２ｂおよび各普通入賞口６４ａに入賞することなく流下したパチンコ球を機裏側に排出するアウト口４６が形成されている。
【００３２】
(ゲート)
前記板部材４２の前面には、遊技領域４０ａにおける装飾枠部材１００の左側に位置して、該遊技領域４０ａを流下するパチンコ球が通過可能なゲート口７６ａを有するゲート７０が配設されている(図４参照)。ゲート７０は、ゲートセンサ７１と、このゲートセンサ７１を保持するゲート飾り部材７２から構成されている。ゲート７０は、ゲート口７６ａを通過するパチンコ球をゲートセンサ７１で検出した際に、図示しない普通図柄表示装置における普通図柄の変動表示の契機となる入球検知信号を出力するようになっている。ゲートセンサ７１は、主制御装置３２に電気的に接続され(図８４参照)、実施例の主制御装置３２は、ゲート７０を通過するパチンコ球をゲートセンサ７１が検出したことを条件として、始動入賞装置６０の羽根部材を開放するか否かの抽選を行なうよう設定されている。なお、ゲート７０の具体的な構成については後述する。
【００３３】
(制御装置)
前記遊技盤４０(裏ユニット５０)の後面に着脱可能に配設される図柄表示装置１３の裏面には、図２に示す如く、該図柄表示装置１３の表示を制御する演出表示制御装置３６が配設されている。また、図柄表示装置１３の後面には、可動演出装置２００,４００および装飾ユニット３００を動作または発光制御したり、各種発光装置６００,６２０,６４０,６５０および発光演出部を発光制御したり、スピーカ３３の効果音出力制御等を行なう統括制御装置３７が、演出表示制御装置３６に隣接して配設されている。パチンコ機１０では、制御装置同士または制御装置と遊技部品である可動演出装置２００,４００、装飾ユニット３００、発光装置６００,６２０,６４０,６５０、発光演出部、図柄表示装置１３、スピーカ３３、始動入賞センサ６１、特別入賞センサ６３、普通入賞センサ６５およびゲートセンサ７１等が配線または中継基板３９(図５参照)を介して電気的に接続される(図８４参照)。
【００３４】
前記主制御装置３２には、始動入賞口６０ｂ,６０ｃに入賞したパチンコ球を検出した始動入賞センサ６１からの検出信号や、特別入賞口６０ｂに入賞したパチンコ球を検出した特別入賞センサ６３からの検出信号や、普通入賞口６４ａに入賞したパチンコ球を検出した普通入賞センサ６５からの検出信号や、ゲート７０を通過したパチンコ球を検出したゲートセンサ７１からの信号が入力される。主制御装置３２は、制御動作を所定の手順で実行することができる主制御用ＣＰＵ、主制御用ＣＰＵの制御プログラムを格納する主制御用ＲＯＭおよび必要なデータの書き込みおよび読み出しができる主制御用ＲＡＭ等の電子部品(何れも図示せず)を備えている。
【００３５】
前記主制御装置３２は、大当り判定用乱数、大当り図柄用乱数や変動パターン振分用乱数などの各種乱数の値を所定の周期毎に更新し、更新後の値を主制御用ＲＡＭの設定領域に記憶(設定)することで更新前の値を書き換えており、乱数更新処理(乱数生成処理)を実行するようになっている。例えば、主制御装置３２では、始動入賞センサ６１から検出信号が入力されると、主制御用ＣＰＵが主制御用ＲＡＭから大当り判定用乱数を取得し、この大当り判定用乱数と主制御用ＲＯＭの大当り判定値とを比較し、大当りとするか否かの大当り抽選(大当り判定)を行なう。また主制御装置３２では、前記大当り判定の結果が大当りの場合には、大当り演出のみが含まれる変動パターンテーブルから大当り演出を決定する。これに対して、前記大当り判定の結果がはずれの場合には、はずれ演出のみが含まれる変動パターンテーブルからはずれ演出を決定する。大当り演出およびはずれ演出の決定は、前記大当り判定と同様に、主制御用ＣＰＵが主制御用ＲＡＭから取得した乱数により行なう。なお、変動パターンテーブルから決定される大当り演出およびはずれ演出の変動パターンは、少なくとも図柄変動ゲームの変動時間および演出内容を特定するものである。
【００３６】
前記パチンコ機１０では、主制御装置３２の抽選結果に応じて出力された統括制御装置３７の制御信号に基づいて、演出表示制御装置３６が図柄表示装置１３に所定の演出表示を行なわせると共に、主制御装置３２の制御により出力された払出し制御装置２９の制御信号に基づいて、球払出し装置２７ａによって所定数の賞球が払い出される。また、パチンコ機１０では、統括制御装置３７の制御信号に基づいて、可動演出装置２００,４００および装飾ユニット３００を作動させたり、各発光装置６００,６２０,６４０,６５０および発光演出部を発光させたり、スピーカ３３から効果音を出力するようになっている。
【００３７】
前記パチンコ機１０では、各所に発光体を設けて発光演出を行っているが、発光体としてＬＥＤ、ＥＬ、電球やその他の発光手段を用いることができる。なお、実施例では、発光体としてＬＥＤが採用されている。
【００３８】
ここで、本願で云う光拡散処理とは、例えば光透過性を有する部材の表面に凹凸を形成するような表面加工や、光反射性を有する微粒子を含有する光拡散インクを種々の濃度分布で光透過性を有する部材の表面に印刷または塗布等する例えばドット加工や、部材を構成する樹脂自体に光反射性を有する微粒子を分散させる例えばラメ加工や、透過する光の屈折率を変える加工や、透過する光を乱反射させる加工等を指し、１つの加工だけであっても、複数の加工を組み合わせてもよい。なお、表面加工の具体例としては、溝加工、ダイヤモンドカット加工、シボ加工、ブラスト加工、ローレット加工などが挙げられ、光の屈折率を変える加工としては、部材の表面に該部材と屈折率が異なる微細な凹凸を設けたシートレンズの如きものが挙げられる。
【００３９】
(装飾枠部材)
図４,図７または図１２に示すように、前記板部材４２には、センター役物とも称される大型の装飾枠部材(装飾部材)１００が、表示貫通口(貫通口)４２ａに対して配設されている。装飾枠部材１００は、表示貫通口４２ａの開口縁を縁取るように枠状に形成された部材であって、前後に開口する窓口１００ａが内側に画成されている(図３０参照)。遊技盤４０では、装飾枠部材１００の窓口１００ａの内側に表示部４１が設けられて、表示部４１を囲う装飾枠部材１００により表示部４１の周囲を装飾すると共に、装飾枠部材１００によって遊技領域４０ａと表示部４１とを区画している。遊技盤４０は、装飾枠部材１００が右側に偏倚して配設されて、遊技領域４０ａの右側部が左側部に比べて狭く設定されており、実施例では装飾枠部材１００の上部略中央から右側部にかけて外レール４３または第１盤面飾り部材４５ａの内縁との離間間隔がパチンコ球１〜２個分程度になっている(図４参照)。また、実施例では、板部材４２の表示貫通口４２ａの右側部位が遊技領域４０ａの下側まで大きく切り込まれており(図１４参照)、これに対応して装飾枠部材１００の窓口１００ａの右側部位が下側まで大きく開口している(図４参照)。そして、窓口１００ａの右側部位には、後述する下部可動演出装置４００が臨んでいる(図７参照)。
【００４０】
図３０〜図３４に示すように、前記装飾枠部材１００は、板部材４２の前面に当接して該板部材４２へのねじ止め部位を有する基枠部１０２と、この基枠部１０２の後面に後方に突出形成されて、表示貫通口４２ａの開口縁に並行して延在する枠延出部(延出部)１０４と、基枠部１０２の前面から前方に突出するよう設けられた庇状部１０６と、基枠部１０２の前面を覆う板状の枠飾り１０８とを備えている。基枠部１０２は、閉じた環を形成する板状部分であって、この板状部分の板面が遊技盤４０の遊技盤面に沿う方向に延在している(図３３または図３４参照)。基枠部１０２は、外周側が板部材４２における表示貫通口４２ａの開口縁前面に当接すると共に、内周側が表示貫通口４２ａの内側に臨む前段部位と、この前段部位より枠飾り１０８の厚み分凹ませて形成され、前面に枠飾り１０８が取り付けられる後段部位とを備えている。ここで、基枠部１０２の後段部位は、表示貫通口４２ａの開口縁から外周縁を離間させて該表示貫通口４２ａの内側に収容される。
なお、基枠部１０２は、板部材４２に当接する前段部位後面に位置決めピンが突設され(図３１参照)、この位置決めピンを板部材４２の表示貫通口４２ａの外側に設けられたピン孔(図示せず)に嵌め合わせることで、装飾枠部材１００が板部材４２(表示貫通口４２ａ)に対して位置決めされる。
【００４１】
前記枠延出部１０４は、基枠部１０２の板面と交差する方向(遊技盤面と交差する方向)に板面が延在する板状部分であって、基枠部１０２の後面に突出形成されると共に基枠部１０２の内周側に配置されている(図３１または図３４参照)。枠延出部１０４は、基枠部１０２の全周に亘って表示貫通口４２ａの開口縁に沿って連設され、表示貫通口４２ａの開口縁から離間配置されている(図１４参照)。すなわち、装飾枠部材１００は、板部材４２の表示貫通口４２ａに枠延出部１０４を挿入して板部材４２に取り付けた際に、枠延出部１０４が板部材４２に接触せず、枠延出部１０４と表示貫通口４２ａの開口縁との間に空間部１００ｂが画成されるようになっている。なお、枠延出部１０４は、装飾枠部材１００を板部材４２に取り付けた際に、表示貫通口４２ａ内に収容される延出寸法に設定され、表示貫通口４２ａを介して板部材４２の後側に突出しないように構成される(図８参照)。
【００４２】
前記基枠部１０２の後面には、枠延出部１０４の内側に設けられて、後側に開口するねじ孔を有する庇固定部(ジョイント部)１０３ａと、枠延出部１０４の外側および枠延出部１０４の延在ライン上に設けられて、後側に開口するねじ孔を有する枠飾り固定部(ジョイント部)１０３ｂとが形成されている(図１４または図３４参照)。装飾枠部材１００は、庇固定部１０３ａを介して基枠部１０２の後側から庇状部１０６に対してねじを螺合することで、庇状部１０６が基枠部１０２に固定され、枠飾り固定部１０３ｂを介して基枠部１０２の後側から枠飾り１０８に対してねじを螺合することで、枠飾り１０８が基枠部１０２に固定される。すなわち、枠延出部１０４の外側に設けられた枠飾り固定部１０３ｂは、装飾枠部材１００を板部材４２に取り付けた際に空間部１００ｂに配置されて、空間部１００ｂを介して該枠飾り固定部１０３ｂのねじ孔に対してねじが螺合される。
【００４３】
このように、装飾枠部材１００では、基枠部１０２に取り付けられる庇状部１０６および枠飾り１０８の固定部１０３ａ,１０３ｂを枠延出部１０４を挟んで内外に振り分けて設けてあるので(図１４参照)、庇状部１０６および枠飾り１０８の固定部１０３ａ,１０３ｂが互いに干渉し難く、両部材１０６,１０８の取り付け作業も行い易くなる。なお、実施例では、庇固定部１０３ａを枠延出部１０４の内側に設置したが、庇固定部１０３ａも枠延出部１０４の外側に設置してもよい。この場合は、空間部１００ｂを有効利用することで、枠延出部１０４の内側に延出する基枠部１０２の寸法を抑えることができるので、窓口１００ａを広く確保することが可能である。
【００４４】
前記庇状部１０６は、基枠部１０２の前面から前方に突出するよう設けられ、装飾枠部材１００の内側の窓口１００ａと外側の遊技領域４０ａとの間を仕切って遊技領域４０ａから窓口１００ａ側へのパチンコ球の転入を規制するようになっている(図４参照)。庇状部１０６は、前面が板部材４２に植設される遊技釘の前端とおおよそ揃えた位置になるよう形成されている。庇状部１０６は、装飾枠部材１００における表示部４１の左側上部分(後述するワープ通路１５０の球通入口１５１の上側)から表示部４１の上側に亘って設けられ、更に上側から右側部下部に亘り、右側部下部から表示部４１の下側におけるステージ１２０の右側部分までにかけて設けられている(図３２参照)。
【００４５】
前記枠飾り１０８は、板部材４２の前面に当接するように基枠部１０２に取り付けられる(図８参照)。具体的には、枠飾り１０８は、薄板状の部材であって、基枠部１０２における後段部分の前面に取り付けられ、該基枠部１０２の外周縁より外側に延出する部位が板部材４２の前面に当接するようになっている。装飾枠部材１００は、基枠部１０２において板部材４２の前面に当接する前段部分および枠飾り１０８において基枠部１０２の外周縁より外側に延出して板部材４２の前面に当接する部分の前側が、少なくともパチンコ球が流下可能に構成されている。ここで、実施例の装飾枠部材１００では、基枠部１０２の上側から右側部にかけて枠飾り１０８が設けられると共に、基枠部１０２の下側中央部に枠飾り１０８が設けられている(図３３または図３４参照)。
【００４６】
図３２に示すように、前記装飾枠部材１００は、表示部４１の上側に延在する庇状部１０６によって遊技領域４０ａの上部に打ち出されたパチンコ球を案内して遊技領域４０ａの左右に振り分けている。装飾枠部材１００は、庇状部１０６によって表示部４１の左側略中央から上側、上側から右側下部にかけてパチンコ球の窓口１００ａ側への移動を阻んでいるが、左側略中央(球通入口１５１の下)から下側にかけての部位が基枠部１０２の前段部分または枠飾り１０８で前面が構成されて、板部材４２の前面に対してパチンコ球が転動可能な略同一に揃った面を形成している。すなわち、装飾枠部材１００では、表示部４１の左辺下側から下辺にかけて基枠部１０２の前段部分および枠飾り１０８が遊技領域４０ａの一部を構成し、遊技領域４０ａから装飾枠部材１００の内側に設けられるステージ１２０側へのパチンコ球の飛び込みまたはステージ１２０側から遊技領域４０ａへの流下をパチンコ球の転動を許容する取入部１１０となっている。
【００４７】
実施例の装飾枠部材１００は、基枠部１０２と枠延出部１０４とが一体形成されており、基枠部１０２と直交する後方に突出形成されている枠延出部１０４が装飾枠部材１００の剛性を担保するリブとして機能している(図３１参照)。装飾枠部材１００は、枠延出部１０４を表示貫通口４２ａに挿入すると共に、基枠部１０２の位置決めピンをピン孔に嵌め合わせ、基枠部１０２を介して板部材４２に対してねじ止めすることで固定される。また、装飾枠部材１００は、庇状部１０６および枠飾り１０８が基枠部１０２と別体に構成されており、基枠部１０２の前面に組み付けた枠飾り１０８に対して枠飾り固定部１０３ｂを介して後側からねじ止めすることで、枠飾り１０８が基枠部１０２に固定される(図３３または図３４参照)。枠飾り１０８は、基枠部１０２に対してだけでなく、基枠部１０２の外周縁より外側に延出する部位が板部材４２に対してねじ止め固定される。装飾枠部材１００は、基枠部１０２の前面または該基枠部１０２の取り付けた枠飾り１０８の前面に組み付けた庇状部１０６に対して庇固定部１０３ａを介して後側からねじ止めすることで、庇状部１０６が基枠部１０２に固定される。このように、装飾枠部材１００は、基枠部１０２だけでなく、枠飾り１０８についても板部材４２の前面に当接する構成であるので、板部材４２に対してよりがたつきなく取り付けることができる。しかも、枠飾り１０８は、取入部１１０を構成するものを除いて基枠部１０２と庇状部１０６との間に挟んで保持されるので、強固に固定される。
【００４８】
前記装飾枠部材１００は、枠延出部１０４の後縁から延長して後方へ突出するよう形成された位置決めボス１１２を複数有している(図１４、図３１または図３４参照)。各位置決めボス１１２は、装飾枠部材１００を板部材４２に取り付けた際に、表示貫通口４２ａ内に収容される延出寸法または板部材４２から後方へ僅かに突出する延出寸法(実施例)に設定されている。各位置決めボス１１２は、板部材４２の後側に配置されて、裏ユニット５０の箱状本体５２に取り付けられる上部装飾ユニット３００のユニット本体３０２または箱状本体５２自体に設けられた位置決め孔５２ａに夫々嵌合するように構成され、装飾枠部材１００と裏ユニット５０側との位置決めがなされる(図１５参照)。ここで、位置決め孔５２ａは、箱状本体５２に取り付けられるユニット本体３０２または箱状本体５２において、表示貫通口４２ａの内側に臨む部位に設けられている。実施例では、位置決めボス１１２が基枠部１０２の上部に左右に離間して一対設けられると共に、基枠部１０２の右下部に１つ設けられている(図１４参照)。一方、裏ユニット５０には、箱状本体５２において表示部４１の上側に配設される上部装飾ユニット３００におけるユニット本体３０２の上縁に、上側の対をなす位置決めボス１１２,１１２に対応して左右に離間して位置決め孔５２ａ,５２ａが設けられている(図１５または図６９参照)。また、裏ユニット５０の箱状本体５２には、表示部４１の右下部(下部可動演出装置４００の下側)に位置して、右下部の位置決めボス１１２に対応する位置決め孔５２ａが設けられている(図１５または図２８参照)。
【００４９】
このように、装飾枠部材１００は、板部材４２の表示貫通口４２ａに挿入される枠延出部１０４と表示貫通口４２ａの開口縁との間に空間部１００ｂを画成する構成であるので(図１４参照)、枠延出部１０４や表示貫通口４２ａの寸法誤差を空間部１００ｂで吸収することができる。すなわち、装飾枠部材１００の枠延出部１０４が表示貫通口４２ａに干渉することを回避して、装飾枠部材１００を歪みなく適切に取り付けることができる。また、装飾枠部材１００は、枠延出部１０４が板部材４２の表示貫通口４２ａに干渉しないので取り付け易く、取り付け作業性を向上することができる。より具体的に説明すると、装飾枠部材１００は、単純な円形や四角形等ではなく、様々な意匠形状を達成するために複雑な形状とすることが多く、これに伴って枠延出部１０４および表示貫通口４２ａの形状も複雑になる。表示貫通口４２ａの形状が複雑になると、表示貫通口４２ａの形成誤差が大きくなるが、前述の如く装飾枠部材１００の枠延出部１０４は、表示貫通口４２ａから離間するよう設定されているので、板部材４２への取り付け時に表示貫通口４２ａと枠延出部１０４とが接触することを回避でき、枠延出部１０４との離間間隔(空間部１００ｂ)の範囲内で表示貫通口４２ａの形状を単純化するのも可能である。ここで、表示貫通口４２ａを装飾枠部材１００の形状と関係なく大きく形成することも考えられるが、板部材４２の前面に遊技領域４０ａが設けられる都合上、表示貫通口４２ａを大きくすると遊技領域４０ａを狭めてしまう不都合がある。従って、実施例の如く表示貫通口４２ａを装飾枠部材１００と相似形とするのが、遊技領域４０ａを確保する観点から好ましく、遊技領域４０ａを最大限に確保しつつ装飾枠部材を適切に取り付けることができる。
【００５０】
前記装飾枠部材１００は、枠延出部１０４に設けた位置決めボス１１２が裏ユニット５０側に設けた位置決め孔５２ａに嵌合する構成であるので、板部材４２の後側に配設される裏ユニット５０との間で装飾枠部材１００を位置決めすることができる。すなわち、装飾枠部材１００は、裏ユニット５０が設置された板部材４２に対して取り付ける場合に、枠延出部１０４と表示貫通口４２ａとの間に空間部１００ｂがあるが、位置決めボス１１２と位置決め孔５２ａとの嵌合により板部材４２に対する位置合わせが補助される。また、装飾枠部材１００を取り付けた板部材４２を裏ユニット５０に取り付ける場合は、位置決めボス１１２と位置決め孔５２ａとの嵌合により板部材４２と裏ユニット５０とを位置合わせすることができる。そして、遊技盤４０では、裏ユニット５０に配設される可動演出装置２００,４００、上部装飾ユニット３００や発光装置６００,６２０等の演出用の装置が装飾枠部材１００の窓口１００ａの内側に臨む構成であるが、位置決めボス１１２と位置決め孔５２ａとの嵌合により当該装置および窓口１００ａを適切に整合させることができる。
【００５１】
特に、上部装飾ユニット３００には、ユニット本体３０２の前側に設けられる動作体３２０が裏ユニット５０の壁部５４前端より前側に突出して(図１６参照)、装飾枠部材１００の窓口１００ａの内側に位置しており、位置ずれにより装飾枠部材１００とが干渉するおそれがある。しかしながら、ユニット本体３０２には、位置決め孔５２ａが設けられているので、位置決めボス１１２と位置決め孔５２ａとの嵌合による装飾枠部材１００への位置合わせ作用を好適に享受できる。
【００５２】
前記遊技盤４０は、パチンコ球を案内するステージ１２０および遊技領域４０ａからパチンコ球を取り込んでステージ１２０にパチンコ球を導くワープ通路１５０を装飾枠部材１００に備えている(図４または図３０参照)。ステージ１２０は、表示貫通口４２ａの内側に位置させて装飾枠部材１００における窓口１００ａの下部中央に設けられ、窓口１００ａの下縁をなす下縁部上面が遊技領域４０ａから取り込んだパチンコ球を左右の転動させる転動面として構成される。また、装飾枠部材１００は、ステージ１２０の後側に設けられて、ステージ１２０の転動面を転動するパチンコ球の裏ユニット５０側への落下を阻むカバー部材１７０を備えている(図４または図３０参照)。ワープ通路１５０は、装飾枠部材１００の左側部略中央に位置して遊技領域４０ａの左側部に臨ませて開口する球通入口１５１と、ステージ１２０の左側部に臨ませて開口する球通出口１５２とを有し(図３９参照)、装飾枠部材１００における窓口１００ａの左側縁に沿って設けられている(図３０参照)。
【００５３】
(ステージ)
前記ステージ１２０は、後側から前側に向かうにつれて下がるように形成された段部１２２,１２８,１３８を複数備えており、実施例では３段の段部１２２,１２８,１３８を有している(図３６または図３７参照)。ステージ１２０は、最下段(最前列)に位置する第１段部(段部)１２２の前縁を装飾枠部材１００の下辺前面を構成する枠飾り１０８の上端に突き合わせて、該前縁が遊技領域４０ａに臨むように設定されている。ステージ１２０は、第３段部１３８の後縁が表示貫通口４２ａを介して板部材４２の後側に突出しており、板部材４２の前面から裏ユニット５０の下辺部５４ｃに前側に設けた下部発光装置６００との間の前後の奥行きスペースを用いて設置されている(図８または図８６参照)。実施例のステージ１２０は、透明な合成樹脂製の成型品であって、後側に設置される下部発光装置６００を該ステージ１２０を介して視認可能になっている。そして、遊技盤４０では、ステージ１２０の後側に位置する下部発光装置６００によってステージ１２０の周りを発光演出し得るようになっている。
【００５４】
前記ステージ１２０は、ワープ通路１５０を介して遊技領域４０ａから取り込んだパチンコ球が、最上段に位置する第３段部１３８に到来するよう構成され、第１段部１２２と第３段部１３８との間に位置する第２段部(段部)１２８を介して第３段部１３８から第１段部１２２へパチンコ球が流下するようになっている(図３８参照)。なお、実施例では、ワープ通路１５０の球通出口１５２がステージ１２０における第３段部１３８の左縁部に開口している(図３７参照)。各段部１２２,１２８,１３８は、上面がパチンコ球の転動面１２３,１２９,１３９となり、転動面１２９,１３９の前縁に連設されて上下に延在する前壁部分が下側(前側)に隣り合う段部１２２,１２８の転動面１２３,１２９の後縁に繋がり、下側の転動面１２３,１２９の後側への移動を阻む壁となっている。なお、第３段部１３８の後側は、カバー部材１７０で塞がれている。各転動面１２３,１２９,１３９は、左右方向に長手が延在すると共に、前後方向の短手の幅が少なくともパチンコ球１個分以上に設定されている。実施例では、第２段部１２８における上面の前後幅が第１段部１２２および第３段部１３８の上面と比べて広く設定されている(図４４参照)。また、各転動面１２３,１２９,１３９は、前後方向において後側から前側に向けて僅かに傾けて形成されて、パチンコ球が下側の段部１２２,１２８に向けて最終的に流下するようになっている(図３６参照)。
【００５５】
前記ステージ１２０は、第１段部１２２の前面を枠延出部１０４の内側において基枠部１０２の後面に当接させると共に、第２段部１２８(最上段の段部より前側に位置する段部)の後縁下面に下方に向けて延出形成されたステージ固定片(ステージ取付部)１２１の夫々を(図３４,図４２,図４３または図４５参照)、基枠部１０２の後面に突設されたステージ固定ボス１１３に突き合わせて、ステージ固定片１２１を介してステージ固定ボス１１３にねじ止めすることで固定される(図３６参照)。ステージ固定ボス１１３は、基枠部１０２の後面に枠延出部１０４の内側に位置して設けられ、枠延出部１０４より後方へ突出するよう形成されている(図３３または図３４参照)。また、ステージ固定ボス１１３は、基枠部１０２の下辺部分に左右に離間して複数(実施例では３つ)設けられ、夫々のステージ固定ボス１１３は後方へ開口するねじ孔を有している。なお、基枠部１０２の後面には、中央部に位置するステージ固定ボス１１３の横側に隣り合って、後端にピンを有するステージ位置決めボス１１４が設けられている(図３３または図３４参照)。そして、ステージ１２０は、中央部のステージ固定ボス１１３に対応して設けたステージ固定片１２１に開口するピン孔に、ステージ位置決めボス１１４のピンを嵌合することで、ねじ止めに先立って装飾枠部材１００に対して位置決めを行うことができる。
【００５６】
前記ステージ１２０において、最下段に位置する第１段部１２２は、パチンコ球が転がる第１転動面１２３が左右の縁部より中央部が低くなるように形成されている(図３２または図３８参照)。実施例の第１転動面１２３は、各縁部から中央部に向けて急勾配で傾斜する外縁傾斜面１２３ａと、この外縁傾斜面１２３ａの内側に接続して該外縁傾斜面１２３ａより緩い勾配で中央部に向けて傾斜する内縁傾斜面１２３ｂと、この内縁傾斜面１２３ｂの内側に接続して該内縁傾斜面１２３ｂより急な勾配で中央部に向けて傾斜する中傾斜面１２３ｃと、この中傾斜面１２３ｃの内側に接続して該中傾斜面１２３ｃより緩い勾配で中央部に向けて傾斜するまたは水平な中央面１２３ｄとに区分される(図４４参照)。すなわち、第１転動面１２３は、パチンコ球が左右の縁部に近い部位から落下する程、中央部においてスピードがつくようになっている。なお、第１段部１２２は、第１転動面１２３における球通出口１５２側の左縁部と比べて右縁部が高くなるように形成されている(図４２参照)。
【００５７】
前記第１段部１２２は、第１転動面１２３の中央部にパチンコ球１個分以上の間隔で左右に離間するよう配置されると共に前後方向に延在するように設けられた一対の第１突起１２４,１２４を備えている(図４２または図４４参照)。各第１突起１２４は、第１転動面１２３の中央面１２３ｄから上方へ突出して、前面視で略三角形状の山形に形成されている(図４２参照)。各第１突起１２４は、頂部が第１転動面１２３を前後方向に横切るように形成され、該第１突起１２４の外側の傾斜面(右側に配置された第１突起１２４であれば右側の面)が第１転動面１２３における対応(右側)の中央面１２４ｄに接続されている。各第１突起１２４は、第１転動面１２３の左右の縁部より該第１突起１２４の上端が低くなるよう形成されている。第１突起１２４は、左右の縁部側から第１転動面１２３に沿って流下するパチンコ球が、その流下する勢いがよい場合(例えば、第１転動面１２３の外縁傾斜面１２３ａから中央部に向けてパチンコ球が流下する場合)に乗り越え可能で、流下する勢いがない場合(例えば、第１転動面１２３の中央面１２３ｄから中央部に向けてパチンコ球が流下する場合)にパチンコ球の転動を阻む壁となるよう構成される。なお、第１突起１２４は、中央面１２３ｄの接続端よりの突出寸法を、パチンコ球の半径以下に設定するのが望ましい。
【００５８】
前記第１段部１２２には、一対の第１突起１２４,１２４の間に第１ルート１２５が画成されている(図３８または図４４参照)。ここで、一対の第１突起１２４,１２４は、パチンコ球が２つ並ばない間隔で配置されており、実施例ではパチンコ球１個分の形状に合わせて、該第１突起１２４における互いに対向する内側の傾斜面が円弧状に形成されている(図４２参照)。また、第１ルート１２５は、後側から前側に向かうにつれて僅かに傾斜しており、実施例では、第１ルート１２５に到来したパチンコ球を左右の第１突起１２４,１２４で挟んで１個ずつ前側に案内するようになっている(図３８参照)。更に、第１ルート１２５は、遊技領域４０ａへの放出端(前端)が該遊技領域４０ａに設けられる上側の始動入賞口(入賞口)６０ｂの直上に配置されている。
【００５９】
前記第１段部１２２には、第１突起１２４における第１ルート１２５と反対の横側に、遊技領域４０ａに向かうパチンコ球の流下を許容する第１流下部１２６が設けられている(図３８,図４２または図４４参照)。すなわち、第１段部１２２には、右側の第１突起１２４の右横側および左側の第１突起１２４の左横側の夫々に第１流下部１２６が設けられる。また、第１段部１２２には、第１流下部１２６および第１ルート１２５の放出端を除く該第１転動面１２３の前縁に第１規制壁１２７が設けられている(図４４参照)。実施例の第１段部１２２では、第１転動面１２３における外縁傾斜面１２３ａおよび内縁傾斜面１２３ｂにかけて前縁に第１規制壁１２７が設けられて、第１規制壁１２７によって外縁傾斜面１２３ａおよび内縁傾斜面１２３ｂから遊技領域４０ａにパチンコ球が流下し難くなっている(図３８参照)。一方、第１段部１２２は、第１転動面１２３における中傾斜面１２３ｃおよび中央面１２３ｄにかけて開放されて、中傾斜面１２３ｃと第１突起１２４との間の中央面１２３ｄが第１流下部１２６となっている。ここで、実施例では、装飾枠部材１００において基枠部１０２の下辺より内側に突出する枠飾り１０８が第１転動面１２３における左右の外縁傾斜面１２３ａの前端に臨み、当該枠飾り１０８が第１規制壁１２７となり、内縁傾斜面１２３ｂの第１規制壁１２７が第１転動面１２３に一体形成されている(図３８参照)。
【００６０】
前記第１段部１２２の後側に位置する第２段部１２８は、第１段部１２２と同様に、パチンコ球が転がる第２転動面１２９が左右の縁部より中央部が低くなるように形成されている(図３８参照)。実施例の第２転動面１２９は、各縁部から中央部に向けて急勾配で傾斜する外縁傾斜面１２９ａと、この外縁傾斜面１２９ａの内側に接続して該外縁傾斜面１２９ａより緩い勾配で中央部に向けて傾斜する内縁傾斜面１２９ｂと、この内縁傾斜面１２９ｂの内側に接続して該内縁傾斜面１２９ｂより急な勾配で中央部に向けて傾斜する中傾斜面１２９ｃと、この中傾斜面１２９ｃの内側に接続して該中傾斜面１２９ｃより緩い勾配で中央部に向けて傾斜するまたは水平な中央面１２９ｄとに区分される(図４４参照)。ステージ１２０は、第２転動面１２９の外縁傾斜面１２９ａと第１転動面１２３の外縁傾斜面１２３ａとが面一になっているのを除き、第２転動面１２９が第１転動面１２３より基本的に高くなるよう設定されている(図３８参照)。また、第２転動面１２９は、パチンコ球が左右の縁部に近い部位から落下する程、中央部においてスピードがつくように構成される。なお、第２段部１２８は、第２転動面１２９における球通出口１５２側の左縁部と比べて右縁部が高くなるように形成されている。
【００６１】
前記第２段部１２８は、第２転動面１２９の中央部に第１突起１２４の夫々の後側に連続して形成されて前後方向に延在する一対の第２突起１３０,１３０を備えている(図４４参照)。すなわち、一対の第２突起１３０は、第２転動面１２９の中央部にパチンコ球１個分以上の間隔で左右に離間するよう配置されている。実施例において、一対の第２突起１３０,１３０は、パチンコ球が２つ並ばない間隔で配置されている。各第２突起１３０は、第２転動面１２９から上方へ突出して、前面視で略三角形状の山形に形成されている。各第２突起１３０は、頂部が第２転動面１２９を前後方向に横切るように形成され、該第２突起１３０の外側の傾斜面(右側に配置された第２突起であれば右側の面)が第２転動面１２９における対応(右側)の中央面１２９ｄに接続されている。各第２突起１３０は、第２転動面１２９の左右の縁部より該第２突起１３０の上端が低くなるよう形成されている。各第２突起１３０は、第２転動面１２９からの突出高さが後側から前側に向かうにつれて大きくなるように形成されており、実施例の第２段部１２８では、第２転動面１２９が後側から前側に向かうにつれて下方傾斜しているので、第２突起１３０の頂部の位置が略水平になっている(図３６参照)。第１突起１２４は、第１転動面１２３からの突出高さが第２突起１３０の第２転動面１２９からの突出高さより高く設定されており、実施例では、第１突起１２４が第２突起１３０の接続端(後端)から前側に向かうにつれて上方傾斜するように高くなっている(図３６参照)。なお、第２突起１３０は、中央面１２９ｄの接続端よりの突出寸法を、パチンコ球の半径より小さく設定するのが望ましい。
【００６２】
前記第２突起１３０は、左右の縁部側から第２転動面１２９に沿って流下するパチンコ球が、その流下する勢いによって(例えば、第２転動面１２９の外縁傾斜面１２９ａから中央部に向けてパチンコ球が流下する場合)に乗り越え可能で、流下する勢いがない場合(例えば、第２転動面１２９の中央面１２９ｄから中央部に向けてパチンコ球が流下する場合)にパチンコ球の転動を阻む壁となるよう構成される。ここで、第２突起１３０は、第２転動面１２９からの突出高さを第１突起１２４における第１転動面１２３からの突出高さより低く形成して、第１突起１２４よりパチンコ球が乗り越える確率が高くなるよう設定される(図３６参照)。また、第２突起１３０は、第２転動面１２９からの突出高さが後側から前側に向かうにつれて大きくなっているので、第２転動面１２９の前後方向に何れの領域をパチンコ球が通るかによっても、第２突起１３０を乗り越える確率が変わるように構成される。すなわち、第２転動面１２９では、後側の領域になる程、第２突起１３０を乗り越えやすくなっている。
【００６３】
前記第２段部１２８には、一対の第２突起１３０,１３０の間に第２ルート１３１が画成され、この第２ルート１３１の放出端(前端)は第１ルート１２５の後端に接続している(図４４参照)。また、第２ルート１３１は、後側から前側に向かうにつれて僅かに傾斜しており、実施例では、第２ルート１３１に到来したパチンコ球を左右の第２突起１３０,１３０で挟んで１個ずつ前側に案内するようになっている。
【００６４】
前記第２段部１２８は、第２転動面１２９における左右の縁部の夫々に設けられ、前側の第１段部１２２に向かうパチンコ球の流下を許容する第２横流下部１３２と、第２転動面１２９の中央部において第２突起１３０における第２ルート１３１と反対の横側に設けられ、前側の第１段部１２２に向かうパチンコ球の流下を許容する第２中流下部１３３とを有している(図３８または図４４参照)。第２段部１２８では、第２転動面１２９における外縁傾斜面１２９ａと内縁傾斜面１２９ｂとの間に第２横流下部１３２が設けられている。第２横流下部１３２は、第２転動面１２９における外縁傾斜面１２９ａと内縁傾斜面１２９ｂとの間の部位を該第２転動面１２９の前後に亘って凹ませて形成されている(図３８参照)。実施例の第２横流下部１３２は、その左右の幅がパチンコ球１個分以上で、かつパチンコ球が２つ並ばない寸法に設定されている。
【００６５】
前記第２段部１２８には、第１転動面１２３の外縁傾斜面１２３ａと面一な外縁傾斜面１２９ａ、第２中流下部１３３、第２ルート１３１の放出端および第２横流下部１３２を除く該第２転動面１２９の前部に第２規制壁１３４が設けられている(図３８または図４４参照)。実施例の第２段部１２８では、第２転動面１２９における内縁傾斜面１２９ｂおよび中傾斜面１２９ｃにかけて前部に第２規制壁１３４が設けられて、第２規制壁１３４によって内縁傾斜面１２９ｂおよび中傾斜面１２９ｃから第１段部１２２にパチンコ球が流下し難くなっている。一方、第２段部１２８は、第２転動面１２９における第２突起１３０の横側に位置する中央面１２９ｄの前側が開放されて、中傾斜面１２９ｃと第２突起１３０との間の中央面１２９ｄが第２中流下部１３３となっている。第２段部１２８は、第２転動面１２９における内縁傾斜面１２９ｂの第２規制壁１３４を、該内縁傾斜面１２９ｂの前縁より後側に離間した部位に立設して、該第２規制壁１３４により内縁傾斜面１２９ｂの前後幅が狭くなるように形成してある(図４４参照)。これに対して、第２段部１２８は、第２転動面１２９における中傾斜面１２９ｃの第２規制壁１３４を、該中傾斜面１２９ｃの前端に立設しており、中傾斜面１２９ｃの前後幅全体をパチンコ球の転動スペースとして用いることが可能である。なお、第１規制壁１２７および第２規制壁１３４は、対応の転動面１２３,１２９からの突出寸法がパチンコ球の半径より小さく設定されており、パチンコ球の勢いによっては当該規制壁１２７,１３４を乗り越えることができるようになっている。
【００６６】
前記第２転動面１２９には、凹設された第２横流下部１３２における中央部側の側縁に第２規制壁１３４より低く形成された転動規制片(規制片)１３５が設けられている(図４４参照)。転動規制片１３５は、第２転動面１２９の内縁傾斜面１２９ｂにおける第２横流下部１３２との接続部位に、前後方向に亘って突出形成され、転動規制片１３５により第２転動面１２９の左右の縁部から中央側へのパチンコ球の移動確率を調節している。
【００６７】
前記第２転動面１２９には、左右方向に延在する転動案内片(案内片)１３６が前後方向に並べて複数(実施例では３本)突設されている(図４４参照)。実施例の第２転動面１２９では、転動案内片１３６が第２転動面１２９における中傾斜面１２９ｃから中央面１２９ｄの一部にかけて設けられ、各転動案内片１３６が該中傾斜面１２９ｃの前縁に設けた第２規制壁１３４より低く(中傾斜面１２９ｃからの突出寸法が小さく)なるよう形成される。実施例では、最前列に位置する案内片１３６が、内縁傾斜面１２９ｂの前端部に設けられる第２規制壁１３４に連なっており、第３段部１３８との離間幅がパチンコ球１個分に設定された内縁傾斜面１２９ｂの第２規制壁１３４によって案内されたパチンコ球が案内片１３６に受け渡されるようになっている。前後に離間して並列する複数の転動案内片１３６は、中傾斜面１２９ｃ側の端縁が前側より後側に配置された転動案内片１３６ほど外側(第２転動面１２９の右側に設けられる転動案内片１３６であれば右側)に位置し、中央面１２９ｄ側の端縁が前側より後側に配置された転動案内片１３６ほど外側(第２転動面１２９の右側に設けられる転動案内片１３６であれば左側)に位置するよう形成される(図４４参照)。
【００６８】
前記第２段部１２８の後側に位置する第３段部１３８は、パチンコ球が転がる第３転動面１３９が左右の縁部より内側に向かうにつれて下方傾斜してから、更に中央部に向かうにつれて凸になるよう湾曲形成されている(図３８参照)。第３転動面１３９は、中央部の凸面の頂部が左右の縁部上端より低く設定されており、左縁部の上端に後側に向けて開口するワープ通路１５０の球通出口１５２からパチンコ球を受け取るようになっている。第３段部１３８には、第２ルート１３１、第２中流下部１３３および第２横流下部１３２の後側から外れた位置に、該第２段部１２８へのパチンコ球の流下を許容する第３流下部１４０が設けられ、該第３流下部１４０を除く該第３転動面１３９の前縁に第３規制壁１４１が設けられている。実施例の第３段部１３８は、第３転動面１３９における左右の縁部の傾斜面が凸面に変曲する部位の夫々に第３流下部１４０が設けられ、第２転動面１２９における第２横流下部１３２と中傾斜面１２９ｃとの間に位置する内縁傾斜面１２９ｂに第３流下部１４０の放出端が臨んでいる。また、第３規制壁１４１は、第３転動面１３９における左右の縁部の傾斜面および凸面の前端に突出形成されている。なお、第３規制壁１４１は、第３転動面１３９からの突出寸法がパチンコ球の半径より小さく設定されており、パチンコ球の勢いによっては当該規制壁１４１を乗り越えることができるようになっている。
【００６９】
このように、ステージ１２０には、装飾枠部材１００の左側部に開口する球通入口１５１からワープ通路１５０を介して、または装飾枠部材１００の取入部１１０を介して、遊技領域４０ａからパチンコ球が導入されるようになっている。ワープ通路１５０で案内されたパチンコ球は、ステージ１２０における第３転動面１３９の左縁部に後側に開口する球通出口１５２から放出され、下球ガイド片１７９によって第３転動面を右方に転動するように案内される(図３９参照)。第３転動面１３９で左右に転動するパチンコ球は、当該第３転動面１３９で低くなっている部位である第３流下部１４０を介して第２段部１２８の第２転動面１２９における内縁傾斜面１２９ｂに流下する(図３８参照)。なお、第３転動面１３９には、第３流下部１４０を除く前縁に第３規制壁１４１が立設されているので、第３流下部１４０以外からパチンコ球が流下し難く、パチンコ球を第３転動面１３９で長く転動させることができる。また、第３段部１３８は、第３流下部１４０を第２ルート１３１、第２中流下部１３３や第２横流下部１３２とずらして配置してあるので、第３流下部１４０から流下するパチンコ球が第２段部１２８の第２転動面１２９を左右に転動することなく、第２ルート１３１、第２中流下部１３３や第２横流下部１３２から下段へ流下するのを抑制することができる。
【００７０】
前記第２転動面１２９の内縁傾斜面１２９ｂは、前部に第２規制壁１３４が立設されており、また比較的緩勾配に設定してあるので、パチンコ球は中央部側または外側の何れかに振り分けて転動される(図３８参照)。パチンコ球は、第２転動面１２９の内縁傾斜面１２９ｂで中央部側に振り分けられた場合、比較的急勾配の中傾斜面１２９ｃで付勢されて該第２転動面１２９を左右に転動する。ここで、第２転動面１２９は、中央部に立設した第２突起１３０が低く設定されているので、第２転動面１２９を左右に転動するパチンコ球が第２突起１３０を乗り越える可能性が高く、一対の第２突起１３０,１３０の間で左右方向への移動力を失った場合にパチンコ球が第２ルート１３１を介して第１ルート１２５に案内される。また、第２転動面１２９の中央面１２９ｄで第２突起１３０を乗り越えることができなかったパチンコ球は、第２突起１３０の横側の第２中流下部１３３から第１転動面１２３の中央面１２３ｄに流下する。このように、第２転動面１２９は、第１転動面１２３に流下するパチンコ球の道筋として、第２横流下部１３２、第２中流下部１３３または第２ルート１３１に代表される複数の経路を有してるので、第２転動面１２９におけるパチンコ球の動きに長く興味を引くことができる。また、第２段部１２８では、第２規制壁１３４によって第２ルート１３１、第２中流下部１３３や第２横流下部１３２以外の部分からパチンコ球が流下するのを抑制でき、第２転動面１２９でパチンコ球をより長く転動させることができる。
【００７１】
前記第２転動面１２９の中傾斜面１２９ｃでは、前後に並列配置した転動案内片１３６の間にパチンコ球の一部が嵌ることによって左右方向に案内しているので、パチンコ球の前後方向への移動が抑えられ、第２転動面１２９でパチンコ球を比較的長く保持することができる。また、第２転動面１２９の内縁傾斜面１２９ｂおよび中傾斜面１２９ｃに設けられる第２規制壁１３４は、第２転動面１２９の後壁をなす第３段部１３８の前面からパチンコ球略１個分の離間間隔に設定されているので、パチンコ球を第２転動面１２９の中央面１２９ｄの後側領域に偏倚して転動するように案内している。しかも、複数の転動案内片１３６は、前側に位置するもの程、中央部側に長く延びているので、中傾斜面１２９ｃを転動するパチンコ球は複数の転動案内片１３６によって後側へ向けて案内される。そして、第２突起１３０は、前側から後側に向かうにつれて低くなるように設定されているので、第２転動面１２９の後側領域を転動するパチンコ球は第２突起１３０を乗り越え易く、パチンコ球をより長い時間に亘って第２転動面１２９で転動させることが可能になる。このように、第２転動面１２９は、始動入賞口６０ｂへの入賞確率が高い第１ルート１２５に導く第２ルート１３１を設けて入賞への期待感を保持しつつ、パチンコ球を左右に比較的長く転動させることができ、パチンコ球の動きによる興趣を長く保つことができる。
【００７２】
一方、パチンコ球は、第２転動面１２９の内縁傾斜面１２９ｂで外側に振り分けられた場合、第２横流下部１３２から第１転動面１２３の内縁傾斜面１２３ｂに流下したり、第２横流下部１３２を越えて外縁傾斜面１２９ａに転動する(図３８参照)。ここで、第２転動面１２９では、第２横流下部１３２の側縁に設けた転動規制片１３５によって第２横流下部１３２で案内するパチンコ球の割合を調整している。すなわち、第２転動面１２９の内縁傾斜面１２９ｂ側から外側へパチンコ球が転動する場合は、転動規制片１３５を乗り越える必要があるので、転動規制片１３５に阻まれて中央部側に向けて案内されるパチンコ球の割合が大きくなる。これに対して、第２転動面１２９の外縁傾斜面１２９ａ側から中央部側へパチンコ球が転動する場合は、凹状の第２横流下部１３２を通過して更に転動規制片１３５を乗り越える必要があるので、パチンコ球が第２横流下部１３２に案内される割合が大きくなる。
【００７３】
前記第２横流下部１３２から第１転動面１２３の内縁傾斜面１２３ｂに到来したパチンコ球は、該内縁傾斜面１２３ｂの傾斜に沿って中央部側に案内されて比較的急勾配の中傾斜面１２３ｃで付勢される(図３８参照)。第１突起１２４は、第２突起１３０より高く設定されていて第２突起１３０より乗り越える可能性が低いが、パチンコ球の勢いによっては乗り越え可能に設定してあり、第２突起１３０より高く設定されているが故に一対の第１突起１２４,１２４の間に画成される第１ルート１２５に入ったパチンコ球を、第２ルート１３１より高い確率で放出端に向けて案内することができる。そして、ステージ１２０を転動したパチンコ球が第１ルート１２５に入れば、図柄変動ゲームの契機になる始動入賞口６０ｂの直上からパチンコ球を放出し得るようになっている。
【００７４】
前記第１転動面１２３には、第１流下部１２６および第１ルート１２５を除く前縁に第１規制壁１２７が立設されているので、第１流下部１２６および第１ルート１２５以外からパチンコ球が流下し難く、第１転動面１２３の左右の縁部に到来したパチンコ球を第１規制壁１２７により第１ルート１２５に向けて案内でき、パチンコ球を第１転動面１２３で長く転動させることができる。また、第１転動面１２３には、第１ルート１２５だけでなく、第１ルート１２５の隣に第１流下部１２６を設けてあるので、第１転動面１２３から遊技領域４０ａへ流下するパチンコ球の道筋として、第１流下部１２６および第１ルート１２５に代表される複数の経路を有してるので、パチンコ球の動きに変化を与えることができ、第１転動面１２３におけるパチンコ球の動きに長く興味を引くことができる。しかも、ステージ１２０は、第１転動面１２３の外縁傾斜面１２３ａと第２転動面１２９の外縁傾斜面１２９ａとが面一に形成されているので、外縁傾斜面１２３ａ,１２９ａを介して第１転動面１２３から第２転動面１２９にパチンコ球が戻ることもあり、ステージ１２０でより長くパチンコ球を保持することができる。
【００７５】
このように、前記ステージ１２０は、３つの段部１２２,１２８,１３８で構成されているが、途中の段部１２８,１３８(第２および第３段部)に、遊技領域４０ａに直接繋がる放出口が設けられていないので、ステージ１２０に到来したパチンコ球は、最下段の第１段部１２２に基本的に到来させることができる。また、パチンコ球は、各段部１２２,１２８,１３８の転動面１２３,１２９,１３９のどの道筋を通っても、始動入賞口６０ｂから大幅に離れた部位でステージ１２０から遊技領域４０ａに放出されることがなく、最下段の第１段部１２２において中央部に設けられて始動入賞口６０ｂの直上に位置する第１ルート１２５または第１ルート１２５の隣に位置して始動入賞口６０ｂの直上から僅かに外れた第１流下部１２６に向けて案内される。すなわち、ステージ１２０は、遊技領域４０ａから取り込んだパチンコ球を長く保持できるので、遊技者の注意を長い間引き付けることができる。また、最下段の第１段部１２２の第１転動面１２３のどの位置にパチンコ球が入っても第１ルート１２５近傍へ向けて案内されるので、パチンコ球の始動入賞口６０ｂへの入賞の期待を長く持続させることができる。ステージ１２０は、第２段部１２８の第２転動面１２９でパチンコ球が中央側でなく側方に転動して第２横流下部１３２から第１段部１２２の第１転動面１２３に流下した場合に、第２横流下部１３２からパチンコ球を受け取る第１転動面１２３の内縁傾斜面１２３ｂが第１突起１２４より高く設定されているので、内縁傾斜面１２３ｂから流下するパチンコ球が第１突起１２４を乗り越える確率が高くなっている。よって、ステージ１２０は、パチンコ球が中央側ではなく側方へ転動したとしても必ずしも不利になる訳ではなく、第１ルート１２５に入る可能性が高くなる場合もあるので、遊技者の入賞への期待感をより長く持続することができる。
【００７６】
しかも、第２段部１２８では、第２ルート１３１を画成する第２突起１３０,１３０が低く形成されているので、該第２突起１３０,１３０にあまり邪魔されることなく、第２段部１２８の第２転動面１２９でパチンコ球を長く転動させることができる。そして、第１ルート１２５に入ったパチンコ球は、両側の第１突起１２４,１２４が高く形成されているので、始動入賞口６０ｂへ向けて適切に案内される。更に、第１ルート１２５と第２ルート１３１とでパチンコ球を前側へ案内する確率が異なるように設定してあるので、より遊技者の注意を引き付けることができる。更にまた、ステージ１２０およびカバー部材１７０が光を透過するので下部発光装置の発光によりステージ１２０を転動するパチンコ球を光により演出でき、遊技者が注視するポイントの１つになっているステージ１２０で転動するパチンコ球の動きを強調し得る。
【００７７】
(カバー部材)
前記カバー部材１７０は、装飾枠部材１００の窓口１００ａの内側に設けられて、ワープ通路１５０または取入部１１０を介してステージ１２０側に転入するパチンコ球の表示部４１側への移動を規制して、パチンコ球が裏ユニット５０側に落下しないように区画している(図３０または図３２参照)。カバー部材１７０は、装飾枠部材１００における窓口１００ａの下部領域を覆ってステージ１２０における第３転動面１３９の後側を塞ぐ区画壁部(後壁部)１７２と、この区画壁部１７２の表示部４１側の端縁(内縁)に前側へ延出するように設けられた庇壁部１７４とを備えている(図３６または図３７参照)。なお、実施例のカバー部材１７０は、透明な樹脂成型品であって、該カバー部材１７０の後側に配設される下部発光装置６００による発光演出や表示部４１で行われる表示演出が該カバー部材１７０を介して視認可能に構成される。また、実施例のカバー部材１７０では、区画壁部１７２と庇壁部１７４とが一体形成されている。
【００７８】
前記区画壁部１７２は、窓口１００ａの下部領域を覆う板状部分であって、ステージ１２０の上部およびステージの後側に対応する部位に、後側に向けてへ凹むように形成されたカバー凹部１７３を有している(図４０参照)。なお、カバー凹部１７３は、上面がステージ１２０の第１ルート１２５に対応する位置が頂部になる山形に形成されている(図３０参照)。
【００７９】
前記庇壁部１７４は、装飾枠部材１００の窓口１００ａ下縁から上方に離間してステージ１２０の上側に延在する部位と、装飾枠部材１００の窓口１００ａ左側縁に沿って設けられたワープ通路１５０の表示部４１側に沿わせて延在する部位とを有している(図３０参照)。実施例の庇壁部１７４は、ステージ１２０の上側に延在する部位とワープ通路１５０に沿う部位とが連ねて形成されている。ワープ通路１５０は、装飾枠部材１００の表示部４１側に設けられ、前面が取入部１１０と同じまたは後側に延在するよう構成されて取入部１１０の一部をなし、球通入口１５１の下側から遊技領域４０ａから取り込んだパチンコ球をワープ通路１５０の前面を介してステージ１２０側に取り込むことができる。また、庇壁部１７４は、前縁が装飾枠部材１００の庇状部１０６の前面に合わせて配置して前後方向に延在し、遊技領域４０ａ側と裏ユニット５０側とを仕切るよう構成されている。
【００８０】
前記カバー部材１７０は、ステージ１２０の第３段部１３８をカバー凹部１７３に収容して該第３段部１３８の後面に該カバー凹部１７３の前面を当接させると共に、カバー凹部１７３の前面における第３段部１３８の第３転動面１３９より下側に延出した部位を基枠部１０２の後面に突設されたカバー固定ボス１１５に突き合わせて、カバー凹部１７３を介してカバー固定ボス１１５にねじ止めすることで固定される(図３３または図３４参照)。カバー固定ボス１１５は、基枠部１０２の後面に枠延出部１０４の内側に位置して設けられ、枠延出部１０４およびステージ固定ボス１１３より後方へ突出するよう形成されている(図３５参照)。また、カバー固定ボス１１５は、基枠部１０２の下辺部分に左右に離間して複数(実施例では３つ)設けられ、夫々のカバー固定ボス１１５は後方へ開口するねじ孔を有している。なお、ステージ１２０は、第３段部１３８の後面に後方へ突出する位置決めピン１４２が左右に離間して設けられ(図４４参照)、カバー部材１７０を装飾枠部材１００に取り付けた際に、カバー部材１７０のカバー凹部１７３に設けられたピン孔１７３ａ(図４６参照)が位置決めピン１４２に嵌合して両者の位置決めがなされる。そして、カバー部材１７０は、カバー凹部１７３の上面が第３段部１３８の第３転動面１３９の上側に延在すると共に、第３転動面１３９より上側に延在するカバー凹部１７３の縦面が第３転動面１３９の後側を仕切り、カバー凹部１７３の右側面が各段部１２２,１２８,１３８の右縁部に当接して第１〜第３転動面１２３,１２９,１３９の右縁部を仕切るようになっている。
【００８１】
(ワープ通路)
前記ワープ通路１５０は、装飾枠部材１００と、通路本体１５４と、カバー部材１７０の一部とによってパチンコ球を案内可能な通り道として画成されている(図３９参照)。より具体的には、ワープ通路１５０は、装飾枠部材１００における表示部４１側に面する内壁と、この内壁に対向する横通路壁部１５６およびこの横通路壁部１５６の前縁から該内壁に亘って延在する前通路壁部１５８とを有する通路本体１５４と、カバー部材１７０に設けられ、横通路壁部１５６の後縁から内壁に亘って塞ぐ後通路壁部１７６とから構成される(図３７,図４０または図４１参照)。ここで、実施例において、ワープ通路１５０の左側面を構成する装飾枠部材１００の内壁とは、基枠部１０２の後面から後方に延出する枠延出部１０４であって、ワープ通路１５０に対応する左側部下半分は、基枠部１０２の内縁に沿って枠延出部１０４が設けられている。
【００８２】
前記通路本体１５４は、ワープ通路１５０の右側面を構成する横通路壁部１５６と、ワープ通路１５０の前面を構成する前通路壁部１５８とからなる断面略Ｌ字形状を基本として、上端部に装飾枠部材１００における基枠部１０２の前側に設置されて遊技領域４０ａに臨む球通入口１５１を画成する入口部１６０と、下端部にステージ１２０の左側部に設置されて第３段部１３８の第３転動面１３９に臨む球通出口１５２を画成する出口部１６２とを備えている(図３９または図５０〜図５３参照)。通路本体１５４は、横通路壁部１５６がパチンコ球１個分以上でかつ２個並ばない間隔で枠延出部１０４より離間し、枠延出部１０４におおよそ並行して湾曲形成されている。また、通路本体１５４は、前通路壁部１５８の左縁を枠延出部１０４の前端に突き合わせて設置され、前通路壁部１５８の前面と基枠部１０２の前面とが面一または略面一になっている。なお、本願において「略」という表現は、パチンコ球が流下する部位にあっては、パチンコ球が引っ掛かることなく流下可能な段差を許容する意味である。
【００８３】
前記通路本体１５４の入口部１６０は、横通路壁部１５６および前通路壁部１５８とからなる断面Ｌ字状の基本部分上端に設けられ、前側に隆起するように形成されて後側に開口する樋状部分である(図５２または図５３参照)。入口部１６０は、基本部分から左側に延出する部位が基枠部１０２の前面に当接することで、左側の開放端に球通入口１５１が画成されると共に、球通入口１５１から基枠部１０２の前側を通って基枠部１０２の内側において後側に向けてパチンコ球を導く通り道を画成している(図３９参照)。ここで、入口部１６０は、球通入口１５１の上側に位置して基枠部１０２の左側部上側に取り付けられる庇状部１０６から下方に延出して基枠部１０２より前側に離間する庇挟持片１１６と基枠部１０２との間に挟持される(図３２または図３５参照)。
【００８４】
前記通路本体１５４の出口部１６２は、横通路壁部１５６および前通路壁部１５８とからなる断面Ｌ字状の基本部分下端に設けられ、該下端を塞ぐ閉塞面１６２ａと、前通路壁部１５８および出口閉塞面１６２ａに連ねて横通路壁部１５６に対向して設けられ、ステージ１２０の第３段部１３８の前面に当接する出口案内面１６２ｂとを備えている(図５１または図５３参照)。出口部１６２の出口閉塞面１６２ａは、横通路壁部１５６および出口案内面１６２ｂより後側に延出するよう形成されている(図５３参照)。出口部１６２は、出口閉塞面１６２ａがカバー部材１７０のカバー凹部１７３に挿入されて、ステージ１２０における第１段部１２２および第２段部１２８の左側面を仕切ると共に、該出口閉塞面１６２ａ、出口案内面１６２ｂ、横通路壁部１５６およびカバー凹部１７３の左側面とにより第３段部１３８における第３転動面１３９の左側部に臨む球通出口１５２が画成される(図３７または図３９参照)。また、出口部１６２は、基枠部１０２の前面に取り付けられた枠飾り１０８とステージ１２０における第３段部１３８の前面との間に挟持される。ここで、出口部１６２には、出口案内面１６２ｂの後縁部にピン孔１６２ｃが設けられ(図５０または図５１参照)、該ピン孔１６２ｃと第３段部１３８の前面に突設された位置決めピン１４３(図４２または図４４参照)とが嵌合して、互いに位置決めされる。このように、通路本体１５４は、装飾枠部材１００を構成する基枠部１０２および庇状部１０６で上部が保持されると共に、基枠部１０２に取り付けられる枠飾り１０８とこの基枠部１０２に取り付けられるステージ１２０で下部が装飾枠部材１００に対して保持される。
【００８５】
前記後通路壁部１７６は、装飾枠部材１００における左側部下半分の内壁に合わせて設けられる庇壁部１７４の後縁に連ねて、区画壁部１７２の左側に一体形成されている(図４６または図４７参照)。後通路壁部１７６は、横通路壁部１５６の後端および枠延出部１０４の後端に当接させて、枠延出部１０４の外側に位置して基枠部１０２の後面から突設した通路固定ボス１１７のねじ孔に対してねじ止め固定される(図３３または図３４参照)。なお、通路本体１５４およびカバー部材１７０は、表示部４１の表示演出およびワープ通路１５０を流下するパチンコ球を透かして視認可能な透明または半透明に形成されており、実施例では透明な合成樹脂の成形品である。
【００８６】
前記カバー部材１７０は、後通路壁部１７６の上端前面に立設され、上から下に向かうにつれて後方へ偏倚するように傾斜する上球ガイド片１７８と、カバー凹部１７３の左側面に立設され、左から右に向かうにつれて後方へ偏倚するように傾斜する下球ガイド片１７９とを備えている(図４６参照)。上球ガイド片１７８は、パチンコ球の通路の略中央に位置するように一本設けられ、下球ガイド片１７９は、上下に離間して複数(実施例では２本)設けられている。上球ガイド片１７８は、前側の入口部１６０から後側へ向けて通入するパチンコ球を下側に向けて案内している(図３９参照)。これに対して、下球ガイド片１７９は、球通出口１５２から後側に向けて第３転動面１３９に放出されたパチンコ球を右側(ステージ１２０の中央側)に向けて案内している(図３７または図３９参照)。
【００８７】
前記遊技盤４０は、装飾枠部材１００の左側部略中央に位置する球通入口１５１より下側に庇状部１０６を設けず、遊技盤面と略同一面となるように設定した取入部１１０を介して遊技領域４０ａからステージ１２０にパチンコ球を取り込むことができるようになっている。また、遊技盤４０では、装飾枠部材１００の取入部１１０を構成する面とワープ通路１５０の前面とが略同一面を構成しており、ワープ通路１５０の前面も取入部１１０として機能している。このように、遊技盤４０は、ワープ通路１５０を介しての道筋だけでなく、遊技領域４０ａに大きく開口した取入部１１０を介してもステージ１２０にパチンコ球を導くことができ、より多くのパチンコ球をステージ１２０で転動させることができる。
【００８８】
前記遊技盤４０は、ワープ通路１５０に沿って庇壁部１７４で表示部４１側と遊技領域４０ａ側とが仕切られているので、ワープ通路１５０の前側を介してパチンコ球をステージに導入しても、表示部４１側にパチンコ球が飛び込むことがない。また、ワープ通路１５０の側方に位置する庇壁部１７４にぶつかったパチンコ球は、下方へ案内されることになり、より多くのパチンコ球を下側に位置するステージ１２０に案内することで、遊技者の期待感を高めることができる。すなわち、遊技盤４０は、取入部１１０を設けてステージ１２０へのパチンコ球の導入確率を高めても、ワープ通路１５０の表示部４１側に沿って庇壁部１７４が設けられているので、表示部４１側へのパチンコ球の落下を防止できる。更に、遊技盤４０は、ステージ１２０における転動面１２３,１２９,１３９の上方も、該ステージ１２０の後側を塞ぐ区画壁部１７２より庇状に張り出した庇壁部１７４によって塞がれるので、ステージ１２０に導入した後であっても表示部４１側へのパチンコ球の飛び込みをより適切に防止できる。なお、カバー部材１７０において、ワープ通路１５０の側方に延在する庇壁部１７４の部分とステージの上方に延在する庇壁部１７４の部分とが一体形成されると共に、ステージ１２０の後側を覆う区画壁部１７２、ワープ通路１５０の後面をなす後通路壁部１７６および庇壁部１７４を一体形成することで、組み付け手間を軽減することができる。また、カバー部材１７０は、区画壁部１７２(後通路壁部１７６)に交差して延在する庇壁部１７４がリブとして機能するので、全体として剛性を向上することができる。カバー部材１７０は、装飾枠部材１００の左側辺から該装飾枠部材１００の右下部の屈曲部位までの広い範囲に亘って設けられているので、カバー部材１７０により装飾枠部材１００の下辺部分の補強が図られる。
【００８９】
前記ワープ通路１５０は、簡易な構成の通路本体１５４と、装飾枠部材１００の内壁をなす枠延出部１０４と、表示部４１側のパチンコ球の流入を阻むカバー部材１７０の一部である後通路壁部１７６とで構成しているので、ステージ１２０の周りに必然的に配置される装飾枠部材１００およびカバー部材１７０の一部をワープ通路１５０として兼用することで、装飾枠部材１００の表示部４１側に設けられるワープ通路１５０を省スペース化することができる。ワープ通路１５０を複数の部材から構成することで、合成樹脂の成型品である通路本体１５４、基枠部１０２(枠延出部１０４)およびカバー部材１７０におけるワープ通路１５０を構成する部位の構成が簡単になり、成形が容易で、コストを低減することができる。また、ワープ通路１５０を構成する通路本体１５４は、装飾枠部材１００およびステージ１２０で挟持保持される構成であるので、通路本体１５４を固定するためのねじ止め部分や引っ掛け部分等を最小限に抑えることができ、ワープ通路１５０をより省スペース化することができる。しかも、遊技領域４０ａからパチンコ球を取り込む球通入口１５１を画成する入口部１６０およびステージ１２０にパチンコ球を放出する球通出口１５２を画成する出口部１６２を挟持保持する構成であるので、遊技領域４０ａやステージ１２０に対する位置ずれを抑制でき、パチンコ球を適切に案内することができる。
【００９０】
前記ステージ１２０は、最下段の第１段部１２２の前面を基枠部１０２の後面に当接すると共に、第２段部１２８の下方に設けられたステージ固定片１２１を、基枠部１０２の後面に突設されたステージ固定ボス１１３に当接させて、該ステージ固定片１２１を介してステージ固定ボス１１３にネジ止め固定される。また、カバー部材１７０は、最上段の第３段部１３８の後面に当接すると共に、装飾枠部材１００の基枠部１０２の後面に突設されたカバー固定ボス１１５に当接させて、当該当接部位を介してカバー固定ボスにネジ止め固定される。このように、ステージ１２０およびカバー部材１７０は、装飾枠部材１１０を基準として、適切に位置決めされている。なお、通路本体１５４およびカバー部材１７０が、表示部４１の表示演出を透かして視認可能な透明(実施例)または半透明に形成されているので、ワープ通路１５０を流通するパチンコ球の動きを前から視認することができると共に、表示部４１での表示演出への影響を抑制することができる。
【００９１】
(上部可動演出装置)
図５８〜図６８に示すように、前記上部可動演出装置２００は、単数または複数の上部可動体(可動体)２２０と、この上部可動体２２０を動作させる１基の上部駆動機構(駆動機構)２７０とを備えている。実施例の上部可動演出装置２００は、２基の上部可動体２２０,２２０を備えており、これらの上部可動体２２０,２２０は、上部駆動機構２７０が配設される上部ベース体２０２に支持されている(図５８参照)。上部可動演出装置２００は、遊技盤４０の中央部に略矩形状に画成される表示部４１の左上角隅部外側に上部ベース体２０２が設置され、上部ベース体２０２に配設された上部駆動機構２７０が表示部４１の左上角隅部外側に配置されると共に、上部ベース体２０２に支持されて該上部ベース体２０２から延出する２基の上部可動体２２０,２２０が、左上角隅部で交差する表示部４１の外側の上辺部および左辺部の夫々に振り分けて、待機位置で配置されるようになっている(図１５または図１７参照)。すなわち、上部可動演出装置２００は、一方の上部可動体２２０Ａ(以下、第１上部可動体という。)が表示部４１の外側に位置する待機位置で裏ユニット５０の左辺部５３ｂに配置されると共に、他方の上部可動体２２０Ｂ(以下、第２上部可動体という。)が表示部４１の外側に位置する待機位置で裏ユニット５０の上辺部５３ａに配置されている。
【００９２】
前記上部可動演出装置２００は、第１上部可動体２２０Ａが表示部４１の上外側を軸支点として表示部４１の左外側に位置する待機位置と表示部４１の前側に位置する動作位置との間を往復動し、第２上部可動体２２０Ｂが表示部４１の上外側を軸支点として表示部４１の上外側に位置する待機位置と表示部４１の前側に位置する動作位置との間を往復動するように構成される(図７または図１２参照)。そして、上部可動演出装置２００は、上部ベース体２０２を介して２基の上部可動体２２０,２２０および上部駆動機構２７０を一体的に取り扱い可能で、裏ユニット５０に対して一体的に着脱できるユニット構造となっている。
【００９３】
前記上部可動演出装置２００は、板部材４２の後面と裏ユニット５０における設置板部５３の前面との間の前後範囲に収まるように構成されている。上部可動演出装置２００は、上部ベース体２０２および上部駆動機構２７０が、表示部４１の上外側に設けられる板部材４２と設置板部５３との間から設置板部５３とこの設置板部５３の前側に離間させて設置される上部装飾ユニット３００との間(以下、上部収容空間５８という。)にかけて収容されている(図９参照)。また、上部可動演出装置２００は、第１上部可動体２２０Ａが、表示部４１の左外側に設けられる板部材４２と設置板部５３との間(以下、側部収容空間５７という。)に収容され(図１１参照)、第２上部可動体２２０Ｂが、設置板部５３と上部装飾ユニット３００との間の上部収容空間５８に収容されている(図８または図８５参照)。
【００９４】
前記上部ベース体２０２は、裏ユニット５０の設置板部５３に取り付けられる後半体２０４と、この後半体２０４の前側を覆って該後半体２０４に取り付けられる前半体２１０とから構成される箱状体であって、実施例では後半体２０４および前半体２１０の何れも透明な合成樹脂の成形品である(図６０〜図６２参照)。上部ベース体２０２は、左右方向に長手が延在する略矩形状に構成されて、裏ユニット５０の上辺部５３ａの左隅から該上辺部５３ａの略中央部に亘って配置されている(図１７参照)。上部ベース体２０２には、左側の領域に上部駆動機構２７０が配設されると共に、右側の領域に左右に並んで第１上部可動体２２０Ａおよび第２上部可動体２２０Ｂが軸支されている(図２１参照)。なお、実施例では、第１上部可動体２２０Ａが第２上部可動体２２０Ｂの左側に軸支されている。
【００９５】
前記上部ベース体２０２の後半体２０４は、裏ユニット５０の設置板部５３に対向する板部分前面の上縁および左縁に前出突片２０５が立設されて、該板部分後面の外縁に後出突片２０６が立設されている(図６１または図６２参照)。前半体２１０は、板部材４２の後面に対向する板部分後面の外縁に亘って突出片２１１が立設されたトレー形状に形成されている(図６２参照)。上部ベース体２０２は、後半体２０４の前出突片２０５に前半体２１０の突出片２１１を突き合わせてネジ止め固定され、右側面から下面に亘って、第１上部可動体２２０Ａおよび第２上部可動体２２０Ｂが挿通するアーム挿通口２０２ａが開設されている(図６０参照)。また、上部ベース体２０２は、裏ユニット５０の上辺部５３ａ前面に後半体２０４の後出突片２０６を突き合わせてネジ止め固定することで、裏ユニット５０の設置板部５３と後半体２０４の板部分との間に、各上部可動体２２０の装飾体２４０,２５０に設けられる装飾体発光基板２４８,２５８に接続する配線の配設スペースが画成されている(図９参照)。
【００９６】
前記第１上部可動体２２０Ａおよび第２上部可動体２２０Ｂは、基本的な構成が同一であるので、先ず共通する部分について説明する。
【００９７】
前記上部可動体２２０は、表示部４１の外側に設けられた上部駆動機構２７０により直接または間接的に往復動作されるアーム２２２と、このアーム２２２に設けられ、上部駆動機構２７０によるアーム２２２の動作につれて表示部４１の前側に位置する動作位置と表示部の外側に位置する待機位置との間で動作する複数(実施例では３基)の装飾体２４０,２５０,２５０とを有している(図５８または図５９参照)。上部可動体２２０は、複数の装飾体２４０,２５０,２５０のうちの少なくとも１つの装飾体２５０がアーム２２２の動作に連動して動作するように、アーム２２２に対して変位可能に設けられている。そして、上部可動体２２０は、動作可能な装飾体２５０がアーム２２２における一方の動作に連動して動作することで、複数の装飾体２４０,２５０,２５０が互いに集合して動作位置または待機位置で意匠部ＤＨを形成し(図５９参照)、該動作可能な装飾体２５０が該アーム２２２における他方の動作に連動して動作することで、複数の装飾体２４０,２５０,２５０が互いに離間して分離するよう構成される。上部可動演出装置２００では、複数の装飾体２４０,２５０,２５０が、２基の上部可動体２２０,２２０の間で対をなすアーム２２２,２２２における互いに対向する側に設けられると共に、対をなすアーム２２２,２２２および向かい合う装飾体２４０,２５０,２５０が対称な関係で動作される。
【００９８】
実施例の上部可動体２２０は、アーム２２２の一端部が上部ベース体２０２に支持されて、上部ベース体２０２から延出するアーム２２２の他端部側に、３基の装飾体２４０,２５０,２５０が該アーム２２２の延在方向に並べて配置されている(図５８または図５９参照)。上部可動体２２０は、中央に位置する装飾体２４０(以下、固定装飾体という。)を挟んで配置された両端の装飾体２５０,２５０(以下、可動装飾体という。)が、アーム２２２に対して揺動可能に支持されて、アーム２２２の動作に連動するようになっている(図６５,図６６,図８８または図８９参照)。そして、上部可動体２２０は、対をなす可動装飾体２５０,２５０がアーム２２２の待機位置から動作位置への動作に連動して、固定装飾体２４０に近接するように夫々変位して、３基の装飾体２４０,２５０,２５０が動作位置で集合して意匠部ＤＨを形成するようになっている(図５８参照)。
【００９９】
前記上部可動体２２０は、対をなす可動装飾体２５０,２５０がアーム２２２の動作位置から待機位置への動作に連動して、固定装飾体２４０から離間するように夫々変位して、３基の装飾体２４０,２５０,２５０が分離するようになっている(図５９参照)。そして、上部可動演出装置２００では、２基の上部可動体２２０,２２０における夫々のアーム２２２に設けられた複数の装飾体２４０,２５０,２５０の集合により形成される意匠部ＤＨ同士が、動作位置(実施例)または待機位置で集合して１つの意匠体ＤＲを構成するようになっている(図５９参照)。実施例の上部可動演出装置２００は、各装飾体２４０,２５０,２５０が、アーム２２２側から離間するにつれて先細りになる扇状に形成されて、各上部可動体２２０の３基の装飾体２４０,２５０,２５０が集合することで半円状の意匠部ＤＨを形成し、２基の上部可動体２２０,２２０の意匠部ＤＨが動作位置で合わさることで、円形の意匠体ＤＲを構成している。なお、実施例の意匠体ＤＲは、銅鑼の如き意匠形状に形成されている。
【０１００】
図６５および図６６を参照して、可動装飾体２５０の動作構造について説明する。上部可動体２２０は、表示部４１の上外側において上部ベース体２０２に一端部が軸支されたアーム２２２の他端部に揺動可能に設けられた可動アーム２２６と、この可動アーム２２６と並べてアーム２２２の他端部に揺動可能に設けられた補助可動アーム２３０とを備えている。上部可動体２２０は、アーム２２２の他端部に固定装飾体２４０が設けられ、この固定装飾体２４０の脇に延出する可動アーム２２６に一方の可動装飾体２５０が配設され、可動アーム２２６と反対側の固定装飾体２４０の脇に延出する補助可動アーム２３０に他方の可動装飾体２５０が配設されている。また、上部可動体２２０は、一端部が表示部４１の上外側において上部ベース体２０２に軸支されると共に、他端部が可動アーム２２６におけるアーム２２２への支持部位から外れた位置に揺動可能に連結された補助アーム２３４を備えている。そして、上部可動体２２０には、アーム２２２、補助アーム２３４および可動アーム２２６によって、アーム２２２が上部駆動機構２７０で動作されるのに伴って、補助アーム２３４が変位して可動アーム２２６を揺動させるリンク構造が構成されている(図６５参照)。なお、補助可動アーム２３０は、可動アーム２２６に連結されて該可動アーム２２６の揺動につれて揺動するようになっている。
【０１０１】
前記アーム２２２は、上部ベース体２０２に軸支される一端部とアーム挿通口２０２ａを介して上部ベース体２０２から延出する他端部との離間方向に長手が延在する長尺な部材であって、表示部４１側が凹になる円弧状に湾曲形成されている(図５９,図６１または図６２参照)。アーム２２２には、前面外縁に通路壁片２２２ａが立設されており、該アーム２２２の長手に沿う対向する側縁に夫々立設された対向する通路壁片２２２ａ,２２２ａによって他端部から上部ベース体２０２の内部に収容される一端部に繋がる可動体配線通路(配線通路)２２３が画成される(図６１参照)。可動体配線通路２２３には、装飾体２４０,２５０,２５０に設けられる装飾体発光基板２４８,２５８に接続する配線が収容される。また、アーム２２２には、上部ベース体２０２から突出した部位から固定装飾体２４０の間に亘って前面に通路カバー２２４が取り付けられ、この通路カバー２２４により可動体配線通路２２３の前側を覆っている。
【０１０２】
前記アーム２２２は、前半体２１０に設けられた軸ボス部２１２に固定された支軸２１３によって上部ベース体２０２に対して揺動可能に支持されている(図６１または図６２参照)。上部可動演出装置２００は、アーム２２２の後面から後側に突き出た支軸２１３の後端を後半体２０４に設けた軸保持孔２０７で保持すると共に、アーム２２２の後面から後側に突き出た支軸２１３に外挿して、アーム２２２の後面と後半体２０４との間に摺動性がよい合成樹脂からなる介挿部材２１４を介在させることで、軸ボス部２１２と介挿部材２１４との間でアーム２２２を前後から挟持している。
【０１０３】
前記可動アーム２２６は、アーム２２２において該アーム２２２の長手と交差する横側(表示部４１側)に突出するよう形成された他端部の後側に位置して該他端部に対して軸支され、他端部から一端部に向けて突出するように設けられている(図６５または図６６参照)。可動アーム２２６は、アーム２２２の他端部から突出する長手辺がアーム２２２に沿って延在する第１位置と(図６５の実線参照)、該長手辺がアーム２２２から表示部４１側に離間してアーム２２２から横方向に延出する第２位置(図６５の２点鎖線または図６６参照)との間で他端部への連結支点を中心に変位するようになっている。ここで、実施例では、可動アーム２２６が上部可動体２２０の待機位置で第１位置にあり、上部可動体２２０の動作位置で可動アーム２２６が第２位置にあるよう構成される。上部可動体２２０は、待機位置で第１位置にある可動アーム２２６に設けた可動装飾体２５０が、アーム２２２の他端部に設けた固定装飾体２４０から離間し、動作位置で第２位置にある可動アーム２２６の可動装飾体２５０が、固定装飾体２４０に近接するようになっている。
【０１０４】
前記補助可動アーム２３０は、アーム２２２の他端部の後側に位置して該他端部に対して軸支され、該アーム２２２の他端部から一端部と反対側に向けて突出するように設けられている(図６５または図６６参照)。すなわち、補助可動アーム２３０は、可動アーム２２６と反対側にアーム２２２の他端部から延出している。補助可動アーム２３０は、アーム２２２の他端部から突出する長手辺がアーム２２２の延在方向に沿って該アーム２２２を延長するように延在する第１位置と(図６５の実線参照)、該長手辺がアーム２２２の延在方向に対して表示部４１側に傾いた第２位置(図６５の２点鎖線または図６６参照)との間で該アーム２２２の他端部への支持点を中心に変位するようになっている。ここで、実施例では、補助可動アーム２３０が上部可動体２２０の待機位置で第１位置にあり、上部可動体２２０の動作位置で補助可動アーム２３０が第２位置にあるよう構成される。上部可動体２２０は、待機位置で第１位置にある補助可動アーム２３０に設けた可動装飾体２５０が、アーム２２２の他端部に設けた固定装飾体２４０から離間し、動作位置で第２位置にある補助可動アーム２３０の可動装飾体２５０が、固定装飾体２４０に近接するようになっている。
【０１０５】
すなわち、上部可動体２２０は、アーム２２２の他端部を挟んで互いに反対側に延出する可動アーム２２６と補助可動アーム２３０とが接離するように変位するよう構成されている。上部可動体２２０は、待機位置で可動アームと２２６補助可動アーム２３０とが互いに離間するよう変位してアーム２２２の延在方向に沿って直線的に連なり(図６５の実線参照)、動作位置で可動アーム２２６と補助可動アーム２３０とが互いに近接するように変位して表示部４１側が凹になる略Ｖ字状に延在するようになっている(図６５の２点鎖線または図６６参照)。このように、上部可動体２２０は、補助可動アーム２３０が可動アーム２２６の揺動動作に対して、アーム２２２の他端部を挟んで対称な関係で揺動動作するよう構成される。上部可動体２２０は、待機位置で第１位置にある可動アーム２２６および補助可動アーム２３０の可動装飾体２５０,２５０が互いに離れて固定装飾体２４０から離間し、動作位置で第２位置にある可動アーム２２６および補助可動アーム２３０の可動装飾体２５０,２５０が、互いに近づいて固定装飾体２４０に夫々近接するようになっている。
【０１０６】
前記補助アーム２３４は、一端部が上部ケース体２０２の内部で後半体２０４に軸支されると共に、上部ベース体２０２のアーム挿通口２０２ａから外方へ延出する他端部が可動アーム２２６に揺動可能に軸支されている(図６５または図６６参照)。補助アーム２３４は、一端部がアーム２２２の上部ベース体２０２への軸支点から外れた部位(以下、補助軸支点という。)に軸支される。また、補助アーム２３４における可動アーム２２６への軸支部位(以下、補助連結支点という。)は、可動アーム２２６がアーム２２２の他端部に軸支される連結支点から外れた位置に設定されている。更に、補助アーム２３４は、アーム２２２の後側に該アーム２２２の後面に沿わせて配置され、他端部がアーム２２２と可動アーム２２６との間に位置して可動アーム２２６に前側から連結されている。そして、補助アーム２３４は、長手辺の長さがアーム２２２の長手辺より短く、短手辺の幅がアーム２２２の短手辺より狭小に設定され、補助アーム２３４は、アーム２２２の湾曲形状に合わせて屈曲形成されている。
【０１０７】
図６５または図６６に示すように、上部可動体２２０は、アーム２２２の他端部側にある可動アーム２２６の連結支点と補助アーム２３４の他端部側にある可動アーム２２６への補助連結支点とが、アーム２２２の延在方向に交差する横方向に並べて配置されている。ここで、可動アーム２２６の連結支点が、アーム２２２の他端部において補助アーム２３４の補助連結支点より待機位置から動作位置への動作方向前側(待機位置での表示部４１側)に配置されている。また、上部可動体２２０は、待機位置において、補助アーム２３４の一端部側の補助軸支点がアーム２２２の一端部側の軸支点よりアーム２２２の他端部側に配置されている。更に、補助軸支点は、軸支点と連結支点とを結んだラインに対して、上部可動体２２０の待機位置から動作位置への動作方向と反対側に位置している。すなわち、上部可動体２２０は、アーム２２２の一端部側の軸支点と可動アーム２２６のアーム２２２への連結支点とを結んだラインより補助アーム２３４の一端部側の補助軸支点と補助アーム２３４の他端部側の補助連結支点とを結んだラインが、上部可動体２２０の待機位置で表示部４１から離間する側に延在するように、各軸支部分が配置されている。
【０１０８】
このように設定したアーム２２２、可動アーム２２６および補助アーム２３４からなるリンク構造は、アーム２２２の軸支点と可動アーム２２６の連結支点との間の距離より補助アーム２３４の補助軸支点と可動アーム２２６への補助連結支点との間の距離が短く設定されている。上部可動体２２０のリンク構造は、上部可動体２２０が待機位置から動作位置に変位する際に、アーム２２２の変位に伴う可動アーム２２６の連結支点の移動軌跡に対して補助連結支点の移動軌跡が内側(軸支点側)に位置するように変位するので、補助アーム２３４によって可動アーム２２６が引っ張られて、可動アーム２２６がアーム２２２から離間するように第１位置から第２位置へ向けて変位する。また、上部可動体２２０のリンク構造は、上部可動体２２０が動作位置から待機位置に変位する際に、アーム２２２の変位に伴う可動アーム２２６の連結支点の移動軌跡に対して補助連結支点の移動軌跡が外側(軸支点から離間する側)に位置するように変位するので、補助アーム２３４によって可動アーム２２６が押されて、可動アーム２２６がアーム２２２に沿うように第２位置から第１位置に向けて変位する。
【０１０９】
前記上部可動体２２０のリンク構造は、上部駆動機構２７０によりアーム２２２が動作されるのに伴って、補助アーム２３４がアーム２２２の延在方向に沿って変位して可動アーム２２６を揺動させるよう構成されている(図６５または図６６参照)。すなわち、リンク構造は、補助アーム２３４がアーム２２２の延在方向と交差する横方向へ変位する量が最小限に抑えるように各軸支部分の位置が設定されて、アーム２２２の動作につれて補助アーム２３４が該アーム２２２の後側に重なる領域で変位するようになっている。
【０１１０】
前記上部可動体２２０は、可動アーム２２６および補助可動アーム２３０においてアーム２２２の他端部から延出する部分に可動装飾体２５０が夫々設けられている。上部可動体２２０は、可動アーム２２６および補助可動アーム２３０においてアーム２２２の他端部への軸支部分を挟んで前記延出部分と反対側の部分が、アーム２２２の他端部の後側において互いに端部を向かい合わせて配置されている。可動アーム２２６は、アーム２２２の他端部から延出する端部と連結支点を挟んで反対側の端部(補助可動アーム２３０側の端部)に、凹凸を連結支点を中心とする円弧状に連ねて形成された正噛合部２２７を備えている。これに対して、補助可動アーム２３０は、アーム２２２の他端部から可動アーム２２６と反対側に延出する端部と該アーム２２２の他端部への軸支部分を挟んで反対側の端部(可動アーム２２６側の端部)に、正噛合部２２７の凹凸に合わせた凹凸を当該軸支部分を中心とする円弧状に連ねて形成された副噛合部２３１を備えている。
【０１１１】
前記上部可動体２２０は、正噛合部２２７と副噛合部２３１とをかみ合わせて可動アーム２２６および補助可動アーム２３０が配設されており、補助アーム２３４により可動アーム２２６が揺動されることで、正噛合部２２７と副噛合部２３１とのかみ合いを介して補助可動アーム２３０が揺動される(図６５または図６６参照)。上部可動体２２０では、正噛合部２２７と副噛合部２３１とがアーム２２２の他端部の後側でかみ合わせられ、この噛み合わせ部分を挟んで可動アーム２２６および補助可動アーム２３０が対称な動作を行うようになっている。すなわち、可動アーム２２６がアーム２２２の本体部分に沿う第１位置では、補助可動アーム２３０がアーム２２２の本体部分の延在方向に沿って延在する第１位置にあり、可動アーム２２６および補助可動アーム２３０が略直線状に並んでいる。これに対して、可動アーム２２６がアーム２２２の本体部分から離間する第２位置では、補助可動アーム２３０がアーム２２２の本体部分の延在方向から傾いて延在する第２位置にあり、可動アーム２２６および補助可動アーム２３０が互いに近づいて略Ｖ字状に並んでいる。これにより、上部可動体２２０は、アーム２２２に固定された１つの固定装飾体２４０を基準として、この固定装飾体２４０の横側に並べて動作可能に設けられた可動装飾体２５０,２５０が該固定装飾体２４０に対して近接または離間するよう動作し、隣り合う装飾体２４０,２５０の側縁を沿わせて意匠部ＤＨを構成するようになっている。
【０１１２】
前記上部可動演出装置２００は、上部駆動機構２７０が第１上部可動体２２０Ａに接続され、この第１上部可動体２２０Ａを介して第２上部可動体２２０Ｂを動作させる構成になっている。上部駆動機構２７０は、上部モータ(第１のモータ)２７２と、この上部モータ２７２に連繋して回転する上部ギヤ部(第１のギヤ部)と、この上部ギヤ部とアーム２２２との間に設けられ、上部ギヤ部の回転をアーム２２２の往復動作に変換する上部変換部(第１の変換部)とを備えている(図６１〜図６４参照)。上部モータ２７２は、後半体２０４の左側部において前側に向けて凹設されたモータ設置部２０４ａの後面に、出力軸２７３を前側に向けて取り付けられ、上部ベース体２０２の内部に臨む出力軸２７３の先端に上部ピニオン２７４が固定されている。上部ピニオン２７４は、上部ベース体２０２の内部において前半体２１０の後面に近接して配置されている。なお、上部モータ２７２は、正逆回転可能なステッピングモータ等が採用される。
【０１１３】
実施例の上部ギヤ部は、前半体２１０に回転可能に軸支されると共に前半体２１０の後面に近接して配置された上部回転板(回転板)２７６で構成されている。上部回転板２７６は、外周面に歯を有する歯車であって、上部ピニオン２７４にかみ合わせて上部ピニオン２７４の右側に配置されて、上部モータ２７２の正逆駆動に伴って正逆回転するようになっている。上部回転板２７６は、回転中心より半径方向外側に偏倚して、後面から突出するように設けられた上部連結軸２７８を備えており、この上部連結軸２７８が第１上部可動体２２０Ａのアーム２２２に形成された連結孔２３７に連繋するようになっている(図６５または図６６参照)。すなわち、上部駆動機構２７０では、上部回転板２７６の回転につれて回転変位する上部連結軸２７８と第１上部可動体２２０Ａのアーム２２２に設けた連結孔２３７とから上部変換部が構成される。
【０１１４】
前記連結孔２３７は、第１上部可動体２２０Ａのアーム２２２の一端部から分岐して該アーム２２２の本体部分と略Ｖ字状をなすように延出形成されたリンク部２３６に開設されている(図６５または図６６参照)。リンク部２３６および第１上部可動体２２０Ａのアーム２２２は、上部ベース体２０２の内部において上部回転板２７６と後半体２０４との間に配置され、リンク部２３６は上部ベース体２０２の内部で変位するようになっている。第１上部可動体２２０Ａのアーム２２２は、上部ベース体２０２への軸支点が上部回転板２７６の右側に配置され、上部回転板２７６の後側に配置された上部連結軸２７８がリンク部２３６の連結孔２３７に前側から挿入されている(図６３または図６４参照)。ここで、連結孔２３７は、短手の幅が上部連結軸２７８の外径に合わせて設定され、長手の長さが上部回転板２７６の回転に伴う上部連結軸２７８の回転変位軌跡の直径以上に設定されている。上部駆動機構２７０は、上部回転板２７６の回転により回転変位する上部連結軸２７８が、連結孔２３７の長手に沿って変位しつつ連結孔２３７の長手辺開口縁を押すことで、アーム２２２が軸支点を中心に揺動するようになっている。
【０１１５】
前記上部駆動機構２７０は、第１上部可動体２２０Ａの待機位置で上部連結軸２７８が上部回転板２７６の頂部に位置して、リンク部２３６を軸支点から該リンク部２３６の先端に向かうにつれて僅かに上方傾斜する姿勢に引き上げて(図６３または図６５参照)、第１上部可動体２２０Ａにおけるアーム２２２の他端部側を板部材４２と裏ユニット５０の左辺部５３ｂとの間の側部収容空間５７に収容された待機位置に位置させている(図２１参照)。上部駆動機構２７０は、第１上部可動体２２０Ａの待機位置から動作位置への動作に際して、上部回転板２７６を反時計回りに回転して上部連結軸２７８を下方へ変位することで、リング部２３６を軸支点から該リンク部の先端に向かうにつれて下方傾斜する姿勢に押し下げて、第１上部可動体２２０Ａにおけるアーム２２２の他端部側を側部収容空間５７から右方へ変位させる。上部駆動機構２７０は、第１上部可動体の動作位置から待機位置への動作に際して、上部回転板２７６を時計回りに回転して上部連結軸２７８を上方へ変位することで、リンク部２３６を下方傾斜する姿勢から押し上げて、第１上部可動体２２０Ａにおけるアーム２２２の他端部側を動作位置から側部収容空間５７へ向けて左方へ変位させる。
【０１１６】
前記上部可動演出装置２００は、上部駆動機構２７０で第１上部可動体２２０Ａを動かすことで、この第１上部可動体２２０Ａに連動して第２上部可動体２２０Ｂを動作し得るようになっている。具体的には、図６１または図６２に示すように、第１上部可動体２２０Ａのアーム２２２(１つのアーム)の一端部には、第２上部可動体２２０Ｂのアーム２２２の一端部に隣り合う右側面に軸支点を中心とする円弧状に並ぶ凹凸を有する第１連結歯部２８０が設けられている。一方、第２上部可動体２２０Ｂのアーム２２２(他のアーム)の一端部には、第１上部可動体２２０Ａのアーム２２２の一端部に隣り合う左側面に軸支点を中心とする円弧状に並ぶ凹凸を有する第２連結歯部２８１が設けられ、この第２連結歯部２８１が第１連結歯部２８０にかみ合わせて連繋されている(図６２または図６４参照)。上部可動演出装置２００は、上部駆動機構２７０にリンク部２３６を介して直接連結する第１上部可動体２２０Ａのアーム２２２を該上部駆動機構２７０によって揺動することで、第１連結歯部２８０と第２連結歯部２８１との連繋下に、第２上部可動体２２０Ｂのアーム２２２が揺動されるようになっている(図６５または図６６参照)。
【０１１７】
ここで、上部可動演出装置２００は、第１連結歯部２８０と第２連結歯部２８１との連繋下に、第１上部可動体２２０Ａと第２上部可動体２２０Ｂとが反対方向に動作し、第１上部可動体２２０Ａを反時計回り(待機位置から動作位置へ向かう動作方向)に変位すると第２上部可動体２２０Ｂが時計回り(待機位置から動作位置へ向かう動作方向)に変位して、互いに近接するように動作するよう構成される(図６３〜図６６参照)。また、上部可動演出装置２００は、第１上部可動体２２０Ａを時計回り(動作位置から待機位置へ向かう動作方向)に変位すると第２上部可動体２２０Ｂが反時計回り(動作位置から待機位置へ向かう動作方向)に変位して、互いに離間するように動作するようになっている。すなわち、上部可動演出装置２００では、第１上部可動体２２０Ａが表示部４１の左外側に位置して側部収容空間５７に収容される待機位置にある場合に、第２上部可動体２２０Ｂが表示部４１の上外側に位置して上部収容空間５８に収容される待機位置にあり、第１上部可動体２２０Ａが動作位置にある場合に、第２上部可動体２２０Ｂが動作位置に動作している。
【０１１８】
前記上部可動体２２０は、アーム２２２における上部ベース体２０２への軸支点より半径方向外側に離間して該アーム２２２に設けられ、該上部ベース体２０２に当接する後当接部(当接部)２３８を少なくとも備えている(図６５または図６６参照)。後当接部２３８は、アーム２２２の一端部後面に後方へ突出するよう形成されて、上部ベース体２０２の後半体２０４の前面に当接するよう構成されている。また、後当接部２３８は、アーム２２２の一端部に設けられる連結歯部２８０,２８１の歯の根元部分に設けられて、該連結歯部２８０,２８１の歯の並びに沿ってアーム２２２の軸支点を中心とすつ円弧状に延在するよう形成されている。実施例では、連結歯部２８０,２８１は、アーム２２２の本体部分と別体に形成されており、アームの本体部分に後側から取り付けられる連結歯部２８０,２８１に後当接部２３８が設けられている。
【０１１９】
前記第２上部可動体２２０Ｂは、上部ベース体２０２の後半体２０４に当接する後当接部２３８だけでなく、上部ベース体２０２の前半体２１０に当接する前当接部２３９を備えている(図６２または図６３参照)。前当接部２３９は、第２上部可動体２２０Ｂのアーム２２２における上部ベース体２０２への軸支点より半径方向外側に離間して、アーム２２２の一端部前面に軸支点を中心とする円弧状に延在するよう形成されている。また、前半体２１０の後面には、前当接部２３９に合わせて円弧状に延在すると共に後方へ突出するよう形成された当て片２１０ａが設けられ(図６２参照)、この当て片２１０ａの後端が前当接部２３９の前端に当接するようになっている。このように、第２上部可動体２２０Ｂのアーム２２２は、前後の当接部２３８,２３９を介して上部ベース体２０２により前後から挟持されている。なお、第２上部可動体２２０Ｂのアーム２２２の前後に当接部２３８,２３９を設ける例を説明したが、第１上部可動体２２０Ａのアーム２２２にも前後に当接部を設けてもよい。
【０１２０】
前記上部可動体２２０は、アーム２２２と上部ベース体２０２との間に弾性部材２８２を介挿して、この弾性部材２８２によりアーム２２２を動作位置に向かう方向または待機位置に向かう方向の何れかに付勢してもよい(図６３または図６４参照)。ここで、弾性部材２８２は、上部駆動機構２７０に直接接続していない上部可動体２２０(他方の可動体)に設けるのがよく、上部可動体２２０を持ち上げる動作方向に付勢するのがよい。すなわち、実施例の上部可動演出装置２００では、第２上部可動体２２０Ｂに弾性部材２８２が設けられ、該第２上部可動体２２０Ｂのアーム２２２を動作位置から待機位置に向かう方向へ弾性部材２８２が付勢するようになっている。実施例では、弾性部材２８２としては、捻りばねが採用されており、コイル部分で軸支点を囲んでアーム２２２と前半体２１０との間に弾性部材２８２を配置し、コイル部分から突出した一方の線条がアーム２２２に保持される一方(図２１参照)、コイル部分から突出した他方の線条が前半体２１０に保持されている。なお、第１上部可動体２２０Ａのアーム２２２に弾性部材を設けて、弾性部材の付勢力によってアーム２２２の動作を補助してもよい。このように、弾性部材によってアーム２２２の動作を補助することで、上部可動体２２０をより円滑かつ安定して動作させることができる。
【０１２１】
前記上部可動演出装置２００は、第１上部可動体２２０Ａの待機位置および動作位置において、上部駆動機構２７０によらない第１上部可動体２２０Ａの変位を規制するロック構造を有している。上部駆動機構２７０は、第１上部可動体２２０Ａの待機位置および動作位置において、アーム２２２に対して揺動方向にかかる力が連結孔２３７の開口縁から上部連結軸２７８に対して上部回転板２７６の半径方向に加わるように構成されている(図６３または図６４の一点鎖線矢印参照)。すなわち、上部駆動機構２７０は、第１上部可動体２２０Ａの待機位置および動作位置において、リンク部２３６における連結孔２３７の長手辺が上部連結軸２７８と上部回転板２７６の回転中心とを結んだラインに対して直交する関係になるよう構成されている。上部駆動機構２７０は、第１上部可動体２２０Ａの待機位置および動作位置において、第１上部可動体２２０Ａのアーム２２２に対して軸支点を中心とする揺動方向に力を加えると、リンク部２３６における連結孔２３７の開口縁が上部連結軸２７８に対して上部回転板２７６の回転方向と直交する横方向に当接する。この際、上部駆動機構２７０は、上部連結軸２７８に対して上部回転板２７６の半径方向に力が加わっても上部回転板２７６が回転せずに上部連結軸２７８が変位しないので、上部連結軸２７８でリンク部２３６の変位が規制されてアーム２２２を動かすことができない。
【０１２２】
これに対して、上部駆動機構２７０は、上部モータ２７２で上部回転板２７６を回転した際に、アーム２２２が上部ベース体２０２に対して回転可能に軸支されてアーム２２２の揺動方向の変位が規制されていないので、上部連結軸２７８がリンク部２３６を押して変位することができる。上部可動演出装置２００は、前述の如く、第１連結歯部２８０および第２連結歯部２８１の連繋により第１上部可動体２２０Ａのアーム２２２の動作に連動して第２上部可動体２２０Ｂが動作する構成であるので、第１上部可動体２２０Ａが前記ロック構造によって待機位置および動作位置でロックされれば、第２上部可動体２２０Ｂについても待機位置および動作位置でロックした第１上部可動体２２０Ａによって上部駆動機構２７０によらない動作がロックされる。
【０１２３】
このように、上部可動演出装置２００は、上部回転板２７６を回転しなければ上部可動体２２０のアーム２２２を動かすことができないように構成され、上部可動体２２０に力が直接かかってもアーム２２２が動かないようになっている。上部可動演出装置２００は、各アーム２２２の動作端となる他端部に複数の装飾体２４０,２５０,２５０が設けられて重くなっても、待機位置および動作位置で上部可動体２２０を適切に保持することができる。例えば、第２上部可動体２２０Ｂは、待機位置で軸支点から略水平に延在するように上部収容空間５８に収容されるので、待機位置で自重により下方へ力が加わるが、磁石や爪等の引っ掛けによる別の保持手段を設けることなく、前記ロック構造により待機位置で保持できる。しかも、ロック構造は、リンク部２３６における連結孔２３７と上部連結軸２７８との位置関係によって構成されるので、上部連結軸２７８や上部回転板２７６を特定の位置で係止するための他の部材を必要とせず、簡易な構成で上部可動体２２０の保持を達成できる。従って、上部可動演出装置２００は、遊技盤４０の振動等あるいは上部可動体２２０を大型化して重量が嵩んでも、上部可動体２２０を待機位置および動作位置で安定して保持できる。なお、ロック機構は、上部可動体２２０の待機位置または動作位置の何れか一方で機能する構成であってもよい。
【０１２４】
前記上部ベース体２０２の前半体２１０には、上部回転板２７６の前側に位置して２条の長孔２１０ｂ,２１０ｂが該上部回転板２７６の回転方向に離間して設けられている(図５８または図５９参照)。また、上部回転板２７６には、２条の長孔の後側に回転軌跡が重なるように配置された操作孔２７７が４箇所設けられ(図６３または図６４参照)、第１上部可動体２２０Ａの待機位置で２箇所の操作孔２７７が下側の長孔２１０ｂに臨むようになっている(図５８参照)。また、第１上部可動体２２０Ａの動作位置で別の２箇所の操作孔２７７が上側の長孔２１０ｂに臨むようになっている(図５９参照)。上部可動演出装置２００では、第１上部可動体２２０Ａの待機位置または動作位置において、長孔２１０ｂを介して上部回転板２７６の操作孔２７７にアクセスすることができ、この操作孔２７７にピン等を引っ掛けて長孔２１０ｂに沿って上部回転板２７６を回転させることができる。このように、上部回転板２７６を回転して上部連結軸２７８の位置をずらせば、連結孔２３７の開口縁が上部連結軸２７８を変位させない当接関係が崩れ、上部可動体２２０を揺動方向に手動により動作させることができる。上部可動演出装置２００は、ロック構造を備えているので、製造時や停電時等の上部モータ２７２を動かすことができない状態で上部可動体２２０を待機位置または動作位置から動かすことができない不都合がある。しかし、上部可動演出装置２００は、上部ベース体２０２の長孔２１０ｂを介して該上部ベース体２０２の内部に収容された上部回転板２７６を手動操作することが可能なロック解除構造を有しているので、上部ベース体２０２を分解することなく上部可動体２２０のロックを解除して適宜に動作させることができる。
【０１２５】
前記上部可動演出装置２００では、後半体２０４に設けた上部検知手段(原位置検知手段)２１６による第１上部可動体２２０Ａのアーム２２２に設けられた上部検知片２２２ｂの有無の検知に基づいて第１上部可動体２２０Ａの位置が判定されるようになっている(図６５〜図６７参照)。なお、上部検知手段２１６としては、フォトセンサ等の近接スイッチが採用されている。上部検知手段２１６は、上部モータ２７２の右側でかつ上部回転板２７６の後側に配置され、前後に離間するセンサ部を上部ベース体２０２の内部に臨ませた状態で後半体２０４に固定されている。上部検知片２２２ｂは、第１上部可動体２２０Ａのアーム２２２において本体部分とリンク部２３６との間に設けられ、前側から後側に向けて延出する部位の後端に形成された左方へ突出する片部が上部検知手段２１６の前後のセンサ部の間を通過するようになっている(図６７参照)。上部可動演出装置２００は、第１上部可動体２２０Ａが待機位置にある姿勢で上部検知片２２２ｂが上部検知手段２１６の前後のセンサ部の間に位置するように構成され、前後のセンサ部の間を上部検知片２２２ｂで塞ぐことで該上部検知片２２２ｂの到来が検知される。そして、上部可動演出装置２００は、上部回転板２７６の時計回りの回転時に上部検知片２２２ｂを上部検知手段２１６で検知した際に、直ちにまたは所定のステップ数だけ上部モータ２７２の駆動を継続してから停止するよう構成され、上部モータ２７２の停止時に第１上部可動体２２０Ａおよび第２上部可動体２２０Ｂが待機位置で停止される。
【０１２６】
次に、固定装飾体２４０および可動装飾体２５０の具体的な構成を説明する。上部可動体２２０では、３基の装飾体２４０,２５０,２５０が待機位置でアーム２２２の延在方向に並べて設置され、中央に位置してアーム２２２の他端部に固定される固定装飾体２４０が、アーム２２２の他端部から互いに反対側に延出する可動アーム２２６および補助可動アーム２３０の夫々に設けられた一対の可動装飾体２５０,２５０で挟まれている(図５８,図６３,図６５,図８８または図８９参照)。なお、第１上部可動体２２０Ａの装飾体２４０,２５０と第２上部可動体２２０Ｂの装飾体２４０,２５０は、対応のアーム２２２に対して対称な位置関係で配置されているのを除いて構成が同一である。
【０１２７】
各装飾体２４０,２５０は、内部に基板収納空間(収容空間)２４１ａ,２５１ａが画成された装飾体基部(基部)２４１,２５１と、この装飾体基部２４１,２５１から遊技盤面に沿う方向に延出するよう設けられ、透明な樹脂板からなる光輝部２４７,２５７と、基板収容空間２４１ａ,２５１ａに収納された装飾体発光基板２４８,２５８とを備えている(図６１,図６２,図６８,図８８または図８９参照)。すなわち、各装飾体２４０,２５０は、装飾体発光基板２４８,２５８に設けられた発光体２４８ａ,２４８ｂ,２５８ａ,２５８ｂによって発光演出可能に構成されている。各装飾体２４０,２５０は、アーム２２２側から表示部４１側に向かうにつれて先細りになる扇形に形成されて、アーム２２２側の円弧部分に装飾体基部２４１,２５１が設けられ、この装飾体基部２４１,２５１から略三角形状の光輝部２４７,２５７が表示部４１側に突出している。装飾体発光基板２４８,２５８は、装飾体基部２４１,２５１の基板収納空間２４１ａに臨む光輝部２４７,２５７の端面に指向するように設けられて、光輝部２４７,２５７を照らす側方発光体(第１の発光体)２４８ａ,２５８ａと、装飾体基部２４１,２５１の前面に設けられた装飾体光透過部(光透過部)２４２ａ,２５２ａに指向するように設けられ、装飾体光透過部２４２ａ,２５２ａを照らす前方発光体(第２の発光体)２４８ｂ,２５８ｂとを備えている(図５８参照)。
【０１２８】
前記装飾体発光基板２４８,２５８は、遊技盤面に対して板面を立てた姿勢で装飾体基部２４１,２５１の基板収容空間２４１ａ,２５１ａに設置されている(図６８参照)。また、装飾体発光基板２４８,２５８は、装飾体基部２４１,２５１において基板収容空間２４１ａ,２５１ａの前面を画成する前板部２４２,２５２と該基板収納空間２４１ａ,２５１ａの後面を画成する後板部２５３(アーム２２２の他端部)との間に挟持されている。これにより、装飾体２４０,２５０は、該装飾体２４０,２５０自体またはアーム２２２につれて動作するが、装飾体発光基板２４８,２５８をがたつきなく適切に保持することができる。装飾体発光基板２４８,２５８には、光輝部２４７,２５７の端面に臨む一方の板面に側方発光体２４８ａ,２５８ａが設けられ、該装飾体発光基板２４８,２５８における前記一方の板面および他方の板面の何れかにまとめてまたは両方に分けて前方発光体２４８ｂ,２５８ｂが複数設けられている。前方発光体２４８ｂ,２５８ｂの配置は、装飾体発光基板２４８,２５８におけるソケット２４８ｃ,２５８ｃの位置や回路パターンを避けて設定される。側方発光体２４８ａと異なる他方の板面にソケット２４８ｃが設けられる固定装飾体２４０の固定装飾体発光基板２４８では、複数の前方発光体２４８ｂが他方の板面上部に互いに離間して設置される。また、側方発光体２４８ａと同じ一方の板面にソケット２５８ｃが設けられる可動装飾体２５０の可動装飾体発光基板２５８では、該可動装飾体発光基板２５８においてソケット２５８ｃと同一側部に位置する前方発光体２５８ｂが少なくとも他方の板面上部に設置され、他の前方発光体２５８ｂが、両方の板面に交互に振り分けて配置される。
【０１２９】
前記装飾体基部２４１,２５１は、複数の装飾体２４０,２５０の並び方向に離間して複数(実施例では３つ)の装飾体光透過部２４２ａ,２５２ａが前板部２４２,２５２に設けられ、実施例では中央部に位置する装飾体光透過部２４２ａ,２５２ａを挟んで一対の装飾体光透過部２４２ａ,２５２ａが対称な位置関係で配置されている(図５８または図５９参照)。装飾体光透過部２４２ａ,２５２ａは、基部収容空間２４１ａ,２５１ａに設置される装飾体発光基板２４８,２５８の前方発光体２４８ｂ,２５８ｂから照射した光により発光する部分であって、周辺部位より隆起したレンズ加工が施されている。ここで、装飾体光透過部２４２ａ,２５２ａと前方発光体２４８ｂ,２５８ｂとは対応する関係で設けられ、装飾体光透過部２４２ａ,２５２ａの後側の夫々に前方発光体２４８ｂ,２５８ｂが配置されている。
【０１３０】
前記光輝部２４７,２５７は、装飾体基部２４１,２５１の基部収容空間２４１ａ,２５１ａに臨む端面が装飾体発光基板２４８,２５８の側方発光体２４８ａ,２５８ａと前後方向の位置関係が同じになるように配置されて、側方発光体２４８ａ,２５８ａから照射した光が端面から入射するようになっている。光輝部２４７,２５７は、側方発光体２４８ａ,２５８ａから入射する光を拡散する光拡散処理が施されており、実施例では、該光輝部２４７,２５７の後面に形成された微細なシボ加工によって光を前側へ乱反射するように構成される。このように、光輝部２４７,２５７は、端面から入射した光を後面に施された光拡散処理によって拡散することで面発光させる所謂エッジライト構造になっている。
【０１３１】
前記アーム２２２の他端部に設けられる固定装飾体では、固定装飾体基部(装飾体基部)２４１が、アーム２２２の他端部を固定後板部(後板部)２４３として、このアーム２２２の他端部の前面に固定前板部(前板部)２４２を取り付けて構成されている(図６１または図６２参照)。固定後板部２４３は、前記可動体配線通路２２３が設けられたアーム２２２の本体部分に対してアーム２２２の延在方向と交差する横方向に延出し、可動体配線通路２２３より後側に位置するように凹設されている。固定後板部２４３には、一対の略コ字形状の保持片２４４,２４４が、互いの開放端を向き合わせてアーム２２２の延在方向に離間して配置されており、これらの保持片２４４,２４４の間に固定装飾体発光基板２４８の後端を挿入して位置決めしている。固定後板部２４３の外周縁には、前方へ立ち上がった壁が設けられており、表示部４１側の縁部および可動装飾体２５０に隣り合う側縁部の一部の壁が低く形成されている。
【０１３２】
固定前板部２４２は、後面に固定後板部２４３の前面に当接して固定後板部２４３の後側からネジ止め固定される前板固定ボス２４２ｂを有する板状体である(図６２参照)。固定前板部２４２は、固定後板部２４３の壁の前端に当接して該固定後板部２４３から離間して配設され、固定前板部２４２と固定後板部２４３との表示部４１側の縁部の隙間に、固定光輝部(光輝部)２４７を挟んで保持するようになっている。すなわち、固定装飾体２４０では、固定後板部２４３および固定前板部２４２と別体に形成された略三角形状の固定光輝部２４７が、基部収容空間２４１ａに端面を臨ませた状態で固定装飾体基部２４１に取り付けられる。なお、固定装飾体２４０では、複数の装飾体２４０,２５０の並び方向に離間する一対の前板固定ボス２４２ｂ,２４２ｂの間に、固定光輝部の基板収容空間２４１ａに臨む端部が挟まれて当該並び方向の位置決めがなされる。また、固定装飾体基部２４１は、隣り合う可動装飾体２５０の可動装飾体基部２５１に面する側面の夫々に、基部収容空間２４１ａに連通する配線通口２４５が設けられている(図６８参照)。
【０１３３】
前記固定装飾体２４０の固定装飾体発光基板(装飾体発光基板)２４８は、固定光輝部２４７の端面に臨む一方の板面に３つの側方発光体２４８ａが複数の装飾体２４０,２５０の並び方向に離間して設置されると共に、該基板２４８における他方の板面上部に、３つの前方発光体２４８ｂが複数の装飾体２４０,２５０の並び方向に離間して設置されている(図６８参照)。また、固定装飾体発光基板２４８には、配線が接続されるソケット２４８ｃが、該発光基板２４８における可動体配線通路２２３に面する他方の板面に、その接続口を該可動体配線通路２２３側に指向させて設けられている。なお、固定装飾体発光基板２４８のソケット２４８ｃは、該基板２４８においてアーム２２２の一端部側に偏倚して配設されている。
【０１３４】
前記可動装飾体２５０は、可動アーム２２６に設けられるものと補助可動アーム２３０に設けられるものがあるが、構成要素の配置が固定装飾体２４０を挟んで対称な点を除いて同一である。可動装飾体２５０は、可動後板部(後板部)２５３が可動アーム２２６(補助可動アーム２３０)と別体に形成されて、可動後板部２５３と可動光輝部(光輝部)２５７とが一体形成されている(図６１または図６２参照)。可動後板部２５３は、前方に開口する略トレイ形状に形成され、表示部４１側の縁部に延在する壁の前端に可動光輝部２４７が連設されている。また、可動後板部２５３は、隣り合う固定装飾体２４０の固定装飾体基部２４１に対向する側縁の壁が低く形成されており、可動装飾体基部２５１の固定装飾体基部２４１に向かい合う側面に配線通口２５５が設けられている(図６８参照)。可動前板部２５２は、可動後板部２５３の基部構成部分の外形に合わせて形成された板状体であって、後面に複数の装飾体２４０,２５０の並び方向に離間して一対の前板固定ボス２５２ｂ,２５２ｂを有している。可動前板部２５２は、可動後板部２５３の前側を覆って可動後板部２５３の壁の前端に突き合わせて取り付けられ、可動後板部２５３と可動前板部２５２との間に基部収容空間２５１ａが画成される。そして、可動装飾体２５０は、可動後板部２５３に前板部２５２を取り付けた際に、可動後板部２５３のボス孔を介して後側に突出した前板固定ボス２５２ｂを可動アーム２２６(補助可動アーム２３０)に突き合わせて、該可動アーム２２６(補助可動アーム２３０)の後側から前板固定ボス２５２ｂにネジ止めすることで固定される。
【０１３５】
前記可動装飾体２５０の可動装飾体発光基板(装飾体発光基板)２５８は、可動光輝部２５７の端面に臨む一方の板面に３つの側方発光体２５８ａが複数の装飾体２４０,２５０の並び方向に離間して設置されている(図６８参照)。可動体装飾発光基板２５８は、該発光基板２５８における一方の板面上部中央に位置して１つの前方発光体２５８ｂが設置されると共に、他方の板面上部に、２つの前方発光体２５８ｂが複数の装飾体２４０,２５０の並び方向に離間して設置されている。可動装飾体発光基板２５８は、配線が接続されるソケット２５８ｃが、該発光基板２５８の一方の板面における隣り合う固定装飾体２４０側に偏倚して、その接続口を該固定装飾体２４０側の配線通口２５５に指向させて設けられている。
【０１３６】
前記上部可動演出装置２００の配線構造について説明する。上部可動体２２０には、各装飾体２４０,２５０の装飾体発光基板２４８,２５８に接続する配線を収容する可動体配線通路２２３が、アーム２２２の後面を構成する後面板部(壁部壁)の前側に設けられている。また、上部可動体２２０は、アーム２２２の一端部側の軸支部位に隣接すると共に、補助アーム２３４の一端部側の補助軸支部位から外れた位置に、該アーム２２２における後面板部を前後に貫通して可動体配線通路２２３に開口するように形成された配線開口２２５を有している(図６３または図６４参照)。アーム２２２の後面には、配線開口２２５を跨いで後方へ突出する門型に形成された整線片２２２ｃが設けられている(図６５または図６６参照)。整線片２２２ｃは、配線開口２２５におけるアーム２２２の軸支点側に延在するように設けられ、配線開口２２５を通る配線を整線片２２２ｃによって軸支点から離れる方向に誘導している。更に、上部ベース体２０２の後半体２０４には、アーム２２２の動作に伴う配線開口２２５の変位軌跡に合わせて開口するように形成された配線通過口２０８が設けられている(図６２参照)。
【０１３７】
前記上部可動演出装置２００では、装飾体発光基板２４８,２５８に接続する配線をアーム２２２の可動体配線通路２２３に通して、アーム２２２の他端部と一端部との間で取り回し、アーム２２２の一端部側に開設された配線開口２２５およびこの配線開口２２５の後側に設けられた配線通過口２０８を介して配線が上部ベース体２０２の後側に引き出される。そして、配線は、上部ベース体２０２の後半体２０４と裏ユニット５０の上辺部５３ａとの間の隙間を通って左方に引き回され、裏ユニット５０の左辺部５３ｂに設けられる左側部発光装置の反射部材の後側を通って下方に配設されて、裏ユニット５０の下部後面に設置された中継基板３９に接続される。
【０１３８】
前記固定装飾体発光基板２４８に接続する配線は、可動体配線通路２２３におけるアーム２２２の他端部側から該可動体配線通路２２３に臨むソケット２４８ｃに接続される。また、可動装飾体発光基板２４８に接続する配線は、可動体配線通路２２３におけるアーム２２２の他端部側から該配線通路２２３に連通する固定装飾体基部２４１の基板収容空間２４１ａを介して、該固定装飾体基部２４１の側面に開口する固定配線通口２４５と、この固定配線通口２４５に向かい合って可動装飾体基部２５１の側面に開口する可動配線通口２５５とを通って可動装飾体基部２５１の基部収容空間２５１ａに入り、可動配線通口２５５に接続口が指向している可動装飾体発光基板２５８のソケット２５８ｃに接続される。
【０１３９】
前記上部可動演出装置２００は、通常の状態において第１上部可動体２２０Ａおよび第２上部可動体２２０Ｂが待機位置で保持されている(図１７,図１８または図２１参照)。第１上部可動体２２０Ａは、待機位置で板部材４２の左側部と裏ユニット５０の左辺部５３ｂとの間の側部収納空間５７に収容されて、装飾体２４０,２５０の先端を除く大部分が遊技者側から隠されている(図７参照)。第２上部可動体２２０Ｂは、待機位置で上部装飾ユニット３００と裏ユニット５０の上辺部５３ａとの間の上部収容空間５８に収容されて、装飾体２４０,２５０の先端を除く大部分が遊技者側から隠されている。上部可動体２２０は、待機位置で補助アーム２３４に押されて可動アーム２２６がアーム２２２に沿う第１位置に保持され、可動アーム２２６に噛合部２２７,２３１を介して連動する補助可動アーム２３０がアーム２２２の延在方向に沿う第１位置に保持される。これにより、可動アーム２２６および補助可動アーム２３０の夫々に設けられた可動装飾体２５０,２５０は、互いに離間すると共に、これらの可動装飾体２５０,２５０の間に位置してアーム２２２の他端部に設けられた固定装飾体２４０から離間している(図６３または図６５参照)。すなわち、３基の装飾体２４０,２５０,２５０は、互いに分離した状態で並んでいる。
【０１４０】
前記上部可動演出装置２００は、図柄変動ゲームの結果等の特定の条件を満たした際に、待機位置にある２基の上部可動体２２０Ａ,２２０Ｂが同期して待機位置から表示部４１の前側に位置する動作位置に向けて動作される。すなわち、上部駆動機構２７０の上部モータ２７２が駆動されて上部回転板２７６を反時計回りに回転し、上部回転板２７６の回転に伴って連結孔２３７の開口縁に当接しつつ回転変位する上部連結軸２７８によってリンク部２３６を介して第１上部可動体２２０Ａのアーム２２２が反時計回りに変位されて、第１上部可動体２２０Ａが待機位置から動作位置へ向けて右方に動作する(図６５または図６６参照)。第１上部可動体２２０Ａのアーム２２２の変位に伴って、連結歯部２８０,２８１で連結した第２上部可動体２２０Ｂのアーム２２２が時計回りに変位して、第２上部可動体２２０Ｂが待機位置から動作位置へ向けて下方に動作する。両上部可動体２２０Ａ,２２０Ｂのアーム２２２の変位と同時に、各上部可動体２２０Ａ,２２０Ｂの補助アーム２３４も補助軸支点を中心として変位し、アーム２２２の他端部に接続された可動アーム２２６の連結支点と補助アーム２３４の可動アーム２２６への補助連結支点との変位軌跡の差により、補助アーム２３４が可動アーム２２６をアーム２２２の他端部側へ引っ張る。これにより、可動アーム２２６は、アーム２２２に沿う第１位置からアーム２２２から表示部４１側に突出する第２位置に向けて変位するので、可動アーム２２６の可動装飾体２５０が固定装飾体２４０に近接するように変位し、これに連動して補助可動アーム２３０も第１位置から第２位置へ向けて変位するので、補助可動アーム２３０の可動装飾体２５０が固定装飾体２４０に近接するように変位する。
【０１４１】
前記上部可動体２２０Ａ,２２０Ｂは、装飾体２４０,２５０が表示部４１の略中央にある動作位置に到来すると、可動装飾体２５０と固定装飾体２４０との隣り合う縁辺が合わさって半円形状の意匠部ＤＨを形成する。また、上部可動演出装置２００は、第１上部可動体２２０Ａと第２上部可動体２２０Ｂとの夫々の意匠部ＤＨがなす半円形状の直線部分が合わさって、円形の意匠体ＤＲを形成する(図１２,図１９または図２０参照)。なお、両意匠部ＤＨ,ＤＨの直線部分は、左から右に向かうにつれて下方傾斜するよう延在し、動作位置にある下部可動演出装置４００の下部可動体４２０が当該直線部分の前側に重なるようになっている。
【０１４２】
前記上部可動演出装置２００は、所定のステップ数だけ待機位置から上部モータ２７２を駆動して上部可動体２２０Ａ,２２０Ｂを動作位置に到来させた後、上部モータ２７２の駆動方向を切り替えて、動作位置にある２基の上部可動体２２０Ａ,２２０Ｂを同期して夫々の収容空間５７,５８に向けて動作する。すなわち、上部駆動機構２７０の上部モータ２７２が逆駆動されて上部回転板２７６を時計回りに回転し、上部回転板２７６の回転に伴って連結孔２３７の開口縁に当接しつつ回転変位する上部連結軸２７８によってリンク部２３６を介して第１上部可動体２２０Ａのアーム２２２が時計回りに変位されて、第１上部可動体２２０Ａが動作位置から待機位置へ向けて左方に動作する。第１上部可動体２２０Ａのアーム２２２の変位に伴って、連結歯部２８０,２８１で連結した第２上部可動体２２０Ｂのアーム２２２が反時計回りに変位して、第２上部可動体２２０Ｂが動作位置から待機位置へ向けて上方に動作する。
【０１４３】
両上部可動体２２０Ａ,２２０Ｂのアーム２２２の変位と同時に、各上部可動体２２０Ａ,２２０Ｂの補助アーム２３４も補助軸支点を中心として変位し、アーム２２２の他端部に接続された可動アーム２２６の連結支点と補助アーム２３４の可動アーム２２６への補助連結支点との変位軌跡の差により、補助アーム２３４が可動アーム２２６をアーム２２２の他端部から離間する方向へ押す。これにより、可動アーム２２６は、アーム２２２から表示部４１側へ突出した第２位置からアーム２２２に沿う第１位置に向けて変位するので、可動アーム２２６の可動装飾体２５０が固定装飾体２４０から離間するように変位し、これに連動して補助可動アーム２３０も第２位置から第１位置へ向けて変位するので、補助可動アーム２３０の可動装飾体２５０が固定装飾体２４０から離間するように変位する。上部可動体２２０Ａ,２２０Ｂは、待機位置に到来すると、上部検知手段２１６が上部検知片２２２ｂを検知することで上部モータ２７２が停止され、可動アーム２２６および補助可動アーム２３０がアーム２２２に沿って延在すると共に、３基の装飾体２４０,２５０,２５０は分離して、対応の収容空間５７,５８に収容される。
【０１４４】
このように、上部可動演出装置２００は、上部可動体２２０のアーム２２２に設けられた複数の装飾体２４０,２５０が、アーム２２２の動作に連動して互いに集合または離間するように動作するので、アーム２２２の動作に伴う複数の装飾体２４０,２５０の変位とアーム２２２に対する装飾体２４０,２５０の動作とが相まって、動作による演出効果を向上できる。しかも、上部可動演出装置２００は、アーム２２２および装飾体２４０,２５０を有する上部可動体２２０Ａ,２２０Ｂを２基設けることで、遊技盤４０をにぎやかにできる。上部可動体２２０は、可動アーム２２６の可動装飾体２５０とは別に可動装飾体２５０が設けられ、固定装飾体２４０と可動装飾体２５０,２５０が関連付けられて動作するので、簡単な構成で複数の装飾体２４０,２５０によって動作による演出効果を向上し得る。
【０１４５】
前記上部可動演出装置２００は、各アーム２２２に設けた複数の装飾体２４０,２５０が集合して意匠部ＤＨを形成するだけでなく、２つの意匠部ＤＨが集合して１つの意匠体ＤＲを構成するので、結果として大きな意匠体ＤＲを得ることができ、演出効果を向上し得る。上部可動演出装置２００は、２基の上部可動体２２０Ａ,２２０Ｂの対をなすアーム２２２,２２２および装飾体２４０,２５０の組が対称な関係で配置および連動して動作するよう構成されているので、互いの動作が関連付けられて演出効果を相乗し得る。このように、上部可動演出装置２００によれば、上部可動体２２０Ａ,２２０Ｂが装飾体２４０,２５０の動作と組み合わせて複雑な動きをするので、上部可動体２２０Ａ,２２０Ｂの動作による演出効果を向上することができる。
【０１４６】
前記上部可動演出装置２００は、固定装飾体２４０をアーム２２２に対して固定的に設け、固定装飾体２４０の両脇の可動装飾体２５０,２５０を固定装飾体２４０に接離するよう動作させる構成であるので、動作する可動装飾体２５０,２５０を少なくして動作にかかる部材を省略しつつ、集合した際に全体として意匠部ＤＨを適切に形成し得る。また、可動アーム２２６と補助可動アーム２３０とを噛合部２２７,２３１で連繋して可動アーム２２６の動作に補助可動アーム２３０を連動する構成であるので、簡単な構成で、一方の可動装飾体２５０を動かすだけで他方の可動装飾体２５０を同期して動作させることができる。更に、上部可動演出装置２００は、第１上部可動体２２０Ａと第２上部可動体２２０Ｂとを連結歯部２８０,２８１で連繋して第１上部可動体２２０Ａの動作に第２上部可動体２２０Ｂを連動する構成であるので、簡単な構成で、一方の第１上部可動体２２０Ａを上部駆動機構２７０で動かすだけで他方の上部可動体２２０Ｂを同期して動作させることができる。
【０１４７】
前記上部可動体２２０は、可動装飾体２５０を設けた可動アーム２２６を揺動する補助アーム２３４が、可動アーム２２６を支持するアーム２２２の後側に設けられ、アーム２２２、補助アーム２３４および可動アーム２２６で、アーム２２２の動作に伴って補助アーム２３４がアーム２２２の延在方向に沿って変位するリンク構造を構成しているので、アーム２２２の動作に伴う該アーム２２２の延在方向に交差する方向への補助アーム２３４の変位量を最小限に抑え、補助アーム２３４が変位してもアーム２２２で隠して遊技者側となる前側から見え難くすることができる。なお、補助アーム２３４は、アーム２２２より支点間距離が短く設定されているので、アーム２２２の動作に伴う該アーム２２２の延在方向への補助アーム２３４の変位に際して、補助アーム２３４がアーム２２２から突き出し難くすることができる。このように、上部可動体２２０では、可動装飾体２５０を動かす機構が邪魔にならず、上部可動体２２０が装飾体２４０,２５０の動作と組み合わせて複雑な動きをするので、上部可動体２２０の動作による演出効果を向上することができる。
【０１４８】
前記上部可動体２２０は、各装飾体２４０,２５０に設けた装飾体発光基板２４８,２５８の発光体２４８ａ,２４８ｂ,２５８ａ,２５８ｂによって各装飾体２４０,２５０を発光演出することができる。装飾体２４０,２５０は、装飾体基部２４１,２５１の基板収納空間２４１ａ,２５１ａに設置した装飾体発光基板２４８,２５８の前方発光体２４８ｂ,２５８ｂにより装飾体基部２４１,２５１の前面に設けた装飾体光透過部２４２ａ,２５２ａが発光するだけでなく、装飾体基部２４１,２５１から延出する光輝部２４７,２５７を該光輝部２４７,２５７の端面から入射した装飾体発光基板２４８,２５８の側方発光体２４８ａ,２５８ａの光によって面発光させることができる。このように、装飾体２４０,２５０は、装飾体光透過部２４２ａ,２５２ａの発光と光輝部２４７,２５７の発光との異なる発光態様で光による演出を行うことができる。そして、上部可動体２２０は、装飾体２４０,２５０の発光と該上部可動体２２０の動きによる演出と合わせて全体的な演出効果を向上できる。
【０１４９】
前記装飾体２４０,２５０は、装飾体発光基板２４８,２５８を遊技盤面に対して立てた姿勢で設置することで、遊技盤面に沿う方向に広い配設スペースを要せず、遊技盤面に沿う方向の狭いスペースに装飾体発光基板２４８,２５８を設置することが可能である。そして、前方発光体２４８ｂ,２５８ｂを装飾体発光基板２４８,２５８の適宜の板面に振り分けて配設することで、装飾体基部２４１,２５１の前面の装飾体光透過部２４２ａ,２５２ａに合わせて前方発光体２４８ｂ,２５８ｂを配置する自由度が高くなり、装飾体光透過部２４２ａ,２５２ａを適切に照明することができる。ここで、装飾体光透過部２４２ａ,２５２ａはレンズ加工が施されているので、装飾体光透過部２４２ａ,２５２ａの後側から入射した光を拡散または強調して、装飾体光透過部２４２ａ,２５２ａ全体を発光させることができる。
【０１５０】
前記上部可動演出装置２００は、上部可動体２２０が補助アーム２３４でアーム２２２の他端部に設けた可動アーム２２６を揺動することで、可動アーム２２６に設けた可動装飾体２５０を動作させる構成であるが、アーム２２２を軸支する一端部に設けた配線開口２２５を介して装飾体２４０,２５０に設けた装飾体発光基板２４８,２５８に接続する配線を取り回しているので、アーム２２２の動作に伴う配線の変位量が比較的少なく、配線にかかる負荷が軽減されると共に、アーム２２２と配線との干渉を回避することができる。また、配線を収納する可動体配線通路２２３が、補助アーム２３４とアーム２２２の後面板部で隔てて設けられているので、補助アーム２３４と配線とが干渉することがない。そして、上部可動演出装置２００は、上部可動体２２０および上部駆動機構２７０が配設される上部ベース体２０２に配線開口２２５に対応して配線通過口２０８を設け、配線通過口２０８から取り出した配線を、上部ベース体２０２の後側に取り回しているので、上部ベース体２０２の内部に設けられる上部駆動機構２７０や上部可動体２２０に対する配線の干渉をより適切に回避し得る。なお、上部ベース体２０２において、右側部分に設けられるアーム２２２の一端部(配線通過口２０８)に対して、上部駆動機構２７０の上部モータ２７２や上部回転板２７６等の駆動部分が、長手方向に離間した左側部分に設けられるので、配線が干渉する可能性をより低くし得る。
【０１５１】
前記可動装飾体２５０には、固定装飾体２４０における装飾体基部２４１の側面に開口する固定配線通口２４５に対向して、装飾体基部２５１の側面に可動配線通口２５５が設けられると共に、この可動配線通口２５５に指向して装飾体発光基板２５８にソケット２５８ｃが設けられているので、固定装飾体２４０に対して変位する可動装飾体２５０からアーム２２２側に取り回す配線の干渉を回避することができる。
【０１５２】
前記上部可動演出装置２００は、２基の上部可動体２２０Ａ,２２０Ｂが、該上部可動体２２０Ａ,２２０Ｂのアーム２２２を上部ベース体２０２に軸支する一端部に設けた連結歯部２８０,２８１同士のかみ合わせにより連結する構成であるので、互いの軸支点で連結部分でのがたつきを抑制することができる。しかも、隣り合う上部可動体２２０Ａ,２２０Ｂの連結歯部２８０,２８１のかみ合わせ範囲によってアーム２２２の揺動範囲が規定されるので、連結歯部２８０,２８１を軸支点より離すことなく、アーム２２２を大きく変位することができる。また、アーム２２２の一端部は、上部ベース体２０２に後当接部３３８が当接することで支持されているので、上部可動体２２０をより円滑かつ安定して動作させることができる。第２上部可動体２２０Ｂは、アーム２２２が前当接部３３９および後当接部３３８を介して上部ベース体２０２で挟持されるので、より円滑かつ安定して動作させることができる。上部駆動機構２７０に連結する第１上部可動体２２０Ａのアーム２２２は、軸支点だけでなく該上部駆動機構２７０によっても支持されているが、第１上部可動体２２０Ａに連動して動作する第２上部可動体２２０Ｂのアーム２２２に対して前後の当接部３３８,３３９を設けることで、全体としてより安定させることができる。更に、当接部３３８,３３９を２基の連結部分である連結歯部２８０,２８１の歯の並びに沿って設けることで、連結状態の安定化を図り、上部可動体２２０をより円滑かつ安定して動作させることができる。
【０１５３】
前記上部可動体２２０は、動作位置で可動アーム２２６および補助可動アーム２３０がアーム２２２の延在方向と異なる横方向に突き出て可動装飾体２５０が表示部４１側に突出することで、固定装飾体２４０と共に比較的大型の意匠部ＤＨを構成している。上部可動体２２０は、待機位置において可動アーム２２６が待機位置でアーム２２２に沿って延在すると共に補助可動アーム２３０がアーム２２２を延長するように並んで、アーム２２２と並行して略直線状に延在するので、可動アーム２２６および補助可動アーム２３０に設けた可動装飾体２５０,２５０がアーム２２２の固定装飾体２４０とアーム２２２の延在方向に並び、アーム２２２からの突出寸法が抑えることができる。このように、上部可動演出装置２００は、動作位置で意匠部ＤＨを構成する複数の装飾体２４０,２５０,２５０が、待機位置でアーム２２２に沿って並ぶように分離するので、上部可動体２２０が待機位置で場所をとらない。
【０１５４】
前記遊技盤４０では、表示部４１の外側において該表示部４１の縁辺に沿う方向に比較的長さを取ることができるが、表示部４１の縁辺から裏ユニット５０の該縁辺に沿う壁部５４までにスペースを取ることが難しい。上部可動体２２０は、待機位置で複数の装飾体２４０,２５０における表示部４１側の端部が揃うように変位し、アーム２２２からの突出寸法を抑えることができるので、アーム２２２の延在方向と交差する方向に配設スペースを取らず、裏ユニット５０の辺部５３ａ,５３ｂを用いた狭い収容空間５７,５８に収容することができる。そして、上部可動演出装置２００は、上部可動体２２０を待機位置で収容空間５７,５８に隠すことができるので、上部可動体２２０を動作させた際に、上部可動体２２０が表示部４１の前側に突然現れることになり、上部可動体２２０の動作の意外性を増すことができる。また、上部可動演出装置２００は、２基の上部可動体２２０,２２０を備えているが、上部駆動機構２７０を表示部４１の左上角隅部外側に配置すると共に、該角隅部で交差する上辺部５３ａおよび左辺部５３ｂに上部可動体２２０を振り分けて配置することで、表示部４１の外側の空間を適切に用いてより大きな上部可動体２２０を配置することができる。
【０１５５】
(上部装飾ユニット)
前記遊技盤４０には、裏ユニット５０の上辺部５３ａに位置して、上部可動演出装置２００の前側に上部装飾ユニット３００が設けられている(図４,図７または図１５参照)。また、上部装飾ユニット３００は、装飾枠部材１００の窓口１００ａの内側に位置して表示部４１の上外側に配置されて、表示部４１における上側部分を左右に亘って占めている。上部装飾ユニット３００は、表示部４１の上側部分を構成するユニット本体３０２と、このユニット本体３０２の前側に設けられ、ユニット本体３０２に配設された動作機構３５０によって上下方向(表示部４１に対して進退する方向)へ往復動作する動作体３２０とを備えており、ユニット本体３０２および／または動作体３２０の発光による演出と動作体の動作による演出とを組み合わせてあるいは独立して行い得るよう構成されている。
【０１５６】
前記ユニット本体３０２は、裏ユニット５０における設置板部５３の左上角隅部に設置される上部可動演出装置２００の上部ベース体２０２の前半体２１０前面に左側部(一部)が重なっている(図１５参照)。ユニット本体３０２は、左側部を上部ベース体２０２に取り付けると共に、裏ユニット５０の上縁前端に延在する取付フランジ部５４ａに上部を取り付けることで、裏ユニット５０に固定されている。ユニット本体３０２は、裏ユニット５０の設置板部５３から前側に離間させて設置されている(図８または図８５参照)。上部可動演出装置２００は、上部ベース体２０２の前後寸法を板部材４２と裏ユニット５０の設置板部５３との間と略同一に形成しており、裏ユニット５０の設置板部５３に取り付けられた上部ベース体２０２の前面が裏ユニット５０の前端(板部材４２の後面に当接する端部)と略同一になるよう設定されている。そして、上部装飾ユニット３００は、ユニット本体３０２を、上部ベース体２０２および裏ユニット５０の前端に設けた取付フランジ部５４ａで支持することで、上部ベース体２０２の右側におけるユニット本体３０２と裏ユニット５０の設置板部５３との間にスペース(上部収納空間５８)が画成される。上部可動演出装置２００は、裏ユニット５０の上辺部５３ａに待機位置で延在する第２上部可動体２２０Ｂが、板部材４２と裏ユニット５０の設置板部５３との間の離間寸法より薄く設定されて、待機位置において第２上部可動体２２０Ｂが上部収容空間５８に収容される。
【０１５７】
前記ユニット本体３０２は、待機位置で上部収容空間５８に位置している第２上部可動体２２０Ｂを覆う目隠しとして機能し、待機位置にある第２上部可動体２２０Ｂと動作体３２０とが前後の関係で重ねて配置されている。そして、上部装飾ユニット３００は、板部材４２の厚み寸法および板部材４２の前側に突出する装飾枠部材１００の庇状部１０６の前後寸法を用いて配設されている(図８参照)。上部装飾ユニット３００では、動作体３２０が上下方向に往復動作される一方、上部可動演出装置２００では、第２上部可動体２２０Ｂが、裏ユニット５０の上辺部５３ａ左側を軸支点として、待機位置の略水平な姿勢と動作位置の傾斜した姿勢との間で動作され、上部収容空間５８から出没する第２上部可動体２２０Ｂの変位方向と動作体３２０の変位方向とが近似するよう構成されている。
【０１５８】
前記ユニット本体３０２は、裏ユニット５０の上辺部５３ａから前側に離間させて取り付けられた基盤部３０４と、この基盤部３０４の後側に取り付けられ、動作体３２０と重ならない前面に発光体３０６ａを有するユニット発光基板(発光基板)３０６と、基盤部３０４の前側に取り付けられた装飾カバー３０８とを備えている(図７１参照)。基盤部３０４は、上部装飾ユニット３００を構成する部材の設置基盤であって、上部装飾ユニット３００は、基盤部３０４を介して一体的に取り扱い可能で、裏ユニット５０に対して一体的に着脱することができる。基盤部３０４は、左右方向に長手が延在する板状部材であって、外周縁後面に後方へ向けて周壁３０４ａ(図７３参照)を有するトレイ形状に形成されている。基盤部３０４は、光を透過し得る透光性を有し、実施例では後側に設置されるユニット発光基板３０６を透かして見えない半透明になっている。
【０１５９】
前記ユニット発光基板３０６は、左上固定発光部５００の発光領域の後側に並ぶ発光体群と、右上固定発光部５４０の発光領域の後側に並ぶ発光体群とを含む複数の発光体３０６ａが前面に設置されている(図７１または図７２参照)。ユニット発光基板３０６は、基盤部３０４の後面から発光体３０６ａを離間させた状態で、基盤部３０４の後側に周壁３０４ａの内側に嵌め合わせてネジ止め固定されている(図７３参照)。
【０１６０】
前記装飾カバー３０８は、光を透過し得る透光性を有し、実施例では透明になっている。 装飾カバー３０８には、動作体３２０の左側となる左側部に、左上固定発光部５００における下ブロックのカバー部分が設けられている(図７２参照)。また、装飾カバー３０８には、中央より右側部位に位置して、右上固定発光部５４０における下ブロックのカバー部分が該動作体３２０と重ならないように設けられている。ここで、前記カバー部分は、左上固定発光部５００および右上固定発光部５４０における下ブロックの発光カバー５０２ａ,５４２ａで装飾カバー３０８に開設された開口を塞ぎ、発光カバー５０２ａ,５４２ａの周縁を囲んで額縁部５０４ａ,５４２ａを装飾カバー３０８の前面に取り付けて構成されている。
【０１６１】
前記動作体３２０は、該動作体３２０の外郭を構成する前枠部３２２の内部(以下、部品収容空間という。)に、動作体発光基板３２４や、この動作体発光基板３２４の前面に設けられた発光体３２４ａの前側を覆う光拡散部材３２８,３２９や、動作体発光基板３２４の後側を保持する後保持板３３０を収容して(図７１参照)、前枠部３２２の前後寸法内に構成部材が収まるよう構成される(図８または図８５参照)。前枠部３２２は、後側に開放された箱状に形成されて、動作体３２０の前面および周面を構成している。前枠部３２２は、前面に光の透過を許容する透明な透過部３２２ａを設け、この透過部３２２ａ以外の前面の領域および周面が光を透過しないように構成されている。前枠部３２２の後面には、凸の先端が先細りになるよう形成されたローレット加工が施されている。そして、前枠部３２２には、動作体３２０の前面および周面を構成する壁で囲われて部品収容空間が画成されている。部品収容空間には、所要の光拡散処理が施されたシート状の光拡散部材３２８,３２９が、前枠部３２２の後面に当接するように収容されて、この光拡散部材３２８,３２９で透過部３２２ａの後側を覆っている。なお、実施例の動作体３２０では、２枚の光拡散部材３２８,３２９が重ね合せて配設されている(図７１参照)。
【０１６２】
前記動作体発光基板３２６は、前枠部３２２の後面に板面を相対させた状態で部品収容空間に収容され、前面に前枠部３２２の透過部３２２ａに合わせて発光体３２６ａが複数設けられている。動作体発光基板３２６は、前枠部３２２の後面に突設された前突片(図示せず)に前面を当接させて、前枠部３２２の後面を覆う光拡散部材３２８,３２９から発光体３２６ａが後側に離間するように設置されている。
【０１６３】
前記後保持板３３０は、前面に前方へ突設された後突片３３１を前枠部３２２の後面に突き合わせて、動作体発光基板３２６の後側に位置して部品収容空間に収容され、前枠部３２２に対してねじ止め固定される。後保持板３３０は、前枠部３２２に固定した際に、前突片との間に動作体発光基板３２６を挟持して該動作体発光基板３２６を保持している。また、後保持板３３０の後面には、ユニット本体３０２における装飾カバー３０８に開設された取付孔３１０(図７２参照)に往復動可能に保持される複数の取付軸３３２が後側へ向けて突設されている(図７５参照)。後保持板３３０には、上部装飾ユニット３００が設置される裏ユニット５０の上辺部５３ａの延在方向(左右)に離間して対をなす取付軸３３２が上下に並べて２組設けられ(図７５参照)、後保持板３３０における左右の各側部の夫々に上下に離間して取付軸３３２が配置されている。上部装飾ユニット３００は、取付軸３３２の夫々に対応して上下に長手が延在するように取付孔３１０が装飾カバー３０８に開設され(図７２参照)、取付孔３１０に該取付孔３１０の長手に沿って移動可能に保持された取付軸３３２を介して、動作体３２０がユニット本体３０２の前側に取り付けられている。このように、略矩形状の動作体３２０は、各隅部に対応する取付軸３３２によってユニット本体３０２に対して保持されるので、安定して動作することができる。なお、動作体発光基板３２６は、後保持板３３０の前面から僅かに離間し、後面に設けられた抵抗で生じる熱を逃し得るようになっている。
【０１６４】
前記動作機構３５０は、統括制御装置３６の制御下に出力軸３５３を往復動するソレノイド３５２と、一端部が動作体３２０の取付軸３３２に連繋されると共に他端部が出力軸３５３に連繋されるリンクアーム３５４とを備え、ソレノイド３５２の駆動によりリンクアーム３５４を揺動して動作体３２０を往復動するよう構成されている(図７１または図７５参照)。ソレノイド３５２は、出力軸３５３を下方へ向けた姿勢で基盤部３０４と装飾カバー３０８との間に配設され(図８または図８５参照)、左右に離間する取付孔３１０,３１０の中央部に位置している。また、ソレノイド３５２は、動作体３２０の後側に位置しており、動作体３２０によって隠されている。ソレノイド３５２は、非通電時に出力軸３５３が下方へ突出するように図示しないばねで付勢されて(図７７(ａ)参照)、通電時に出力軸３５３がばねの付勢に抗して上方へ持ち上げられる(図７７(ｂ)参照)。
【０１６５】
前記動作機構３５０は、出力軸３５３の下端(先端)を挟んで対称な関係で装飾カバー３０８の後側に配置された一対のリンクアーム３５４,３５４を備えており(図７０参照)、出力軸３５３から右方に延在する右側のリンクアーム３５４が右下側の取付軸３３２に接続され、出力軸３５３の左方へ延在する左側のリンクアーム３５４が左下側の取付軸３３２に接続されている。各リンクアーム３５４は、中間部が装飾カバー３０８の後側に揺動可能に軸支され、一端部が下側の取付孔３１０から装飾カバー３０８の後側に突出する下側の取付軸３３２に連結されている。なお、各リンクアーム３５４は、中間部が装飾カバー３０８の下部に軸支され、ユニット本体３０２の下部領域に設けられている。ここで、ユニット本体３０２は、一対のリンクアーム３５４,３５４の他端部の後側部分に基盤部３０４が延在する一方、該基盤部３４０のリンクアーム３５４の一端部から中間部にかけての後側部分の下縁が装飾カバー３０８の下縁より上方に位置するように設定され、リンクアーム３５４の一端部から中間部にかけての後側が開放されている(図７０参照)。
【０１６６】
一対のリンクアーム３５４,３５４は、出力軸３５３の下側で向かい合う他端部が互いに連結されて、出力軸３５３の上下動によって互いに同期して揺動するようになっている。実施例では、一方(右側)のリンクアーム３５４の他端部に接続された出力軸３５３の上下動に伴って、両リンクアーム３５４,３５４が夫々の装飾カバー３０８への軸支点を中心として連動して動作するよう構成される。各リンクアーム３５４の他端部には、互いに対向する周面に複数の凹凸からなる連動ギヤ部３５５が形成されており、一対のリンクアーム３５４,３５４が連動ギヤ部３５５を互いに噛み合わせて設置されている。動作機構３５０は、ソレノイド３５２の出力軸３５３によって右側のリンクアーム３５４の他端部が下方へ押し下げた状態で保持されることで、連結ギヤ部３５５を介して他端部が連繋する左側のリンクアーム３５４の他端部が下方へ押し下げられた状態で保持される(図７７(ａ)参照)。この際、一対のリンクアーム３５４,３５４の一端部は、上方に持ち上がり、動作体３２０を上側位置で保持している。動作機構３５０は、ソレノイド３５２の駆動によって出力軸３５３により右側のリンクアーム３５４の他端部が上方へ引き上げられることで、連結ギヤ部３５５を介して左側のリンクアーム３５４の他端部も上方へ引き上げられる(図７７(ｂ)参照)。この際、一対のリンクアーム３５４,３５４の他端部は、下方へ変位して、動作体３２０を下側位置に変位される。このように、動作体３２０は、ソレノイド３５２の通電・非通電の切り替えに応じて上下に往復動される。
【０１６７】
前記右側のリンクアーム３５４は、装飾カバー３０８の後面に沿って延在する一端部および中間部に対して他端部が前側に偏倚するように屈曲形成されて、他端部が出力軸３５３の延長線上から外れている。右側のリンクアーム３５４に対応して左側のリンクアーム３５４についても、他端部が装飾カバー３０８の後面に沿って延在する一端部および中間部に対して他端部が前側に偏倚するように屈曲形成されている。右側のリンクアーム３５４は、出力軸３５３の先端に固定されて該出力軸３５３の突出方向と交差する方向に延出する係止片３５３ａを、他端部の後面に上下に離間して突設された一対の引っ掛け片３５４ａの間に保持することで出力軸３５３に追随するようになっている(図７５参照)。
【０１６８】
前記装飾カバー３０８は、両リンクアーム３５４,３５４の他端部の前側に対応する部位が切り欠かれており、このカバー切欠部３１１に一端部側より前側に延出する他端部が収容されている(図７２参照)。すなわち、リンクアーム３５４の前側へ突出する他端部を装飾カバー３０８のカバー切欠部３１１に収容することで、装飾カバー３０８の厚みを有効利用して、基盤部３０４と装飾カバー３０８との間の前後幅の中にリンクアーム３５４を収めることができ、ユニット本体３０２の前後寸法をよりコンパクトにできる。
【０１６９】
各リンクアーム３５４は、中間部に装飾カバー３０８に固定された支軸を保持する軸保持部３５６(リンクアーム３５４における中間部および一端部の間で後側に突設する部位)が後側に突出するように形成されて、支軸を比較的長い範囲に亘って保持することで安定して揺動し得るようになっている。基盤部３０４は、前述した如く軸保持部３５６に対応する下側部位が切り欠かれており、この基盤切欠部３０５に軸保持部３５６が収容されるようになっている。このように、リンクアーム３５４の後側へ突出する軸保持部３５６を基盤部３０４の基盤切欠部３０５に収容することで、基盤部３０４の厚みを有効利用して基盤部３０４と装飾カバー３０８との間の前後幅の中にリンクアーム３５４を収めることができ、ユニット本体３０２の前後寸法をよりコンパクトにできる。ユニット本体３０２は、基盤部３０４の内側にユニット発光基板３０６が収容されると共に、リンクアーム３５４の前後への突出部分が装飾カバー３０８および基盤部３０４の厚みを用いて収容されているから、前後寸法をコンパクトにできる。
【０１７０】
前記動作体発光基板３２６に接続する配線の配設構造について説明する。動作体発光基板３２６には、動作体３２０の後面における上部中央にソケット３２６ｂが設けられ、後保持板３３０と前枠部３２２との間から後側に臨むソケット３２６ｂの後方に指向する接続口に配線が接続されている。装飾カバー３０８および基盤部３０４には、ソケット３２６ｂの後側に位置して、動作体３２０の上下動に伴うソケット３２６ｂの移動範囲に合わせて通過口３１２が開設され、この通過口３１２を介して動作体３２０から配線が基盤部３０４の後側に取り回される。ユニット本体３０２には、基盤部３０４とこの基盤部３０４の後側に取り付けられるユニット発光基板３０６との間に隙間が設けられており、この隙間を介して前記配線が基盤部３０４の後側を取り回される。なお、基盤部３０４の後側には、配線の取り回し経路に複数の配線フック３０４ｂが設けられ(図７３参照)、この配線フック３０４ｂで配線を保持することで、ユニット発光基板３０６やユニット本体３０２の取り付け時に配線の噛み込みを防止している。
【０１７１】
このように、ユニット本体３０２では、ユニット発光基板３０６の前側に発光体３０６ａが設けられるので、基盤部３０４とユニット発光基板３０６との間に発光体３０６ａを配設するための隙間ができる。この隙間に配線を収容することで、配線がユニット本体の前側または後側に出ず、取り付けや意匠の邪魔にならない。しかも、ユニット本体に設けられる通過口３１２は、動作体３２０の上下動に伴うソケット３２６ｂの移動範囲に合わせて開設されているので、動作体３２０とユニット本体３０２との間を亘る配線への負荷を軽減できる。
【０１７２】
前記上部装飾ユニット３００は、動作体３２０が外郭を構成する前枠部３２２の内部の部品収容空間に、光拡散部材３２８,３２９、動作体発光基板３２６および後保持板３３０が収容されると共に、動作機構３５０がソレノイド３５２とリンクアーム３５４とからなる簡易な構成であるので、ユニット本体３０２およびこのユニット本体３０２の前側に設けられる動作体３２０の夫々に発光基板３０６,３２６を設け、発光演出できるように構成しても、前後方向の寸法をコンパクトにできる。また、ユニット本体３０２は、上部可動演出装置２００の上部ベース体２０２および裏ユニット５０の壁部５４前端で支持されて、設置板部５３から前側に離間して配設されている。これにより画成された上部収容空間５８に、第２上部可動体２２０Ｂを収容することで、表示部４１の外側の同一の辺に、第２上部可動体２２０Ｂと動作体３２０との２つの可動物を前後に重ねて配置しているから、これらの可動体２２０Ｂ,３２０によって動作演出効果を相乗することができる。
【０１７３】
前記遊技盤４０では、第２上部可動体２２０Ｂおよび上部装飾ユニット３００が前後にコンパクトであるので、裏ユニット５０の設置板部５３から板部材４２の表示貫通口４２ａから臨む板部材４２の前側のスペースに、２つの可動体２２０Ｂ,３２０および発光演出可能なユニット本体３０２を前後に重ね合せて配設することができる。また、遊技盤４０では、後側に位置する第２上部可動体２２０Ｂが前側の上部装飾ユニット３００のユニット本体３０２に隠れる構成であるので、第２上部可動体２２０Ｂが隠れた位置から出現することで、動作の意外性が向上する。従って、遊技盤４０の前後スペースを最大限に活かして、表示部４１の周りを多重に発光演出および動作演出して、演出効果を向上し得る。
【０１７４】
前記上部装飾ユニット３００は、上部可動演出装置２００の上部駆動機構２７０が配設される上部ベース体２０２を、ユニット本体３０２の固定部として用いているので、ユニット本体３０２を裏ユニット５０の設置板部５３から離して支持するための部材を省略できる。また、遊技盤４０は、遊技領域４０ａの上側は、配設される他の部材が少なく、パチンコ球の流下にあまり影響を与えないので、上部装飾ユニット３００を表示部４１の上外側に設けることで、該上部装飾ユニット３００の上下寸法または動作体３２０の動作範囲を大きくすることができる。しかも、上部装飾ユニット３００は、装飾枠部材１００の窓口１００ａに臨むが、ユニット本体３０２の装飾カバー３０８に設けられた位置決め孔３１７に対して装飾枠部材１００の位置決めボス１１２が嵌合して、ユニット本体３０２と装飾枠部材１００が互いに位置決めされているので、両者がずれなく一体感のある意匠を構成し得る。
【０１７５】
(下部可動演出装置)
図７８〜図８３に示すように、前記下部可動演出装置(第２の可動演出装置)４００は、裏ユニット５０の下辺部５３ｄと右辺部５３ｃとが交差する角隅部に設置される下部ベース体(第２のベース体)４０２と、この下部ベース体４０２に往復動作可能に設けられた下部可動体(第２の可動体)４２０と、この下部可動体４２０を往復動作させる下部駆動機構(第２の駆動機構)４５０とを備えている。下部可動演出装置４００は、下部可動体４２０の一端部が表示部４１の外側において下部ベース体４０２に軸支されて、表示部４１の外側に位置する待機位置と(図７,図１５,図１７または図７８参照)、この待機位置から変位して表示部４１の前側に位置する動作位置との間で(図１２,図１９または図７９参照)、下部可動体４２０が下部駆動機構４５０によって揺動されるようになっている。
【０１７６】
前記下部可動演出装置４００は、待機位置において下部可動体４２０が裏ユニット５０の右辺部５３ｃに設けられた右側部発光装置５３０の前側に位置して、装飾枠部材１００の窓口１００ａを介して前側に臨んでいる(図１,図４または図７参照)。下部可動演出装置４００は、下部可動体４２０が動作位置において、略四角形の表示部４１の右下角隅部から対角の左上角隅部に向けて傾斜する姿勢になるよう、表示部４１の前側に変位するようになっている(図１２参照)。下部可動演出装置４００は、下部ベース体４０２を介して下部可動体４２０および下部駆動機構４５０を一体的に取り扱い可能で、裏ユニット５０に対して一体的に着脱可能であるユニット構造となっている。
【０１７７】
前記下部ベース体４０２は、裏ユニット５０の右辺部５３ｃと下辺部５３ｄが交差する右下角隅部に設置されている。下部ベース体４０２は、前側に開放する箱形状に形成された後板体４０４と、この後板体４０４の前側上部を覆う下部ベース上飾り４０８と、この後板体４０４の前側下部を覆う前板体４１０とを有している(図８１または図８２参照)。前板体４１０は、後板体４０４の下部縁辺に合わせて後方へ突出する壁を、後板体４０４の下部縁辺に延在する壁に突き合わせて該後板体４０４にネジ止め固定されている。そして、下部ベース体４０２には、後板体４０４と前板体４１０との間に、下部駆動機構４５０の後述するギヤ部や変換部を収容する空間が画成されている。また、前板体４１０の前面には、下部ベース体４０２の下側領域を発光演出する発光体４１２ａを前面に備えた下部ベース発光基板４１２が取り付けられ、下部ベース発光基板４１２の前側に、待機位置にある下部可動体４２０の右側から下側部位にかけて光透過性を有する下部ベース下飾り４１４が取り付けられている(図７８参照)。
【０１７８】
前記下部ベース上飾り４０８は、光を透過し得るよう構成され、待機位置にある下部可動体４２０の左側部位に発光演出部を構成する第１右下固定発光部５１０が設けられると共に、下部可動体４２０の後側から右側部位に右側部発光装置６２０の主照明部６２６および囲繞部６２９が設けられている(図７８参照)。また、下部ベース発光基板４１２の前側には、待機位置にある下部可動体４２０の右側下部に位置して、発光演出部を構成する第２右下固定発光部６２０が設けられている。各発光部５１０,５２０は、所定方向に長手が延在する発光カバー５１２,５２２と、この発光カバー５１２,５２２の少なくとも長手縁を縁取る額縁部５１４,５２４と、発光カバー５１２,５２２の後側に設けられた発光体４１２ａ,６０２ａとから構成される。
【０１７９】
前記下部可動体４２０は、表示部４１の外側に位置する一端部と、動作位置において表示部４１の前側に位置する他端部との離間方向に長手辺が延在する長尺な形状であって、実施例では刀の如き意匠形状になっている(図７８参照)。下部可動体４２０は、該下部可動体４２０において動作位置で表示部４１の前側に突出する上側部分の意匠形状をなす本体部４２２と、この本体部４２２の後側に設けられた下部可動体発光基板４２６と、本体部４２２の下部前側に取り付けられ、該下部可動体４２０の下側部分の意匠をなす下部意匠部４２８とを備えている(図８１または図８２参照)。
【０１８０】
前記本体部４２２は、下部ベース体４０２の前側に配置され、該本体部４２２の後面を凹ませて下部可動体発光基板４２６が収容される基板収容凹部４２２ａが形成されている(図８２参照)。本体部４２２は、一方の側縁(実施例では左側縁)から先端にかけて光を透過し得る半透明に形成される一方、他の部位が光を透過しないように形成されている。実施例の本体部４２２は、光を透過する光透過部４２２ｂが左側縁から先端にかけて形成されると共に、その他の部位部が光を反射する飾りを施して光を透過しない不透過部４２２ｃとされている(図７８または図７９参照)。また、下部可動体４２０は、本体部４２２の下部を光を反射するめっき等の処理が施された下部意匠部４２８で覆うことで、下側部分が光を透過しないように形成されている。なお、下部可動体発光基板４２６の発光体４２６ａは、本体部４２２の不透過部４２２ｃの後側に位置して、本体部４２２の左側縁に沿って並べて配置されている。
【０１８１】
前記本体部４２２は、該本体部４２２の下部後面から後方へ突出形成されて、前板体４１０および下部ベース上飾り４０８を切り欠いて開設された挿通口４１６を介して下部ベース体４０２の内部に臨む連結片部４２３と、この連結片部４２３の後端から左右に延在するよう形成されて、後側に開放したトレイ状の連結板部４２４とを備えている(図８１または図８２参照)。連結板部４２４は、下部ベース体４０２の内部に収容されて連結片部４２３から左方に延出する部位が、後板体４０４と前板体４１０との間に挟まれて、後板体４０４と前板体４１０との間で固定された支軸４２５で揺動可能に軸支されている。
【０１８２】
前記下部可動体４２０では、下部可動体発光基板４２６の前面に複数設けられた発光体４２６ａおよび本体部４２２の光透過部４２２ｂとから発光演出部の一部を構成する可動発光部４３０が構成されている。可動発光部４３０は、下部可動体発光基板４２６の発光体４２６ａから照射された光によって光透過部４２２ｂが発光し、下部可動体４２０の動作位置で表示部４１の前側に位置する本体部４２２の左側縁から先端にかけて延在する発光領域が形成される。すなわち、下部可動体４２０では、表示部４１の外側に支持された一端部から前記動作位置で該表示部４１の前側に臨む他端部に向けて長手辺が延在する形状の本体部４２２に合わせて、該長手辺に沿って可動発光部４３０の発光領域が設けられている。ここで、可動発光部４３０の下部可動体４２０の長手に沿って形成される発光領域は、下部可動体４２０の動作位置で、表示部４１の左上側に設けられる左上固定発光部５００の発光領域と同一延在方向に並ぶように形成されている(図１２参照)。なお、左上固定発光部５００の発光領域は、表示部４１の上縁(外縁)から遊技盤４０の遊技領域４０ａに向かうにつれて左方に偏倚するよう傾斜する線状に形成されている。そして、遊技盤４０では、可動発光部４３０の発光と左上固定発光部の発光との組み合わせにより発光演出を行うよう構成されている。
【０１８３】
前記下部駆動機構４５０は、下部ベース体４０２における前板体４１０の前面に出力軸４５３を後側に向けて設置した下部モータ(第２のモータ)４５３と、下部ベース体４０２の後面を構成する後板体４０４に設けられ、下部モータ４５２に連繋して回転する下部ギヤ部(第２のギヤ部)と、この下部ギヤ部の前側に設けられ、下部ギヤ部の回転を該下部ギヤ部の前側に位置して下部ベース体４０２に支持された下部可動体４２０の往復動作に変換する下部変換部(第２の変換部)とを備えている(図８１〜図８３参照)。下部モータ４５２は、正逆駆動可能なステッピングモータ等が採用され、下部ベース体４０２における前板体４１０の右側部中央に後方へ向けて凹設されたモータ設置部４１０ａの前面に、出力軸４５３を後側に向けて設置されている。また、下部ベース体４０２の内部に臨む出力軸４５３の先端には、下部ピニオン４５４が固定されている。
【０１８４】
実施例の下部ギヤ部は、下部ピニオン４５４の左側に位置して後板体４０４に回転可能に軸支された下部歯車４５６から構成されて、下部歯車４５６が下部ピニオン４５４に噛み合って下部モータ４５２の駆動により正逆回転される。下部歯車４５６は、回転中心より半径方向外側に偏倚して、前面から突出するように設けられた下部連結軸４５７を備えており、この下部連結軸４５７が下部可動体４２０の連結板部４２４の後側に取り付けられるリンク板部３６０に形成された下部連結孔３６１に連繋するようになっている。すなわち、下部駆動機構４５０では、下部歯車４５６の回転につれて回転変位する下部連結軸４５７とリンク板部４６０の下部連結孔４６１とから下部変換部が構成される。下部連結軸４５７は、下部歯車４５６の前側に配置されたリンク板部４６０の下部連結孔４６１に後側から挿入されている。下部連結孔４６１は、短手の幅が下部連結軸４５７の外径に合わせて設定され、長手の長さが下部歯車４５６の回転に伴う下部連結軸４５７の回転変位軌跡の半径以上に設定されている。
【０１８５】
前記下部駆動機構４５０は、下部歯車４５６の回転により下部連結軸４５７が下部連結孔４６１の開口縁を押しつつ回転変位することで、下部可動体４２０を下部歯部４５６の左側に位置する下部ベース体４０２への軸支点を中心に揺動するようになっている(図８３参照)。ここで、下部駆動機構４５０は、下部可動体４２０の待機位置で下部連結軸４５７が下部歯車４５６の底部に位置し(図８３(ａ)参照)、下部歯車４５６の反時計回りの回転に伴い上方へ回転変位する下部連結軸４５７によりリンク板部４６０を押し上げることで、下部可動体４２０が待機位置から動作位置に傾動される。また、下部駆動機構４５０は、下部可動体４２０の動作位置で下部連結軸４５７が下部歯車４５６の頂部に位置し(図８３(ｂ)参照)、下部歯車４５６の時計回りの回転に伴い下方へ回転変位する下部連結軸４５７によりリンク板部４６０を押し下げることで、下部可動体４２０が動作位置から待機位置に傾動される。
【０１８６】
前記下部歯車４５６には、後面から後方へ突出するガイド片４５８が設けられている(図８３参照)。ガイド片４５８は、下部歯車４５６の後面において、下部連結軸４５７に対して下部歯車４５６の回転中心を挟んで対称な位置に配置されて、下部歯車４５６の後側に位置する後板体４０４に開設されたガイド孔４０５(図８１または図８２参照)から突出している。ガイド孔４０５から突出するガイド片４５８の後端部には、ガイド片４５８の突出方向と交差する横方向に延出するフランジ(図示せず)が着脱可能に設けられ、このフランジがガイド孔４０５の開口縁後面に当接するようになっている。ガイド孔４０５は、下部歯車４５６の回転に伴うガイド片４５８の変位軌跡に合わせて、後板体４０４に円弧状に延在するよう開設されている。実施例では、後板体４０４の後面がガイド孔４０５の周囲が凹設されており(図８２参照)、この凹設部分にガイド片４５８のフランジが嵌り込むようになっている。このように、下部駆動機構４５０は、ガイド孔４０５の開口縁にフランジが引っ掛かって下部歯車４５６の前方への変位を抑制することができると共に、後板体４０４の凹設部分によってフランジの変位方向と交差する横方向の移動が規制される。従って、下部歯車４５６には、下部連結軸４５７を介して下部可動体４２０の荷重がかかるが、ガイド片４５８のフランジと後板体４０４との係止関係によってがつたきを抑制して、下部歯車４５６を安定して回転させることができ、下部可動体４２０を円滑に動作させることができる。しかも、下部駆動機構４５０は、ガイド片４５８が下部連結軸４５７と下部歯車４５６の回転中心を挟んで対称な位置に配置されているので、下部連結軸４５７を介して下部歯車にかかる力とのバランスがとれ、より安定させることができる。
【０１８７】
前記下部可動演出装置４００では、後板体４０４に設けた下部検知手段４１７(原位置検知手段)によるリンク板部４６０に設けられた下部検知片４６２の有無の検知に基づいて下部可動体４２０の位置が判定されるようになっている(図８３(ａ)参照)。なお、下部検知手段４１７としては、フォトセンサ等の近接スイッチが採用されている。下部検知手段４１７は、下部歯車４５６の下側に配置され、前後に離間するセンサ部を下部ベース体４０２の内部に臨ませた状態で後板体４０４に固定されている。下部検知片４６２は、リンク板部４６０において連結板部４２４の軸支点より反対側に離間した端部に設けられ、下方へ突出する片部が下部検知手段４１７の前後のセンサ部の間を通過するようになっている。下部可動演出装置４００は、下部可動体４２０が待機位置にある姿勢で下部検知片４６２が前後のセンサ部の間に位置するように構成され、前後のセンサ部の間を下部検知片４６２で塞ぐことで該下部検知片４６２の到来が検知される(図８３(ａ)参照)。そして、下部可動演出装置４００は、下部歯車４５６の時計回りの回転時に下部検知片４６２を下部検知手段４１７で検知した際に、直ちにまたは所定のステップ数だけ下部モータ４５２の駆動を継続してから停止するよう構成され、下部モータ４５２の停止時に下部可動体４２０が待機位置で停止される。
【０１８８】
前記下部可動体発光基板４２６に接続する配線の配設構造について説明する。配線は、下部可動体発光基板４２６の前面下部に設けられたソケット４２６ｂに接続され(図８２参照)、該基板４２６と本体部４２２との間を通って、筒状に形成された連結片部４２３の前側の開口を介して連結片部４２３の内側に入り、連結板部４２４とリンク板部４６０との間の隙間に取り回される。そして、配線は、リンク板部４６０の軸支部位に近接する部位に下部歯車から外して開設された通過開口４６０ａ(図８３参照)およびこの通過開口４６０ａに合わせて後板体４０４に開設された通過開口４０６を介して下部ベース体４０２の後側に取り回され、裏ユニット５０の下辺部５３ｄに開設された配線開口を介して裏ユニット５０の後側に取り出され、裏ユニット５０の後面下部に設置された中継基板３９に接続される。このように、配線は、連結片部４２３の内側および連結板部４２４とリンク板部４６０との間の隙間を介して下部歯車４５６から外れた位置に取り回される構成であるので、下部歯車４５６や下部ピニオン４５４等や下部変換部または軸支部分と干渉することを回避することができる。
【０１８９】
前記下部可動体４２０は、動作位置において先端が表示部４１の中央部を越えて延在するように形成され、大きく動作させている(図１２参照)。遊技盤４０には、該遊技盤４０の中央部に略矩形状に形成された表示部４１を挟んで対角に位置するように、上部可動演出装置２００の上部駆動機構２７０と下部可動演出装置４００の下部駆動機構４５０とが裏ユニット５０に設置され、上部可動体２２０の動作演出と下部可動体４２０の動作演出とを組み合わせて行い得るよう構成される。遊技盤４０では、動作位置にある下部可動体４２０が、動作位置にある第１および第２上部可動体２２０Ａ,２２０Ｂの装飾体２４０,２５０で表示部４１の略中央部に形成される意匠体ＤＲの前側に位置するようになっている(図１２,図１３または図１９参照)。遊技盤４０では、動作位置にある下部可動体４２０の長手辺が、各上部可動体２２０Ａ,２２０Ｂの装飾体２４０,２５０で形成される半円状の意匠部ＤＨの直線部分に沿って延在するように構成され、下部可動体４２０が第１上部可動体２２０Ａの意匠部ＤＨと第２上部可動体２２０Ｂの意匠部ＤＨとの合わせ目に重なるようになっている。
【０１９０】
前記遊技盤４０では、両上部可動体２２０Ａ,２２０Ｂが前後方向の同一面に位置しているものの、表示部４１の左外角隅部に位置する上部ベース体２０２に軸支されて第１上部可動体２２０Ａが表示部４１の左外側から表示部４１の前側に動作すると共に、上部ベース体２０２に軸支されて第２上部可動体２２０Ｂが表示部４１の上外側から表示部４１の前側に動作して、動作位置までの互いの移動経路が重ならないように設定されている。また、遊技盤４０では、第１および第２上部可動体２２０Ａ,２２０Ｂが、板部材４２と裏ユニット５０の設置板部５３との間に収まる厚みで形成されて、両上部可動体２２０Ａ,２２０Ｂが板部材４２の後面と裏ユニット５０の設置板部５３との間の前後領域を変位に際して用いている。一方、遊技盤４０では、下部可動体４２０が装飾枠部材１００の窓口１００ａの内側に設置されて、下部可動体４２０の後面が板部材４２の後面と同一または前側になるように配置されている。すなわち、下部可動体４２０は、板部材４２の厚み分および装飾枠部材１００における庇状部１０６の遊技盤面からの突出分の前後領域を該下部可動体４２０の変位に際して用いることができる。このように、遊技盤４０では、板部材４２の後側のスペースだけでなく、板部材４２の厚みおよび遊技盤面から遊技盤４０の前側を覆うガラス板１４ａまでのスペースを有効利用して、上部可動体２２０および下部可動体４２０を設置しているので、発光基板２４８,２５８,４２６を夫々内蔵している上部可動体２２０および下部可動体４２０を、前後にずらして配置することが可能である。従って、遊技盤４０は、一対の上部可動体２２０Ａ,２２０Ｂのなす意匠体ＤＲの前側に下部可動体４２０を重ねることができる(図１３参照)。
【０１９１】
前記遊技盤４０は、２つの上部可動体２２０Ａ,２２０Ｂが動作位置で構成する意匠体ＤＲの前側に、下部可動体４２０が動作位置で位置するので、両上部可動体２２０Ａ,２２０Ｂおよび下部可動体４２０の動作を組み合わせて複雑な演出動作を行うことができる。例えば、遊技盤４０は、両上部可動体２２０Ａ,２２０Ｂが夫々の収容空間５７,５８から表示部４１に現れると共に、各上部可動体２２０Ａ,２２０Ｂの互いに離れている３基の装飾体２４０,２５０,２５０が集合するように変位して、表示部４１の略中央部で意匠体ＤＲを形成する一方、上部可動体２２０Ａ,２２０Ｂと異なる方向から変位してきた下部可動体４２０が意匠体ＤＲに重なると同時または重なった後に、両上部可動体２２０Ａ,２２０Ｂを待機位置に向けて夫々変位させることで、下部可動体４２０の動きにより意匠体ＤＲが破断されたような動作演出を行うことができる。しかも、各上部可動体２２０Ａ,２２０Ｂは、待機位置に向けて変位するにつれて集合していた３基の装飾体２４０,２５０,２５０が互いに離間するように変位するので、前記意匠体ＤＲが更に細かく分解されたの如き動作演出を行うことができる。
【０１９２】
前記上部および下部可動体２２０,４２０は、対応のベース体２０２,４０２に軸支されて、この軸支点を中心に揺動する構成であるので、これらの可動体全体を平行移動する場合と比べて他の部材への干渉が少なく、これらの可動体２２０,４２０を大きく動作させることができる。また、上部および下部可動体２２０,４２０は、待機位置が夫々異なると共に、変位軌跡が何れも異なっているものの、動作位置で一体となる動作演出を行っているので、動作するこれらの可動体２２０,４２０の動作の結果について興味を引き、遊技者の興趣を向上できる。
【０１９３】
前記パチンコ機１０は、動作位置で下部可動体４２０の後側に重なる上部可動体２２０を動かす上部駆動機構２７０が、上部モータ２７２の出力軸２７３を前側に向けて配置すると共に第１のギヤ部を構成する上部回転板２７６の後側に第１の変換部を構成するリンク部２３６および上部可動体２２０のアーム２２２を配置したので、上部モータ２７２の前後寸法を利用して上部可動体２２０を配設することができ、当該上部駆動機構２７０の配置により上部可動体２２０を無理なく下部可動体４２０より後側に配置できる。これに対して、動作位置で前側に重なる下部可動体４２０を動かす下部駆動機構４５０は、下部モータ４５２の出力軸４５３を後側に向けて配置すると共に第２のギヤ部を構成する下部歯車４５６の前側に第２の変換部を構成するリンク板部４６０および下部可動体４２０を配置したので、下部モータ４５２の前後寸法を利用して下部可動体４２０を配設することができ、当該下部駆動機構４５０の配置により下部可動体４２０を無理なく上部可動体２２０の前側に配置できる。よって、上下の可動体２２０,４２０の動作位置での干渉を適切に防ぐことができる。
【０１９４】
(発光演出部)
前記遊技盤４０は、該遊技盤４０において表示部４１を囲う部位および表示部４１に亘って線状の発光領域を形成し得る発光演出部を有している。発光演出部は、遊技盤４０に対して動作する下部可動体４２０に設けられて該下部可動体４２０と共に変位する可動発光部４３０と、遊技盤４０側に固定された固定発光部５００,５１０,５２０,５３０,５４０,５５０,５６０とから基本的に構成されており、可動発光部４３０の発光と固定発光部５００,５２０,５３０の発光とを組み合わせて、または対になる固定発光部５００,５１０,５２０,５３０,５４０,５５０,５６０の発光を組み合わせて発光演出を行うようになっている(図４参照)。なお、パチンコ機１０では、発光演出部よる発光と表示部４１での画面表示とを組み合わせて演出を行ってもよい。発光演出部は、可動発光部４３０が、下部可動体４２０の待機位置で表示部４１の外側に位置し、下部可動体４２０が待機位置から動作することで表示部４１の前側に変位するように構成される(図１２参照)。
【０１９５】
前記発光演出部は、複数の固定発光部５００,５１０,５２０,５３０,５４０,５５０,５６０を有しており、可動発光部４３０と対をなす固定発光部５００が少なくとも設けられている。また、発光演出部は、複数の固定発光部５００,５１０,５２０,５３０,５４０,５５０,５６０が表示部４１を挟んで対になるように配置したり、複数の固定発光部５００,５１０,５２０,５３０,５４０,５５０,５６０が発光領域の長手辺の延在ライン(発光ライン)が連なるように並べて配置されている。ここで、固定発光部が可動発光部４３０と「対をなす」とは、下部可動体４２０の動作位置にある可動発光体４３０がなす発光領域の長手辺の延在ライン(発光ライン)と固定発光部５００の発光ラインとの向きが一致すると共に、これらの発光ラインが連なって遊技盤４０を横切る発光ラインを擬似的に形成する関係をいう。また、固定発光部同士が「対をなす」とは、表示部４１を挟んで配置された２以上の固定発光部５００,５１０,５２０,５３０,５４０,５５０,５６０の発光ラインの向きが一致すると共に、これらの固定発光部５００,５１０,５２０,５３０,５４０,５５０,５６０の間を動作位置の可動発光部４３０または表示部４１での画面表示を含めて遊技盤４０を横切る一連の発光ラインを形成する関係をいう。
【０１９６】
実施例の発光演出部は、表示部４１の上縁左側(外縁)から斜め左上方に向けて延在する左上固定発光部５００、この左上固定発光部５００と表示部４１を挟んで配置されて表示部４１の下縁右側(外縁)から斜め右下方に向けて延在する第１右下固定発光部５１０、この第１右下固定発光部５１０の下端側に連ねて配置された第２右下固定発光部５２０およびこの第２右下固定発光部５２０の下端側に連ねて配置された第３右下固定発光部５３０を、可動発光部４３０または表示部４１での画面表示と組み合わせて発光演出し、これらの発光部４３０,５００,５１０,５２０,５３０によって遊技盤４０の左上から右下に亘って擬似的に連なる第１発光ラインを構成している(図４参照)。また、発光演出部は、表示部４１の上縁右側(外縁)から斜め右上方に向けて延在する右上固定発光部５４０、右上固定発光部５４０と表示部４１を挟んで配置されて表示部４１の下縁左側(外縁)から斜め左下方に向けて延在する第１左下固定発光部５５０およびこの第１左下固定発光部５５０の下端側に連ねて配置された第２左下固定発光部５６０を、表示部４１での画面表示と組み合わせて発光演出し、これらの発光部５４０,５５０,５６０によって遊技盤４０の右上から左下に亘って擬似的に連なる第２発光ラインを構成している(図４または図１５参照)。また、遊技盤４０には、第１および第２発光ラインが表示部の前側で交差するように、各組の発光部４３０,５００,５１０,５２０,５３０,５４０,５５０,５６０が配置されている。
【０１９７】
前記パチンコ機１０は、発光演出部の発光および画面表示との組み合わせにより、第１および第２発光ラインの両方を形成した「Ｘ」状の発光態様と、第１発光ラインのみを形成する発光態様と、第２発光ラインのみを形成する発光態様を選択できるようになっている。また、第１発光ラインは、発光演出部でのみで形成する基本態様と、発光演出部と表示部４１での発光ラインを構成する画面表示との組み合わせで形成する別の態様とが選択できるように構成されている。すなわち、パチンコ機１０では、第１発光ラインの基本態様において、動作位置にある下部可動体４２０の可動発光部４３０が固定発光部５００,５１０,５２０,５３０の延在ラインに沿って延在し、可動発光部４３０および固定発光部５００,５１０,５２０,５３０を発光することで、表示部４１を埋めて１つに連なった第１発光ラインを構成している。これに対し、遊技盤４０では、第１発光ラインの別の態様において、表示部４１を挟んで対をなす固定発光部５００,５１０,５２０,５３０の延在ラインに沿った画面表示を図柄表示装置１３で行うと共に固定発光部５００,５１０,５２０,５３０を発光することで、表示部で分断された上下の固定発光部５００,５１０の間を埋めて１つに連なった発光ラインを構成している。更に、パチンコ機１０は、表示部４１での発光ラインを構成する画面表示の有無を選択することで、固定発光部５００,５１０,５２０,５３０,５４０,５５０,５６０のみを単独で発光させることも可能である。
【０１９８】
前記固定発光部５００,５１０,５２０,５３０,５４０,５５０,５６０は、光を透過可能な発光カバー５０２,５１２,５２２,５３２,５４２,５５２,５６２と、この発光カバー５０２,５１２,５２２,５３２,５４２,５５２,５６２の周縁を縁取るように設けられる額縁部５０４,５１４,５２４,５３４,５４４,５５４,５６４とから遊技盤４０の前面に臨むカバー部分が構成され、発光カバー５０２,５１２,５２２,５３２,５４２,５５２,５６２の後側にＬＥＤ等の発光体を備えている。発光カバー５０２,５１２,５２２,５３２,５４２,５５２,５６２は、細長く形成された合成樹脂の板材であって、所要の光拡散処理が施されている。実施例の発光カバー５０２,５１２,５２２,５３２,５４２,５５２,５６２では、光拡散処理として縦目ローレット加工を施した如き凹凸が前面に設けられ、発光カバー５０２,５１２,５２２,５３２,５４２,５５２,５６２の短手辺に延在する刻み目が発光カバー５０２,５１２,５２２,５３２,５４２,５５２,５６２の長手辺に並べて設けられている。また、額縁部５０４,５１４,５２４,５３４,５４４,５５４,５６４は、少なくとも前側に露出する外面に光を反射し得るめっき等の反射加工が施され、発光カバー５０２,５１２,５２２,５３２,５４２,５５２,５６２の長手に延在する両縁辺に沿って少なくとも設けられている。額縁部５０４,５１４,５２４,５３４,５４４,５５４,５６４は、発光カバー５０２,５１２,５２２,５３２,５４２,５５２,５６２の後側に位置する発光体の光の照射によって発光する発光カバー５０２,５１２,５２２,５３２,５４２,５５２,５６２の発光領域と、固定発光部５００,５１０,５２０,５３０,５４０,５５０,５６０の周りの他の領域とを区画している。
【０１９９】
前記第１発光ラインを構成する固定発光部５００,５１０,５２０,５３０について、より具体的に説明する。左上固定発光部５００は、表示部４１の上側に設けられている上部装飾ユニット３００の前面から装飾枠部材１００の庇状部１０６を跨いで該庇状部１０６の上側の遊技盤面に亘って設けられている(図４参照)。また、左上固定発光部５００は、下部可動体４２０における動作位置で表示部４１の前側に臨む他端部が、該動作位置で指向する側に配置されている(図１２参照)。左上固定発光部５００のカバー部分は、装飾枠部材１００の窓口１００ａの内側に位置して上部装飾ユニット３００の左側部に設けられ、表示部４１の上縁から上方へ離間するにつれて左方へ傾斜するよう延在する下ブロックと、前記窓口１００ａの外側に位置して装飾枠部材１００に設けられ、この下ブロックの上端に繋がって上方へ向かうにつれて左方へ傾斜するように延長する上ブロックとから構成される。左上固定発光部５００の発光体３０６ａは、上部装飾ユニット３００のユニット発光基板３０６に、下ブロックの発光カバー５０２ａおよび上ブロックの発光カバー(光透過部)５０２ｂの後側に位置して該発光カバー５０２ａ,５０２ｂの長手方向に並んで設けられている。
【０２００】
前記左上固定発光部５００の下ブロックは、上部装飾ユニット３００におけるユニット本体３０２の装飾カバー３０８に設けられ、動作体３２０の左側に配置されている(図７２参照)。左上固定発光部５００の下ブロックは、発光カバー５０２ａで装飾カバー３０８に開設された開口を塞ぎ、発光カバー５０２ａの周縁を囲んで額縁部５０４ｂを装飾カバー３０８の前面に取り付けて構成されている。上ブロックの発光カバー５０２ｂは、板部材４２から前方に突出する庇状部１０６およびこの庇状部１０６の上側から板部材４２の前面に沿って延出する枠飾り１０８に設けられた切り欠き部分に嵌め合わせて、基枠部１０２と庇状部１０６または枠飾り１０８との間に挟んで保持されている(図３０または図３３参照)。上ブロックの発光カバー５０２ｂは、装飾枠部材１００の庇状部１０６から枠飾り１０８にかけての前面形状と整合する階段状に形成されて、その前面が庇状部１０６および枠飾り１０８の一部を構成している(図３２参照)。すなわち、上ブロックの発光カバー５０２ｂは、枠飾り１０８に整合する上側部位の前面がパチンコ球が転動する遊技盤面の一部となっている。なお、上ブロックの額縁部５０４ｂは、枠飾り１０８と一体形成されている。
【０２０１】
前記左上固定発光部５００は、上ブロックの発光カバー５０２ｂに対応する発光体３０６ａが、板部材４２の表示貫通口４２ａと装飾枠部材１００の枠延出部１０４との間に画成される空間部１００ｂおよび表示貫通口に繋げて板部材４２に上ブロックの発光カバー５０２ｂに合わせて切り欠き形成された発光貫通口４２ｅ(図１４参照)に臨むように配置されている。そして、左上固定発光部５００では、空間部１００ｂおよび発光貫通口４２ｅを介して該空間部１００ｂおよび発光貫通口４２ｅの前側を覆う上ブロックの発光カバー５０２ｂ(発光領域)が発光体３０６ａで照らされるようになっている。このように、空間部１００ｂを用いて発光体３０６ａを発光カバー５０２ｂに臨ませているので、板部材４２に表示貫通口４２ａを拡張して形成される発光貫通口４２ｅの大きさを抑えつつ、上ブロックの発光領域を広くとることができる。また、発光貫通口４２ｅを省略または寸法を小さく設定し得るので、板部材４２に開設される貫通口の形状を単純化することができる。
【０２０２】
前記第１および第２右下固定発光部５１０,５２０は、下部可動演出装置４００の下部ベース体４０２の前面に設けられ、装飾枠部材１００の窓口１００ａの内側に配置されている(図７または図７８参照)。第１右下固定発光部５１０は、待機位置にある下部可動体４２０に対して該下部可動体４２０の動作位置への動作側となる左側に配置され、表示部４１の下縁右側から下方へ向かうにつれて右方へ傾斜するようにカバー部分が形成されている。第１右下固定発光部５１０は、カバー部分が下部発光装置６００における下部発光基板の右側部前側を覆い、下部発光基板に発光カバー５１２の後側に対応して配置された発光体によって額縁部５１４に囲まれた発光カバー５１２が発光されるようになっている。また、第１右下固定発光部５１０は、カバー部分が下部可動体４２０の後面より後側に位置するように設置されて、下部可動体４２０が動作位置でカバー部分の前側に重なるよう構成されている(図７９参照)。
【０２０３】
前記第２右下固定発光部５２０は、待機位置にある下部可動体４２０の右下側に配置され、待機位置にある下部可動体４２０を挟んで第１右下固定発光部５１０と反対側に配置されている(図７または図７８参照)。第２右下固定発光部５２０は、第１右下固定発光部５１０の下端の延長線上に隣り合って下方へ向かうにつれて右方へ傾斜するようにカバー部分が形成されている。第２右下固定発光部５２０は、カバー部分が下部ベース体４０２の前面に設けられた下部ベース発光基板４１２の前側を覆い、下部ベース発光基板４１２に発光カバー５１２の後側に対応して配置された発光体４１２ａによって額縁部５１４に囲われた発光カバー５１２が発光されるようになっている。第２右下固定発光部５２０は、動作位置にある傾斜姿勢の下部可動体４２０の下端に連なって、カバー部分の発光領域が下部可動体４２０の長手辺の延長線上に位置するように構成される(図７９参照)。
【０２０４】
前記第３右下固定発光部５３０は、窓口１００ａの外側に位置して装飾枠部材１００に設けられ、第２右下固定発光部５２０の下端の延長線上に位置して下方へ向かうにつれて右方へ傾斜するようにカバー部分が形成されている(図７または図３０参照)。第３右下固定発光部５３０の発光カバー５３２は、庇状部１０６の下側から板部材４２の前面に沿って延出する枠飾り１０８に設けられた切り欠き部分に嵌め合わせて、基枠部１０２と庇状部１０６との間に挟んで保持されている(図３３参照)。また、発光カバー５３２は、枠飾り１０８の前面と整合して枠飾り１０８の一部を構成し、発光カバー５３２の前面がパチンコ球が転動する遊技盤面の一部となっている。なお、第３右下固定発光部５３０の額縁部５３４は、枠飾り１０８と一体形成されている。更に、第３右下固定発光部５３０は、板部材４２の後側に延在する第２右下固定発光部５２０の下端部前側に重なるように設けられている。第３右下固定発光部５３０は、板部材４２の表示貫通口４２ａと装飾枠部材１００の枠延出部１０４との間に画成される空間部１００ｂおよび表示貫通口４２ａに繋げて板部材４２に該第３右下固定発光部５３０の発光カバー５３２に合わせて切り欠き形成された発光貫通口４２ｅに臨む第２右下固定発光部５２０の発光カバー５２２を介して照射される光によって、該第３右下固定発光部５３０の発光カバー５３２が発光するようになっている。すなわち、第３右下固定発光部５３０は、第２右下固定発光部５２０の下端部を照らす下部ベース発光基板４１２の発光体４１２ａによって発光している。
【０２０５】
前記第２発光ラインを構成する固定発光部５４０,５５０,５６０について、より具体的に説明する。右上固定発光部５４０は、左上固定発光部５００と同様に、表示部４１の上側に設けられている上部装飾ユニット３００の前面から装飾枠部材１００の庇状部１０６を跨いで該庇状部１０６の上側の遊技盤面に亘って設けられている(図４参照)。右上固定発光部５４０のカバー部分は、装飾枠部材１００の窓口１００ａの内側に位置して上部装飾ユニット３００の中央部より僅かに右側に偏倚して設けられ、表示部４１の上縁から上方へ離間するにつれて右方へ傾斜するよう延在する下ブロックと、窓口１００ａの外側に位置して装飾枠部材１００に設けられ、この下ブロックの上端に繋がって上方へ向かうにつれて右方へ傾斜するように延長する上ブロックとから構成される。右上固定発光部５４０の発光体３０６ａは、上部装飾ユニット３００のユニット発光基板３０６に、下ブロックの発光カバー５４２ａおよび上ブロックの発光カバー(光透過部)５４２ｂの後側に位置して該発光カバー５４２ａ,５４２ｂの長手方向に並んで設けられている。
【０２０６】
前記右上固定発光部５４０の下ブロックは、上部装飾ユニット３００におけるユニット本体３０２の装飾カバー３０８に設けられ、動作体３２０の右側の凹部に配置されている(図７２参照)。右上固定発光部５４０の下ブロックは、発光カバー５４２ａで装飾カバー３０８に開設された開口を塞ぎ、発光カバー５４２ａの周縁を囲んで額縁部５４４ａを装飾カバー３０８の前面に取り付けて構成されている。上ブロックの発光カバー５４２ｂは、板部材４２から前方に突出する庇状部１０６およびこの庇状部１０６の上側から板部材４２の前面に沿って延出する枠飾り１０８に設けられた切り欠き部分に嵌め合わせて、基枠部１０２と庇状部１０６または枠飾り１０８との間に挟んで保持されている(図３０または図３３参照)。上ブロックの発光カバー５４２ｂは、装飾枠部材１００の庇状部１０６から枠飾り１０８にかけての前面形状と整合する階段状に形成されて、庇状部１０６および枠飾り１０８の一部を構成している(図３２参照)。すなわち、上ブロックの発光カバーは、枠飾りに整合する上側部位の前面がパチンコ球が転動する遊技盤面の一部となっている。なお、上ブロックの額縁部５４４ｂは、枠飾り１０８と一体形成されている。
【０２０７】
前記右上固定発光部５４０は、上ブロックの発光カバー５４２ｂに対応する発光体３０６ａが、板部材４２の表示貫通口４２ａと装飾枠部材１００の枠延出部１０４との間に画成される空間部１００ｂおよび表示貫通口に繋げて板部材４２に上ブロックの発光カバー５４２ｂに合わせて切り欠き形成された発光貫通口４２ｅ(図１４参照)に臨むように配置されている。そして、右上固定発光部５４０では、空間部１００ｂおよび発光貫通口４２ｅを介して該空間部１００ｂおよび発光貫通口４２ｅの前側を覆う上ブロックの発光カバー５４２ｂ(発光領域)が発光体３０６ａで照らされるようになっている。このように、空間部１００ｂを用いて発光体３０６ａを発光カバー５４２ｂに臨ませているので、板部材４２に表示貫通口４２ａを拡張して形成される発光貫通口４２ｅの大きさを抑えつつ、上ブロックの発光領域を広くとることができる。また、発光貫通口４２ｅを省略または寸法を小さく設定し得るので、板部材４２に開設される貫通口の形状を単純化することができる。
【０２０８】
前記第１左下固定発光部５５０は、装飾枠部材１００の窓口１００ａの内側に位置して下部発光装置６００の前側に設けられ、表示部４１の下縁左側から下方へ向かうにつれて左方へ傾斜するようにカバー部分が形成されている(図１５参照)。第１左下固定発光部５５０は、カバー部分が下部発光装置６００における下部発光基板６０２の前側を覆い、下部発光基板６０２に発光カバー５５２の後側に対応して配置された発光体６０２ａによって額縁部５４４に囲われた発光カバー５５２を発光するようになっている。
【０２０９】
前記第２左下固定発光部５６０は、遊技領域４０ａの左下部に設置される下部飾り部材６６に設けられている(図４参照)。第２左下固定発光部５６０は、第１左下固定発光部５５０の下端の延長線上に位置して下方へ向かうにつれて左方へ傾斜するようにカバー部分が形成されている。下部飾り部材６６は、板部材４２の左下部に開設された飾り貫通口４２ｃに嵌め合わせて設置され、普通入賞装置６４の普通入賞口６４ａが遊技領域に臨ませて設けられると共に、この下部飾り部材６６を発光させる下部飾り発光基板(図示せず)が後側に設けられている。第２左下固定発光部５６０は、下部飾り部材６６に開設された切り欠き部分にカバー部分を嵌め合わせて固定され、カバー部分が、下部飾り部材６６の前面形状と整合して該下部飾り部材６６の前面の一部を構成している。すなわち、第２左下固定発光部５６０のカバー部分は、前面がパチンコ球が転動する遊技盤面の一部となっている。第２左下固定発光部５６０は、カバー部分が下部飾り発光基板の前側を覆い、下部飾り発光基板に発光カバー６６２の後側に対応して配置された発光体(図示せず)によって額縁部５６４に囲われた発光カバー５６２を発光するようになっている。
【０２１０】
前記パチンコ機１０では、所定の条件を満たすことで下部可動体４２０が待機位置から動作位置に変位された際に、可動発光部４３０の発光に合わせて、左上固定発光部５００、第２および第３右下固定発光部５２０,５３０を発光することで、遊技領域４０ａの右上から左下に亘る第１発光ラインが形成される。すなわち、表示部４１の外側に位置する固定発光部５００,５２０,５３０と下部可動体４２０に設けられた可動発光部４３０とによって遊技盤面に長く延在する第１発光ラインを形成することができ、第１発光ラインによる演出の迫力を増すことができる。そして、可動発光部４３０が下部可動体４２０に形成されているので、全体として立体感があり、下部可動体４２０の動作演出と相まって発光演出の興趣を向上し得る。また、遊技領域４０ａと表示部４１とを区画する装飾枠部材１００も発光カバー５０２ｂ,５４２ｂを設けて固定発光部５００,５４０の発光領域として用いているので、固定発光部５００,５４０についても立体感を増すことができる。このように、発光演出部によれば、下部可動体４２０の動作演出と合わせて、発光部４３０,５００,５１０,５２０,５３０,５４０,５５０,５６０による発光演出を効果的に行い得る。
【０２１１】
前記可動発光部４３０は、表示部４１の外側に軸支される一端部から表示部４１の前側に位置する他端部に向けて延在する下部可動体４２０の長手辺に沿って発光領域が形成されている。可動発光部４３０は、発光領域を下部可動体４２０の長手に形成することで、長く設定することが可能であり、下部可動体４２０の動作位置において、発光領域が固定発光部５００,５２０,５３０の発光領域と同一延在方向に並んだ際に、発光領域の延在方向と下部可動体４２０の姿勢とが合致するので、下部可動体４２０の形状と発光演出の親和性により発光演出効果を向上できる。また、発光演出部は、下部可動体４２０の他端部が動作位置で指向する側に左上固定発光部５００が設けられているので、下部可動体４２０の一番動きが大きくて目を惹く他端部とこの他端部が指向する部位にある左上固定発光部５００とで第１発光ラインを形成して、発光演出効果を向上できる。
【０２１２】
(下部発光装置)
前記下部発光装置(発光装置)６００は、裏ユニット５０の下辺部５３ｄに設置されて、表示部４１の下辺に左右に亘って延在している(図１５参照または図１７参照)。下部発光装置６００は、装飾枠部材１００における窓口１００ａの下部に取り付けられるステージ１２０およびカバー部材１７０の後側に窓口１００ａの内側に位置して配置されて、透明なステージ１２０およびカバー部材１７０を介して前側から視認可能になっている。下部発光装置６００は、ステージ１２０における第１ルート１２５の後側に位置する中央部に設けられる中央光装飾部６００ａと、この中央光装飾部６００ａを挟んで左右の両側に設けられる横光装飾部６００ｂ,６００ｂと、発光演出部の一部を構成する第１左下固定発光部５５０とを備え、大きく分けて３つの発光区画を有している。
【０２１３】
前記下部発光装置６００は、裏ユニット５０の下辺部５３ｄ前面に取り付けられる下部発光基板(発光基板)６０２を備え、ＬＥＤ等の発光体６０２ａが下部発光基板６０２の前面に複数設けられている(図２７参照)。下部発光装置６００では、中央光装飾部６００ａ、横光装飾部６００ｂおよび第１左下固定発光部５５０の夫々に対応する発光体６０２ａが１つの下部発光基板６０２に配設されている。下部発光基板６０２は、裏ユニット５０の下辺部５３ｄに合わせて横長に形成されており、各発光体６０２ａを独立して発光し得るようになっている。なお、下部発光基板６０２には、右側部に位置して、発光演出部の一部を構成する第１右下固定発光部５１０の下部ベース体４０２に設けられるカバー部分に対応する発光体６０２ａも設けられている。
【０２１４】
前記中央光装飾部６００ａは、下部発光基板６０２の中央部に配設された一群の発光体６０２ａ(特に区別する場合は中央発光体群という。)と、この中央発光体群の発光体６０２ａの前側に設けられたミラー部材６０４と、このミラー部材６０４の前側に設けられたハーフミラー部材６０６とから基本的に構成される(図２７参照)。横光装飾部６００ｂは、中央発光体群を挟んで左右に配設された一群の発光体６０２ａ(特に区別する場合は横発光体群という。)と、ミラー部材６０４およびハーフミラー部材６０６で覆われる中央部を挟んで左右に配設された横覆部材６０８とから基本的に構成される。横覆部材６０８は、光透過可能で、かつ光拡散処理が施された合成樹脂部材であって、下部発光基板６０２から離間して延在する前面が、横発光体群からの光の照射により発光するように構成される。下部発光装置６００には、左右の横覆部材６０８,６０８の上縁を縁取ると共に、ハーフミラー部材６０６の外縁を縁取るように形成された縁取部材６１０が、左右の横覆部材およびハーフミラー部材６０６の前側に取り付けられている(図１７参照)。
【０２１５】
前記第１左下固定発光部５５０は、左側に設置される横覆部材６０８に開設された開口を囲んで該横覆部材６０８に配設される額縁部５４４と、該開口に合わせて額縁部６４２ｂに形成された開口に嵌め合わせて取り付けられた発光カバー５４２と、この発光カバー５４２の後側に位置する発光体６０２ａとから構成される。ここで、第１左下固定発光部５５０は、中央光装飾部６００ａの左隣に配置されて、上から下に向かうについれて左側に偏倚するように発光カバー５４２の長手が延在している。第１左下固定発光部５４０は、対応する発光体６０２ａによる光の照射で発光する発光カバー５４２によって、額縁部５４４で下部発光装置６００の発光領域と区画して上から下に向かうについれて左側に偏倚するように傾斜する発光ラインの一部が構成される。
【０２１６】
前記中央光装飾部６００ａについて具体的に説明する。中央光装飾部６００ａを構成する中央発光体群は、下部発光基板６０２における左右方向の中央部に位置する１つの発光体６０２ａ(別の発光体)を中心として、複数の発光体６０２ａが環状に並べて配置されている(図２３または図２７参照)。なお、中央部の発光体６０２ａは省略可能である。
【０２１７】
前記ミラー部材６０４は、略円形の板状体であって、外周縁が前方に突出するように形成されている。ミラー部材６０４は、中央発光体群の発光体６０２ａの夫々に合わせて前後方向に貫通するよう開設された発光体開口６０４ａと(図２３参照)、後面に各発光体開口６０４ａを囲んで後方に突出形成された包囲片６０５(図８参照)とを有している。すなわち、ミラー部材６０４では、中央部に設けられた発光体開口６０４ａを中心に、複数の発光体開口６０４ａが環状に並ぶように設けられている。また、ミラー部材６０４は、環状に並ぶ発光体開口６０４ａの内側に位置する前面に、中央に向かうにつれて凸状に隆起したミラー凸部(凸部)６０４ｂが形成されており、前面におけるミラー凸部６０４ｂ以外の部位が平坦に形成されている(図２７参照)。なお、ミラー凸部６０４ｂは、外周縁が環状に並ぶ発光体開口６０４ａに接するように形成されている。ミラー部材６０４には、ミラー凸部６０４ｂを含む前面、包囲片６０５および発光体開口６０４ａの内面に鏡面処理が少なくとも施され、実施例では、外表面全体に金属メッキにより光を反射可能な鏡面が形成されている。ミラー部材６０４は、縁取部材６１０に後側から取り付けられ、縁取部材６１０を裏ユニット５０に固定することで、各包囲片６０５で対応の発光体６０２ａを囲んだ状態で包囲片６０５の後端を下部発光基板６０２に向き合わせて設置されるようになっている。そして、中央光装飾部６００ａは、包囲片６０５の内側に収容された発光体６０２ａが発光体開口６０４ａに臨み、発光体開口６０４ａを介して発光体６０２ａから前側へ光を照射し得るよう構成される。
【０２１８】
前記ハーフミラー部材６０６は、ミラー部材６０４に合わせて形成された略円形の薄いシートである(図２７参照)。ハーフミラー部材６０６は、ミラー部材６０４の前側に該ミラー部材６０４の前面から離間して設けられ、発光体６０２ａから照射した光の一部を反射すると共に残りを透過することが可能に構成されている。また、ハーフミラー部材６０６は、前側から入射する光の透過を規制するように形成されており、実施例のハーフミラー部材６０６は、発光体６０２ａの未点灯の状態で鏡の如く光を反射している。中央光装飾部６００ａでは、ミラー部材６０４とハーフミラー部材６０６との間に、透明な合成樹脂板からなるミラー保持部材６１２が配設されて、ミラー保持部材６１２によってシート状のハーフミラー部材６０６を後から保持している。中央光装飾部６００ａは、ミラー部材６０４の外周縁前端にミラー保持部材６１２を当接させると共に、ミラー保持部材６１２と縁取部材６１０との間に、ハーフミラー部材６０６およびハーフミラー部材６０６の前側に設けられるリング状の環状片６１４を挟んでミラー部材６０４側からネジ止め固定される。そして、中央光装飾部６００ａは、ハーフミラー部材６０６の外周を環状に縁取る縁取部材６１０によってミラー保持部材６１２との間でハーフミラー部材６０６の外周縁が保持されて、ミラー部材６０４の前側に突出する外周縁に保持されたミラー保持部材６１２によってハーフミラー部材６０６がミラー部材６０４の前面から離間して配置される(図８参照)。
【０２１９】
前記ハーフミラー部材６０６には、中央発光体群の中央に位置する発光体６０２ａに対応する中央部位にハーフミラー開口６０６ａが開設されている(図２７参照)。また、ミラー保持部材６１２には、中央発光体群の中央に位置する発光体６０２ａに対応する中央部位に、前側に隆起するように形成されて光拡散処理が施された光拡散突起(光拡散部)６１２ａが設けられている。光拡散突起６１２ａは、ミラー保持部材６１２の前側に設置されるハーフミラー部材６０６のハーフミラー開口６０６ａに収容されて、該ハーフミラー開口６０６ａを塞いて中央光装飾部６００ａの前面(意匠面)を構成している。
【０２２０】
前記中央光装飾部６００ａは、中央発光体群における環状配置した発光体６０２ａから光を照射すると、前側に延在するハーフミラー部材６０６により一部が反射されて、該ハーフミラー部材６０６を透過した光が点状に視認される。また、ハーフミラー部材６０６により反射された光は、ミラー部材６０４の鏡面処理が施された前面に反射して、ハーフミラー部材６０４に入射し、ハーフミラー部材６０６により一部が反射される一方、該ハーフミラー部材６０６を透過した光が点状に視認される。すなわち、ミラー部材６０４とハーフミラー部材６０６との間で発光体の光が反射し、ハーフミラー部材６０６やミラー部材６０４で光の反射角度が変わることで、ハーフミラー部材６０６(中央光装飾部６００ａの前面)に現れる光の位置がずれる。従って、中央光装飾部６００ａでは、ハーフミラー部材６０６とミラー部材６０４との合わせ鏡作用によって、環状配置した発光体６０２ａを点灯した際に、発光体６０２ａの配設数以上の発光源が連なって存在しているように視認させることができる。このように、中央光装飾部６００ａは、１つの発光体６０２ａに対応して１箇所が点状に発光したり、発光体６０２ａの前側のカバー全体が面状に発光する態様ではなく、数少ない発光体６０２ａで多くの点状の発光箇所を作り出すことができ、またこれらの発光箇所が関連性をもって配置される非常に特異な発光態様であるので、発光演出効果が高い。
【０２２１】
前記中央光装飾部６００ａは、発光体６０２ａを環状に並べて配置すると共に、ミラー部材６０４において発光体６０２ａがなす環の内側にミラー凸部６０４ｂを設けることで、環状配置した発光体６０２ａを発光した際に、ミラー凸部６０４ｂの傾斜面で反射した光がハーフミラー部材６０６において同心円状に並ぶように視認でき、発光演出効果をより向上できる。ここで、ミラー凸部６０４ｂの外周縁を発光体開口６０４ａに接するように形成してあるので、環状配置した発光体６０２ａの内側に視認される光を増強できる。しかも、中央光装飾部６００ａは、環状配置した発光体６０２ａの中央にミラー部材６０４およびハーフミラー部材６０６の開口６０４ａ,６０６ａを介して光拡散突起６１２ａを直接照らす発光体６０２ａを備えているので、環状に並んだ周りの広がりおよび連なりを持った発光と相まって発光演出効果を向上し得る。中央光装飾部６００ａは、ミラー部材６０４の後側に発光体６０２ａが配置されているが、包囲片６０５で発光体６０２ａを囲い、包囲片６０５の内側に施した鏡面処理によって発光体６０２ａの光を案内できるので、ミラー部材６０４の後側での光の拡散を防止できる。すなわち、ハーフミラー部材６０６に現れる点状の光を強調することができる。
【０２２２】
前記中央光装飾部６００ａは、仮にハーフミラー部材６０６の前側から強い光が入射して、ミラー部材６０４およびハーフミラー部材６０６の間で反射しても、下部発光基板６０２がミラー部材６０４の後側に設けられ、各発光体６０２ａがミラー部材６０４の前面より後側に位置しているので、発光体６０４ａ自体が前から入射した光によって照らされ難く、非発光状態で発光体６０２ａを前側から視認し難くすることができる。すなわち、下部発光装置６００は、中央光装飾部６００ａで効果的な発光演出を行い得ると共に、該中央光装飾部６００ａの発光体６０２ａの非発光時においても発光体６０２ａが見え難いので静的な装飾性も高くすることができる。
【０２２３】
(右側部発光装置)
前記遊技盤４０は、表示部４１の右側部に右側部発光装置６２０を備え、表示部４１の右側の領域を発光演出し得るようになっている(図４または図１５参照)。右側部発光装置６２０は、裏ユニット５０の右辺部５３ｃに配設され、装飾枠部材１００の窓口１００ａの内側に臨んでいる。遊技盤４０では、裏ユニット５０の右下角隅部に下部ベース体４０２が設置された下部可動演出装置４００の上側に右側部発光装置６２０が配置され、下部可動演出装置４００の下部可動体４２０が待機位置で右側部発光装置６２０の前側に重なるようになっている(図７または図１７参照)。
【０２２４】
前記右側部発光装置６２０は、前面に発光体６２２ａを複数備えた右側部発光基板６２２と、この右側部発光基板６２２の前側に設けられた側部装飾カバー６２４と、この側部装飾カバー６２４に少なくとも設けられ、該右側部発光装置６２０が設置される表示部４１の縁辺に沿う方向(実施例では上下方向)に離間して配置された複数の主照明部６２６と、隣り合う照明部６２６の間に少なくとも設けられた区分部６３０とを備えている(図２６参照)。実施例では、主照明部６２６が下部可動演出装置４００の下部ベース体４０２の上部に設置された下部ベース上飾り４１４に設けられ、下部ベース上飾り４１４の上部右側に設けた１つの主照明部６２６と、側部装飾カバー６２４に設けた２つの主照明部６２６,６２６とが上下に並んでいる(図２１参照)。右側部発光装置６２０は、上下に並ぶ３つの主照明部６２６を表示部４１から離間する側(右側)に偏倚して配置し、表示部４１の右縁辺に沿って延在する待機位置にある下部可動体４２０から外れた位置に、主照明部６２６が設けられている(図１７参照)。すなわち、複数の主照明部６２６は、下部可動体４２０の位置にかかわらず、前側から視認可能になっている。
【０２２５】
前記右側部発光基板６２２は、裏ユニット５０の右辺部５３ｃの前面に取り付けられており、該右辺部５３ｃにおける略中央部から下部(下部可動演出装置４００の下部ベース体４０２の上側)にかけての領域を覆っている。ここで、裏ユニット５０には、設置板部５３の右側部が後方へ向けて凹ませて装置支持部５２ｂが形成されており、図柄表示装置１３が、後方へ突出した装置支持部５２ｂの内側面(左側面)により右側面を位置規制された状態で設置板部５３の後面に取り付けられている(図５参照)。右側部発光基板６２２は、装置支持部５２ｂの前側に開放した開口の前側を覆うように取り付けられ、右側部発光基板６２２と装置支持部５２ｂとの間に配線配設用空間６１８を画成している(図１０、図１１または図２５参照)。右側部発光基板６２２は、配線配設用空間６１８に臨ませて後面にソケット６２２ｂが設けられており、該ソケット６２２ｂに接続した配線が配線配設用空間６１８を介して下方へ取り回され、裏ユニット５０の下部に設置された中継基板３９に接続される。なお、配線配設用空間６１８には、上部装飾ユニット３００のソレノイド３５２や発光基板３０６,３２６に接続する配線、上部発光装置６４０の上部発光基板６４２に接続する配線が収容されている。
【０２２６】
前記右側部装飾カバー６２４は、光を透過し得る合成樹脂部材であって、実施例は半透明に形成されている。右側部装飾カバー６２４は、上段の主照明部６２６を囲う部位と中段の主照明部６２６を囲う部位とが分割して構成されている(図２６参照)。また、実施例の右側部装飾カバー６２４の上側部分は、右側部発光装置６２０の上側に設けられる上部発光装置６４０の前面を構成する上部光透過カバー６４４と一体形成されている。
【０２２７】
前記主照明部６２６は、右側部発光基板６２２の前側に設けられている(図１０,図１１または図８７参照)。主照明部６２６は、右側部装飾カバー６２４または下部ベース上飾り４０８に開設された開口を覆うように設けられ、光拡散処理が施された透光シート６２６ａと、この透光シート６２６ａの前側を覆って設けられ、主照明部６２６の前面を構成する被覆部６２６ｂとから構成され、開口に合わせて右側部発光基板６２２に設置された発光体６２２ａにより発光するようになっている(図２６参照)。実施例の被覆部６２６ｂは、前側に凸となる円形のドーム形状に形成された透明な部材であって、所要の模様が施されている。
【０２２８】
前記区分部６３０は、右側部装飾カバー６２４の前面に取り付けられる縁飾り部材６２８に設けられている(図２６参照)。縁飾り部材６２８は、右側部装飾カバー６２４に設けられる主照明部６２６の外周を囲む囲繞部６２８ａと、前記区分部６３０とが一体形成されている。縁飾り部材６２８は、右側部装飾カバー６２４に取り付けた際に、前後に重ね合せた被覆部６２６ｂおよび透光シート６２６ａの外周縁を、囲繞部６２８ａによって右側部装飾カバー６２４に開設された開口の開口縁との間に挟んで保持するよう構成されている。縁飾り部材６２８には、光を透過しないように構成される一方、光を反射し得る反射処理が全表面に亘って施されている。なお、下部ベース上飾り４０８に設けられた主照明部６２６の外周にも、リング状の囲繞部６２９が取り付けられ、前後に重ね合せた被覆部６２６ｂおよび透光シート６２６ａの外周縁を、囲繞部６２９によって下部ベース上飾り４０８に開設された開口の開口縁との間に挟んで保持している。
【０２２９】
前記区分部６３０は、隣り合う上段の主照明部６２６および中段の主照明部６２６の間と、隣り合う中段の主照明部６２６および下段の主照明部６２６の間との夫々に設けられると共に、上段の主照明部６２６の上側に設けられている(図１９参照)。各区分部６３０は、主照明部６２６と右側部発光基板６２２との間に延在し、前後に連通する環状に連設される区分壁部６３１と、この区分壁部６３１の前側を覆うと共に、該区分壁部６３１の前端との間に主照明部６２６に臨む発光隙間Ｓをあけて設けられる飾り部６３２とを有している(図１０,図１１または図８７参照)。区分壁部６３１は、後端が右側部発光基板６２２の発光体６２２ａの前面と同一または僅かに前側に位置し、前端部が主照明部６２６の外周を囲う囲繞部６２８ａに繋がるように形成されている。区分壁部６３１は、環状に連続するように形成されて、内側に前後に連通する光案内空間６３１ａが画成されている。なお、実施例の区分壁部６３１は、その輪郭が表示部４１から離間するにつれて拡開する略三角形状に延在するよう形成されている。
【０２３０】
前記飾り部６３２は、外形が区分壁部６３１の輪郭に合わせて略三角形状で形成されると共に、頂部のなす稜線が複数の主照明部６２６の並び方向(上下方向)と交差する遊技盤面に沿う横方向(左右方向)に延在する山形の立体形状に形成されている(図１９参照)。また、飾り部６３２は、区分壁部６３１で画成される光案内空間６３１ａの前部開口に、上側(一方)の傾斜面を臨ませて配置されている。上側の傾斜面には、光を透過し得る副照明部６３３が設けられている。実施例の飾り部６３２は、上側の傾斜面が輪郭部分を除いて開口するよう形成され、飾り部の後側に山形の透過片６３３ａを嵌め合わせて前記開口を塞ぐことで、副照明部６３３が構成されている(図２６参照)。
【０２３１】
前記区分部６３０は、少なくとも下側に位置する主照明部６２６に臨むように開口する発光隙間Ｓを、区分壁部６３１における下辺を形成する部位と飾り部６３２の下側の傾斜面の傾斜下端と間に有している。実施例では、下段の区分部６３０のみが、区分壁部６３１における上辺を形成する部位と飾り部６３２の上側の傾斜面の傾斜下端との間が離間するように構成され(図１０または図８７参照)、下段の区分部６３０は、上側に位置する主照明部６２６に臨むように開口する発光隙間Ｓを有している。区分部６３０は、少なくとも発光用空間６３１ａを画成する区分壁部６３１の内面および飾り部６３２の光案内空間６３１ａの前部開口に面する内面に対し、光を反射し得るめっき等の光反射処理が施され、実施例では、区分部６３０の表面全体に光反射処理が施されている。
【０２３２】
前記右側部発光基板６２２は、主照明部６２６の後側に設置された発光体６２２ａと、区分部６３０における区分壁部６３１で囲われる部位(光案内空間６３１ａの後部開口)の後側に設置された発光体６２２ａと、右側部装飾カバー６２４の後側に設置された発光体６２２ａとを備えており、これらの対応部位毎に発光体６２２ａを独立して点滅可能に構成されている。なお、主照明部６２６に対応する部位には、主照明部６２６の中心に位置する発光体６２２ａを中心に、複数の発光体６２２ａが円形配列されている。すなわち、右側部発光装置６２０は、主照明部６２６に対応する発光体群を点灯することで主照明部６２６を発光し、右側部装飾カバー６２４に対応する発光体群を点灯することで右側部装飾カバー６２４を発光させることができる。また、右側部発光装置６２０は、区分壁部６３１で囲われる部位に対応する発光体６２２ａの発光によって、区分壁部６３１の内面および飾り部６３２の内面に設けられた反射面を介して発光隙間Ｓから主照明部６２６を照らすよう構成されている。これと同時に、右側部発光装置６２０は、区分壁部６３１で囲われる部位に対応する発光体６２２ａの発光によって、上側の傾斜面を構成する副照明部６３３が発光されるようになっている。
【０２３３】
前記右側部発光装置６２０は、主照明部６２６が後側に位置する発光体６２２ａによって発光するだけでなく、隣り合う主照明部６２６,６２６の間に設けられた区分部６３０に対応した発光体６２２ａの発光によっても主照明部６２６に臨む発光隙間Ｓを介して主照明部６２６を照らすことができる。すなわち、主照明部６２６は、該主照明部６２６自体が発光する直接発光と、発光隙間Ｓを介する間接的な発光態様との２種類の発光演出が可能であるから、発光演出の幅が広がり、効果的な発光演出を行うことができる。ここで、区分部６３０は、主照明部６２６に対応する発光体群からの光の照射に際して、隣り合う主照明部６２６の間を仕切る壁として機能するので、隣りの主照明部６２６に対応する発光体群から照射した光が異なる主照明部６２６に入射することを回避でき、主照明部６２６毎に独立して明輝させることができる。また、右側部発光装置６２０は、区分壁部６３１および飾り部６３２の内面に光反射加工が施されて該内面が反射面として機能すると共に、飾り部６３２の山形状によって区分壁部６３１に囲まれた発光体６２２ａから照射した光を反射・拡散し得る。すなわち、発光隙間Ｓを介して主照明部６２６を適切に照明することができ、より効果的に発光演出することができる。しかも、飾り部６３２に副照明部６３３が設けられているので、発光隙間Ｓを介する主照明部６２６の間接照明と合わせて副照明部６３３の発光を組み合わせることで、更に複雑な発光演出を行うことができる。
【０２３４】
(上部発光装置)
前記遊技盤４０には、表示部４１の上部右側に上部発光装置６４０を備え、上部可動演出装置２００の第２上部可動体２２０Ｂが待機位置で収容される表示部４１の上部右側の領域を発光演出し得るようになっている(図２２参照)。上部発光装置６４０は、裏ユニット５０の上辺部５３ａと右辺部５３ｃとから交わる右上角隅部に配設され、大部分が上部装飾ユニット３００のユニット本体３０２、板部材４２および装飾枠部材１００によって隠れている(図４参照)。遊技盤４０では、裏ユニット５０の左上角隅部に上部ベース体２０２が設置された上部可動演出装置２００の右側に上部発光装置６４０が配置され、第２上部可動体２２０Ｂが待機位置で上部発光装置６４０の前側に重なるようになっている(図１７参照)。
【０２３５】
前記上部発光装置６４０は、裏ユニット５０に取り付けられ、発光体６４２ａを複数備えた上部発光基板６４２と、右側部装飾カバー６２４と一体形成され、上部発光装置６４０の前面を構成する上部光透過カバー(光透過カバー)６４４と、この光透過カバー６４４と裏ユニット５０との間に設けられ、発光体６４２ａから照射した光を反射する板状の反照部材６４６とを備えている(図２６参照)。上部光透過カバー６４４は、裏ユニット５０の上辺部５３ａと上部装飾ユニット３００との間の上部収容空間５８に待機位置で収容される第２上部可動体２２０Ｂの後側に対応する第１面部６４４ａと、この第１面部６４４ａに連続して形成され、待機位置の第２上部可動体２２０Ｂから外れた位置から裏ユニット５０の右側部(側部)に向かうにつれて前側に延出する第２面部６４４ｂとを備えている(図１９参照)。上部光透過カバー６４４は、光を透過し得る合成樹脂部材であって、実施例は半透明に形成されている。
【０２３６】
前記上部光透過カバー６４４は、第１面部６４４ａが裏ユニット５０の設置板部５３の前面に沿わせて形成されて、第１面部６４４ａの右側に繋がって第２面部６４４ｂが設けられている。すなわち、上部光透過カバー６４４は、第１面部６４４ａが裏ユニット５０の設置板部５３から反照部材６４６の板厚分または板厚分より僅かに大きく離間して配置され、待機位置にある第２上部可動体２２０Ｂと裏ユニット５０の設置板部５３との間の狭いスペースを覆うようになっている。また、上部光透過カバー６４４は、第２面部６４４ｂが左から右に向かうにつれて(表示部４１から離間するにつれて)裏ユニット５０の後面から離間するように隆起するよう形成されて、第２面部６４４ｂが第１面部６４４ａ側を傾斜下端として傾斜している。更に、上部光透過カバー６４４は、第２面部６４４ｂの右端部に連設して設置板部５３と平行に右方へ延在する第３面部６４４ｃを有している。なお、上部光透過カバー６４４における第２面部６４４ｂの傾斜上端は、右側部装飾カバー６２４の前面とおおよそ揃っている。
【０２３７】
前記上部発光基板６４２は、第２面部６４４ｂの右縁部に位置して、裏ユニット５０の右側部に遊技盤面と交差する立てた姿勢で設置されている(図２４参照)。上部発光基板６４２は、裏ユニット５０の右側の壁部５４の内面に沿わせて取り付けられ、第２面部６４４ｂと裏ユニット５０の設置板部５３との間に臨む板面に複数の発光体６４２ａが設けられている。上部発光基板６４２は、裏ユニット５０の右側の壁部５４内面に突設された位置決め片５４ｂに、該上部発光基板６４２に設けた切り欠き部分を嵌め合わせて上下方向に位置規制されると共に、該壁部５４の内面に突設された第１保持片５４ｃと該壁部５４に内面に対向して設置板部５３に立設された第２保持片５４ｄとの間に挟んで保持されている(図２４参照)。また、上部発光基板６４２は、前端が第３面部６４４ｃの後面に当接すると共に後端が裏ユニット５０に当接して、第３面部６４４ｃと裏ユニット５０との間に挟持されている。このように、上部発光基板６４２は、上部光透過カバー６４４を用いて前側への抜け止めが図られると共に、裏ユニット５０にがたつきなく適切に保持される。上部発光基板６４２は、裏ユニット５０の後面に沿って設けられる板状の反照部材６４６より前側に発光体６４２ａが配置されており、前後方向に離間して複数列(実施例では２列)の発光体６４２ａが設けられている。
【０２３８】
前記反照部材６４６は、少なくとも前面が光を反射し得るように構成され、上部光透過カバー６４４と裏ユニット５０の設置板部５３の間に位置するように、上部光透過カバー６４４の後側に取り付けられている。反照部材６４６は、発光体６４２ａが指向する側に延在し、上部光透過カバー６４４の後側のおおよそ全体に亘って設けられている。なお、実施例の反照部材６４６は、光を吸収し難い白色の合成樹脂から形成されている。反照部材６４６は、前面が凹凸形状に形成されており、実施例では四角錐形の凸部が規則正しく並んでいる。反照部材６４６は、設置板部５３の右側部に上下に亘って後方へ向けて凹ませて形成された装置支持部５２ｂの前側に開放した開口の前側を覆うように取り付けられ、反照部材６４６と装置支持部５２ｂとの間に配線配設用空間６１８を画成している。
【０２３９】
前記上部発光装置６４０は、上部光透過カバー６４４が裏ユニット５０の右側の壁部５４から表示部４１に向かうにつれて(上部発光基板６４２から離間するにつれて)上下の幅が拡張するように形成されており、これに合わせて反照部材６４６も上部発光基板６４２から離間するにつれて上下の幅が拡張するように形成されている。実施例の上部光透過カバー６４４は、上辺が裏ユニット５０の上側の壁部５４に沿って形成される一方、下辺が右側の壁部５４から離間するにつれて下方傾斜するよう形成されている。
【０２４０】
前記上部発光装置６４０は、上部発光基板６４２の発光体６４２ａから光を照射することで、発光体６４２ａに面する上部光透過カバー６４４の第２面部６４４ｂが発光すると共に、反照部材６４６で反射・案内された光によって第１面部６４４ａおよび第２面部６４４ｂにおける発光体６４２ａから外れた部位が発光し、上部光透過カバー６４４全体を発光させることができる。これにより、上部収容部位の右側領域および当該領域に収容された第２上部可動体２２０Ｂの周りを効果的に発光演出することができる。ここで、遊技盤４０では、板部材４２の厚み分および装飾枠部材１００の厚み分の前後領域を用いて動作する下部可動体４２０と比べて、板部材４２の後面から裏ユニット５０の設置板部５３までの前後領域を用いて動作する第２上部可動体２２０Ｂが後側に配置されており、第２上部可動体２２０Ｂと裏ユニット５０の設置板部５３との間にスペースを確保することは難しい。
【０２４１】
前記上部発光装置６４０は、待機位置にある第２上部可動体２２０Ｂの後側に上部発光基板６４２を設けるのではなく、第２上部可動体２２０Ｂから外れた横側に上部発光基板６４２を設け、第２上部可動体２２０Ｂの後側に板状の第１面部６４４ａと板状の反照部材６４６とを設置しているだけである。そして、上部発光装置６４０は、反照部材６４６によって反射された発光体６４２ａの光により第１面部６４４ａを発光させることができ、第２上部可動体２２０Ｂの後側の狭いスペースを用いて当該部位を発光演出することができる。すなわち、上部発光装置６４０を設けても、第２上部可動体２２０Ｂの収容スペースへの影響を抑えることができ、比較的大型の第２上部可動体２２０Ｂによる動作演出と、上部発光装置６４０による発光演出を組み合わせて、遊技者の興趣をより向上させることができる。
【０２４２】
前記上部発光装置６４０は、上部光透過カバー６４４および反照部材６４６が上部発光基板６４２から離間するにつれて拡張するよう形成されているので、上部発光基板６４２に配設される発光体６４２ａが面する領域だけでなく、反照部材６４６により光を案内してより広い領域を発光演出することができる。また、上部発光装置６４０は、発光体６４２ａを上部発光基板６４２に前後に離間して複数列設けてあるので、前後方向に段差形状になっている第１面部６４４ａおよび第２面部６４４ｂを夫々適切に発光させることができる。そして、上部発光装置６４０は、反照部材６４６の前面に設けた凹凸形状により発光体６４２ａから照射した光を乱反射させて拡散させることができ、上部光透過カバー６４４全体をよりむらなく発光させることができる。
【０２４３】
(左側部発光装置)
前記遊技盤４０は、表示部４１の左側に左側部発光装置６５０を備え、上部可動演出装置２００の第１上部可動体２２０Ａが待機位置で収容される表示部４１の左側の領域を発光演出し得るようになっている(図２４参照)。左側部発光装置６５０は、裏ユニット５０の左辺部５３ｂに配設され、板部材４２の後側に隠されている。遊技盤４０では、裏ユニット５０の左上角隅部に上部ベース体２０２が設置された上部可動演出装置２００の下側に左側部発光装置６５０が配置され、上部可動演出装置２００の第１上部可動体２２０Ａが待機位置で板部材４２と裏ユニット５０の左辺部５３ｂとの間に画成されて表示部４１の左側(横側)に位置する側部収容空間５７に収容されている(図９または図１７参照)。側部収容空間５７は、表示部４１側となる右側が開口しており、この開口を介して第１上部可動体２２０Ａが表示部４１の前側に出没するようになっている。
【０２４４】
前記左側部発光装置６５０は、側部収容空間５７における待機位置にある第１上部可動体２２０Ａから外れた位置に設けた左側部発光基板(発光基板)６５２と、側部収容空間５７において待機位置にある第１上部可動体２２０Ａの後側に設けられた反射部材６５４とを備えている(図２７参照)。左側部発光基板６５２は、待機位置にある第１上部可動体２２０Ａの左側に配置され、裏ユニット５０の右側部に遊技盤面と交差する立てた姿勢で設置されている(図２２参照)。左側部発光基板６５２は、側部収容空間５７の表示部４１に臨む開口と反対側に位置して、裏ユニット５０の左側の壁部５４の内面に沿わせて取り付けられ、側部収容空間５７に面する板面に複数の発光体６５２ａが設けられている。左側部発光装置６５０は、発光体６５２ａが設けられた板面が側部収容空間５７の開口に臨むように、左側部発光基板６５２が設置され、左側部発光基板６５２と側部収容空間５７の開口との間に反射部材６５４が設けられている。
【０２４５】
前記裏ユニット５０の左辺部５３ｂには、裏ユニット５０の左側の壁部５４の内面に繋がると共に該内面と対向する保持面を有する鉤状に形成された一対の鉤状片５５ａ,５５ａが上下対称に立設されている(図９,図２２〜図２４または図２６〜図２８参照)。また、裏ユニット５０の左辺部５３ｂには、裏ユニット５０の左側の壁部５４内面から離間して設置板部５３に立設され、前端に左方へ突出する爪を有する一対の係止片５５ｂ,５５ｂが上下に離間して形成されている。そして、左側部発光基板６５２は、上下の鉤状片５５ａ,５５ａの間に挟持されると共に、上下の係止片５５ｂ,５５ｂの爪を該基板６５２に開設された開口に夫々引っ掛けて、着脱可能に取り付けられている。
【０２４６】
前記反射部材６５４は、光を反射し得るめっき等の光反射処理が施された板状の部材であって、裏ユニット５０の設置板部５３に取り付けられている。反射部材６５４は、表示部４１の左縁辺から少なくとも待機位置にある第１上部可動体２２０Ａの後側に亘って延在し、裏ユニット５０の左辺部５３ｂの上下全体にかけて配置されている。また、反射部材６５４は、左側部発光基板６５２の発光体６５２ａから照射した光を側部収容空間５７の開口側に反射し得るように構成されている。実施例では、反射部材６５４の前面を、凸部分の頂部が揃った凹凸形状に形成し、この凹凸形状によって左側部発光基板６５２の発光体６５２ａから照射した光を乱反射することで、光を開口側に案内して側部収容空間５７全体を発光させるようになっている。
【０２４７】
ここで、裏ユニット５０には、設置板部５３の左側部が後方へ向けて凹ませて装置支持部５２ｂが形成されており、図柄表示装置１３が、後方へ突出した装置支持部５２ｂの内側面(右側面)により左側面を位置規制された状態で設置板部５３の後面に取り付けられている(図５参照)。反射部材６５４は、装置支持部５２ｂの前側に開放した開口の前側を覆うように取り付けられ、反射部材６５４と装置支持部５２ｂとの間に配線配設用空間６１８を画成している。左側部発光基板６５２は、後部を配線配設用空間６１８に収容して設置されている。そして、左側部発光基板６５２は、左側の配線配設用空間６１８に臨ませて後端部にソケット６５２ｂが設けられており、該ソケット６５２ｂに接続した配線が左側の配線配設用空間６１８を介して下方へ取り回され、裏ユニット５０の下部に設置された中継基板３９に接続される。なお、左側の配線配設用空間６１８には、上部可動演出装置２００の上部モータ２７２や装飾体発光基板２４８,２５８に接続する配線が収容されている。このように、パチンコ機１０では、図柄表示装置１３を保持するために形成される装置支持部５２ｂと反射部材６５４の後側の空間を配線の配設スペースとして有効利用している。
【０２４８】
前記左側部発光装置６５０は、 左側部発光基板６５２の発光体６５２ａから光を照射することで、反射部材６４６に反射した光によって側部収容空間５７全体を発光させることができる。左側部発光装置６５０は、待機位置にある第１上部可動体２２０Ａの後側に設けた反射部材６５４による光の拡散により側部収容空間５７を発光させる構成であるので、第１上部可動体２２０Ａが動作位置に動いた後の空の側部収容空間５７だけでなく、第１上部可動体２２０Ａが側部収容空間５７に収容されていても、側部収容空間５７を発光させることができる。左側部発光装置６５０は、待機位置にある第１上部可動体２２０Ａの後側に発光基板を設けるのではなく、第１上部可動体２２０Ａから外れた横側に左側部発光基板６５２を設け、第１上部可動体２２０Ａの後側に板状の反射部材６５４とを設置しているだけである。そして、左側部発光装置６５０は、反射部材６５４によって反射された発光体６５２ａの光により側部収容空間５７を発光させることができ、第２上部可動体２２０Ｂの後側の狭いスペースを用いて当該空間を発光演出することができる。すなわち、左側部発光装置６５０を設けても、第１上部可動体２２０Ａの収容スペースへの影響を抑えることができ、比較的大型の第１上部可動体２２０Ａによる動作演出と、左側部発光装置６５０による発光演出を組み合わせて、遊技者の興趣をより向上させることができる。特に、表示部４１の横側に設けられた側部収容空間５７は、遊技者または隣のパチンコ機に座った遊技者から内部が見え易いが、当該空間を発光により装飾しているので、見栄えを損なうことがない。
【０２４９】
(ゲート)
前記遊技盤４０は、入賞したパチンコ球を遊技領域４０ａから取り込む入賞装置６０,６２,６４の入賞口６０ｂ,６０ｃ,６２ａ,６４ａだけでなく、遊技領域４０ａを流下するパチンコ球が通過可能で、該パチンコ球の通過により始動入賞装置６０の入賞口６０ｃを塞ぐ羽根を開放する等の所定の遊技演出を行うゲート７０が設けられている(図４参照)。ゲート７０は、遊技領域４０ａにおいて装飾枠部材１００の左側領域に設置されて、ワープ通路１５０の球通入口１５１より上側に位置している。
【０２５０】
図５４〜図５７に示すように、ゲート７０は、パチンコ球の通過を検知するゲートセンサ７１と、このゲートセンサ７１を保持するゲート飾り部材７２とから構成されている。ゲートセンサ７１は、矩形状の板状体の長手方向の一端部側に偏倚して厚み方向に貫通形成されたセンサ口７１ａを有し、このセンサ口７１ａがパチンコ球を１個ずつ通過し得る寸法に設定されている。ゲートセンサ７１は、センサ口７１ａに突出したスイッチ片のパチンコ球の通過に伴う出没によりパチンコ球を検知する機械式のスイッチや、センサ口７１ａを通過するパチンコ球による磁界の変化によってパチンコ球を検知する磁気式等の近接スイッチが採用される。ゲートセンサ７１の後端には、中継基板３９に接続する配線が接続されており、ゲートセンサ７１によるパチンコ球の検出信号が配線および中継基板３９を介して主制御装置３２に入力されるようになっている(図８４参照)。
【０２５１】
前記ゲート飾り部材７２は、パチンコ球が流下する遊技領域にゲートセンサ７１のセンサ口７１ａを臨ませて保持するよう構成されている(図９参照)。ゲート飾り部材７２は、板部材４２における左側部の上下方向中央部に前後に貫通形成されたゲート貫通口４２ｄに配設されている。ゲート飾り部材７２は、ゲート貫通口４２ｄを囲って、板部材４２の前面に当接するように取り付けられる取付ベース部７４と、この取付ベース部７４の前側に上下に貫通するゲート口を有する門型に形成され、該取付ベース部に前後に貫通するセンサ取付口(取付口)を介してゲート口７６ａの内側にセンサ口７１ａを臨ませたゲートセンサ７１の前部を保持するゲート口部７６と、取付ベース部７４の後側に設けられ、ゲートセンサ７１の後部を着脱可能に保持するセンサ保持手段とから構成されている(図５４〜図５７参照)。なお、ゲート飾り部材７２には、センサ取付口７４ａの後側からゲートセンサ７１が挿入される。
【０２５２】
前記取付ベース部７４は、前面に所要の装飾(実施例では光反射処理)が施された板状に形成され、板部材４２の前面にネジ止め固定されて、遊技領域４０ａにおける遊技盤面の一部を構成する鍔状部分である(図５４参照)。取付ベース部７４には、長手を前後方向に延在させる共にセンサ口７１ａの貫通方向となる厚み方向を上下に沿わせた姿勢でゲート飾り部材７２に保持されるゲートセンサ７１に合わせて、該ゲートセンサ７１の挿通を許容するセンサ取付口７４ａが中央部に開設されている(図５７参照)。また、取付ベース部７４は、センサ取付口７４ａの周囲に形成されて、該センサ取付口を貫通するように保持されたゲートセンサ７１の周りに設けられるゲート光透過部(光透過部)７５を備えている。
【０２５３】
前記ゲート光透過部７５は、ゲート７０が設けられる板部材４２の左側部後側に位置して裏ユニット５０に設けられる左側部発光装置６５０によって発光し、ゲート飾り部材７２の遊技領域４０ａに臨む取付ベース部７４およびゲート口部７６を発光演出するようになっている。実施例のゲート光透過部７５は、センサ取付口７４ａの上下の夫々に連続して取付ベース部７４に開設された貫通口であって、センサ取付口７４ａの上側と下側とにセンサ取付口７４ａに挿入されたゲートセンサ７１を挟んで画成されている(図５７参照)。また、ゲート光透過部７５は、その左右の開口幅が、センサ取付口７４ａの左右の開口幅より狭く、センサ口７１ａの左右の開口幅に合わせて形成されている(図５４参照)。なお、ゲート光透過部７５は、上端がゲート口部７６の上端より僅かに(取付ベース部７４の板厚より小さく設定)上側に位置するよう形成されると共に、下端がゲート口部７６の下端より僅かに(取付ベース部の板厚より小さく設定)下側に位置するよう形成されている。すなわち、ゲート光透過部７５は、ゲート口部７６から外れて遊技領域４０ａに臨む部位を少なくとも有しているが、ゲート光透過部は、前側に位置するゲート口部に大部分が隠れるようになっている。このように、ゲート口部７６がゲート光透過部７５の前側に延出形成されているが、ゲート口部７６からずらしてゲート光透過部７５を設けてあるので、遊技領域４０ａの発光演出を好適に行うことができる。また、ゲート飾り部材７２は、ゲート光透過部７５におけるゲート口部７６から外れて遊技領域に臨む部位を小さく設定しているので、ゲート光透過部７５にカバーを設けない貫通口としても、該ゲート光透過部７５を介してゲート飾り部材７２の後側を視認することを困難になっている。
【０２５４】
前記ゲート口部７６は、ゲートセンサ７１におけるセンサ口７１ａの開口縁を保持する爪が内側に上下に離間して設けられて、この爪によって内側にゲート口７６ａが画成されている(図５５または図５７参照)。ゲート口７６ａは、遊技領域４０ａにおけるパチンコ球の流下経路に臨み、パチンコ球１個ずつの通過を許容する大きさに設定されている。そして、ゲート飾り部材７２は、ゲート口部７６の爪で前部が保持されると共に後部がセンサ保持手段で抜け止めされたゲートセンサ７１のセンサ口７１ａがゲート口７６ａに整合するようになっている。
【０２５５】
前記センサ保持手段は、センサ取付口７４ａを挟んで取付ベース部７４の後面から延出するように設けられ、センサ取付口７４ａから該取付ベース部７４の後側に突出するゲートセンサ７１の側部を保持する一対のセンサ保持片(保持片)７８,７８と、取付ベース部(142)の後面に一対のセンサ保持片７８,７８の少なくとも一方に沿って設けられ、後側に開口するねじ孔を有するセンサ保持ボス部(保持ボス部)８０と、この保持ボス部８０のねじ孔に取り付けられ、該ねじ孔に螺合するねじ軸より半径方向外側に突出する頭部の座面によってゲートセンサ７１の後端面を保持するセンサ保持ねじ(ねじ)８２とから構成される(図５５参照)。一対のセンサ保持片７８,７８は、センサ取付口７４ａを挟んで取付ベース部７４の後面に設けられている。一対のセンサ保持片７８,７８は、取付ベース部７４に接続する根元部分が、開放端を対向させた略コ字状に基本的に形成されており、ゲートセンサ７１の側面に沿って延在すると共にゲートセンサ７１の対応する側部を上下に挟むようになっている。右側(表示部側)のセンサ保持片７８は、その後端が前部をゲート口部７６に保持したゲートセンサ７１の後端より前側に位置する(ゲートセンサ７１の取付ベース部７４からの突出寸法の１／２以下)よう形成されている(図５５または図５６参照)。これに対して、左側(表示部と反対側)のセンサ保持片７８は、上側部分の後端が前部をゲート口部７６に保持したゲートセンサ７１の後端と略同一または僅かに前側に位置するよう形成されて、下側部分の後端がゲートセンサ７１の後端より前側に位置するよう形成されている(図５７参照)。
【０２５６】
前記センサ保持ボス部８０は、センサ保持片７８の外側面に沿って後側へ突設された円筒形の部分であって、その後端が前部をゲート口部７６に保持したゲートセンサ７１の後端と同一または略同一に位置するよう形成されている。実施例のゲート飾り部材７２では、センサ取付口７４ａの右側(表示部４１側の一方)にだけセンサ保持ボス部８０が設けられている。
【０２５７】
前記センサ保持ねじ８２は、センサ保持ボス部８０に後側に開口するよう設けられたねじ孔に螺合されるねじ軸と、ねじ軸の一端に設けられた頭部とを備えた一般的に用いられているものを採用可能である。すなわち、センサ保持ねじ８２は、ねじ孔にねじ軸を螺合した際に、ねじ軸より半径方向外側に突出する頭部の座面がゲートセンサ７１の後面に対向し、頭部によりゲートセンサ７１の後方への移動を規制するようになっている。ここで、センサ保持ねじ８２の頭部とは、別体または一体に形成された座金をセンサ保持ボス部８０との間に介在させたものも含み、頭部に平座金が取り付けられたタイプ(実施例)であってもよい(図５６参照)。このように、センサ保持ねじ８２は、座金を設けることで座面を大きくしてゲートセンサ７１の係止面を広く確保している。
【０２５８】
前記ゲート７０は、ゲート飾り部材７２の両センサ保持片７８,７８、センサ保持ボス部８０、センサ保持ねじ８２および該ゲート飾り部材７２に保持されたゲートセンサ７１の後部が、板部材４２のゲート貫通口４２ｄの内部に収容されるよう構成される(図９参照)。すなわち、ゲート７０は、ゲート飾り部材７２における取付ベース部７４より後方へ突出する部分が板部材４２の厚み寸法に収まるように設定され、当該部分が板部材４２の後側に突出しないようになっている。
【０２５９】
前記ゲート飾り部材７２には、センサ保持ボス部８０が設けられる右側(一方)のセンサ保持片７８とセンサ取付口７４ａを挟んで反対側に位置する左側(表示部４１と反対側(他方))のセンサ保持片７８に、遊技盤４０の遊技盤面に沿う方向に延出する配線固定片８４が設けられている(図５５参照)。配線固定片８４は、左側のセンサ保持片７８の左側面から取付ベース部７４と平行して左方へ延出するよう形成されている。また、配線固定片８４は、取付ベース部７４の後面から後側に離間するように設置され、実施例では左側のセンサ保持片７８の前後方向略中央部に位置している。更に、配線固定片８４は、先端部(左端部)が前側(取付ベース部７４側)に向けて鉤状に屈曲形成されている。ゲート７０は、ゲート飾り部材７２に保持されたゲートセンサ７１の後端部に接続される配線を、結束バンド等の結束手段で配線固定片８４に固定して、表示部４１と反対側(他方のセンサ保持片７８側)に取り回すようになっている。ここで、ゲート飾り部材７２の左側のセンサ保持片７８は、下側部分が配線固定片８４の配設位置より後側に突出せず、全体としてもゲートセンサ７１の後端面より後方へ突出しないように形成されている。ゲート飾り部材７２では、ゲートセンサ７１の後端面より前側に配線固定片８４を設けて、該ゲートセンサ７１の後端に接続した配線をゲートセンサ７１の左側面に沿わせて前側へ引き込んだ後に、配線固定片８４に固定している。
【０２６０】
前記遊技盤４０は、板部材４２の後側に収容される待機位置と表示部の前側に位置する動作位置との間で動作する第１上部可動体２２０Ａを裏ユニット５０に備え、第１上部可動体２２０Ａは、板部材４２における遊技領域４０ａの左側部後側と裏ユニット５０の左辺部５３ｂとの間に待機位置で収容されるようになっている(図１５または図１７参照)。ゲート貫通口４２ｄは、板部材４２における第１上部可動体２２０Ａの側部収容空間５７の前側に開設されており、ゲート７０の後側の側部収容空間５７には、待機位置の第１上部可動体２２０Ａが臨み、該上部可動体２２０Ａが側部収容空間５７から右方に動作して表示部４１の左側に開口する板部材４２と裏ユニット５０との間の開口から現れて動作位置に変位する。ゲート飾り部材７２は、第１上部可動体２２０Ａが待機位置から動作位置へ向かう側と反対側に位置する左側のセンサ保持片７８に配線固定片８４を設け、ゲートセンサ７１の配線を第１上部可動体２２０Ａの動作位置への動作方向と反対側(左側)に取り回すように構成してある。配線固定片８４でゲート飾り部材７２の左側に保持されたゲートセンサ７１の配線は、板部材４２の後面に沿って左側へ取り回され、裏ユニット５０の左側面を通って該裏ユニット５０の後面下部に設置された中継基板３９に接続される。
【０２６１】
前記ゲート飾り部材７２の発光構造について説明する。ゲート飾り部材７２の発光構造は、前記ゲート光透過部７５と、板部材４２の後側においてゲート貫通口４２ｄから外れた位置に設けられ、第１上部可動体２２０Ａの側部収容空間５７を照らす発光体６５２ａを備える左側部発光基板６５２と、第１上部可動体２２０Ａの側部収容空間５７に設けられ、発光体６５２ａから照射された光をゲート貫通口４２ｄに向けて反射する反射部材６５４とを有し、ゲート光透過部６５を反射部材６５４の反射光によって発光させるよう構成してある(図９または図２２参照)。実施例では、裏ユニット５０において第１上部可動体２２０Ａの側部収容空間５７に臨む左側の壁部５４に設けられた左側部発光基板６５２と、裏ユニット５０の左辺部５３ｂに第１上部可動体２２０Ａの側部収容空間５７に対応して設けられた反射部材６５４とを有する左側部発光装置６５０によって、ゲート光透過部６５が発光するようになっている。前述の如く、第１上部可動体２２０Ａは、側部収容空間５７に収容される待機位置において、可動装飾体２５０が固定装飾体２４０から離間して隣り合う装飾体２４０,２５０の間に隙間ができている。よって、第１上部可動体２２０Ａの後側に配置された反射部材６５４で反射した光が、隣り合う装飾体２４０,２５０の隙間を介してゲート貫通口４２ｄに入射し易くすることができる。
【０２６２】
前記ゲート７０は、センサ保持ねじ８２をセンサ保持ボス部８０に着脱することで、ゲート飾り部材７２に対するゲートセンサ７１の抜け止めまたは取り外しを行う構成であるので、センサ保持片７８に設けた爪でゲートセンサ７１を保持する保持構造の如く、センサ保持片７８に撓曲性を持たせなくても、ゲートセンサ７１を着脱することができる。また、センサ保持ボス部８０についても、センサ保持ねじ８２およびゲートセンサ７１の着脱のために撓曲性を持たせる必要がない。すなわち、ゲートセンサ７１が配線の取り回しの都合等により遊技盤面に沿う方向に引っ張られたとしても、センサ保持片７８が撓み難いので、ゲートセンサ７１の保持姿勢が変位することを回避でき、センサ保持ねじ８２の座面の前側からゲートセンサ７１の後端面が外れる可能性が非常に小さい。しかも、右側のセンサ保持片７８には、センサ保持ボス部８０が沿わせて設けられているので、センサ保持ボス部８０によって一層撓み難くなっている。従って、ゲート７０によれば、ゲート飾り部材７２のセンサ保持ねじ８２によってゲートセンサ７１を適切に保持できる。更に、ゲート７０によれば、配線等を介してゲートセンサ７１に力が加わったとしても、センサ保持片７８でゲートセンサ７１を適切な姿勢を維持するよう保持し得るので、ゲートセンサ７１のセンサ口７１ａとゲート口７６ａとが位置ずれし難く、センサ口７１ａへのパチンコ球の通過に悪影響がでない。
【０２６３】
実施例のパチンコ機１０の如く、ゲート７０の後側に第１上部可動体２２０Ａの側部収容空間５７が設けられる構成では、ゲートセンサ７１の配線が、板部材４２の後側において待機位置で静止している第１上部可動体２２０Ａと、待機位置から動作位置へ移動する第１上部可動体２２０Ａとに干渉しないことが求められる。ゲート７０は、ゲートセンサ７１の後端面から板部材４２の後面に沿って第１上部可動体２２０Ａの動作位置への動作方向と反対側となる左方へ配線を取り回すことで、第１上部可動体２２０Ａとの干渉を回避している。ここで、ゲート飾り部材７２には、左側のセンサ保持片７８に配線固定片８４を設けてあるので、左側に取り回す配線を配線固定片８４で固定して、ゲート貫通口４２ｄ内で保持することができるので、第１上部可動体２２０Ａの邪魔にならない。配線固定片８４は、ゲート飾り部材７２に保持したゲートセンサ７１の後端面より前側に設けてあるので、第１上部可動体２２０Ａ(他の装置等)からより離して配線を取り回すことができる。ここで、配線は、ゲートセンサ７１の後端面に後側から接続して横方向に取り回すと、接続部位が湾曲して後方へ突出するが、ゲートセンサ７１の後端面より前側に設けた配線固定片８４に配線を固定することで、配線を前側に引っ張って接続部位の後方への突出寸法を小さくすることができる。また、左側のセンサ保持片７８は、ゲートセンサ７１の後端面より突出していないので、配線の取り回しに邪魔にならない。ゲート７０は、ゲート飾り部材７２のセンサ保持手段およびゲート飾り部材７２に保持されたゲートセンサ７１がゲート貫通口４２ｄに収容される構成であるので、ゲート７０の構成が側部収容空間５７に突出せずに第１上部可動体２２０Ａと干渉するおそれがなく、板部材４２と裏ユニット５０との間を第１上部可動体２２０Ａの収容スペースとして広く有効利用できる。
【０２６４】
実施例のパチンコ機１０では、ゲートセンサ７１の配線が第１上部可動体２２０Ａとの干渉を回避するためにある程度張った状態で取り回されるが、前述の如く、ゲートセンサ７１に力が加わってもセンサ保持手段でゲートセンサ７１を適切な姿勢で保持し得るので、ゲートセンサ７１が抜け出す等の不都合を回避できる。なお、配線を配線固定片８４で保持することで、配線を引っ張ってもゲートセンサ７１との接続部位にかかる力を抑えることができ、接続部位が外れ難くなる。
【０２６５】
前述の如く、ゲート飾り部材７２の発光構造は、遊技盤４０においてゲート貫通口４２ｄから外れた位置に左側部発光基板６５２を配置し、この左側部発光基板６５２の発光体６５２ａからの光を反射部材６５４で反射することで、ゲート飾り部材７２のゲート光透過部７５を発光させるようになっている。すなわち、ゲート飾り部材７２の発光構造によれば、ゲート飾り部材７２を発光演出できるので、遊技領域４０ａの装飾性をより向上することができる。このように、左側部発光基板６５２をゲート飾り部材７２やゲート貫通口４２ｄに設けていないので、ゲート飾り部材７２やゲート貫通口４２ｄを大型化させることなく、ゲート飾り部材７２を発光演出できる。しかも、ゲート飾り部材７２の発光構造は、第１上部可動体２２０Ａの側部収容空間５７を発光演出する左側部発光装置６５０の構成と兼用しているので、部品点数を抑えてコストを低廉にできる。
【０２６６】
前記ゲート飾り部材７２の発光構造は、左側部発光基板６５２を裏ユニット５０の左側の壁部５４に設け、反射部材６５４を裏ユニット５０の左辺部５３ｂに設けてあるので、板部材４２の後側に他の部材(上部可動体２２０)の配設スペースを確保することができ、また板部材４２の後面に沿って配設されてゲートセンサ７１に接続する配線と、左側部発光基板６５２および反射部材６５４が干渉しない。そして、反射部材６５４の前側には、待機位置の第１上部可動体２２０Ａが位置して、第１上部可動体２２０Ａの位置によって反射部材６５４で左側部発光基板６５２の発光体６５２ａから照射された光を反射できる領域が変化するので、これに伴ってゲート光透過部６５による発光態様も変化させることができる。
【０２６７】
(変更例)
本願は前述した実施例の構成に限定されるものではなく、その他の構成を適宜に採用することができる。
(１)遊技機としては、パチンコ機に限られるものではなく、アレンジボール機やパチンコ球を用いたスロットマシン等、その他各種の遊技機であってもよい。
(２)各可動演出装置の可動体の動作態様について実施例の態様に限られず、揺動や回転や直線動等を適宜採用することができる。
(３)可動演出装置の配置についても適宜変更可能である。
【０２６８】
(付記１)
前記カバー部材(170)は、前記ステージ(120)において前記ワープ通路(150)の球出口(152)から遊技球を受け取る転動面(139)に対応して後側に向けて凹設されている。
【０２６９】
(付記２)
前記左側部発光装置(650)の発光基板(652)は、裏ユニット(50)の設置板部(53)に後側に向けて凹設されて前側に開口する図柄表示装置(13)の側部を支持する装置支持部(52b)に一部を収容して設置される。
【符号の説明】
【０２７０】
４０  遊技盤
４０ａ  遊技領域
４１  表示部
４２  板部材
４２ａ  表示貫通口(貫通口)
１００  装飾枠部材(装飾部材)
１００ｂ  空間部
１０２  基枠部
１０３ａ  庇固定部(ジョイント部)
１０３ｂ  枠飾り固定部(ジョイント部)
１０４  枠延出部(延出部)
１０６  庇状部
１０８  枠飾り
３０６ａ  発光体
４２０  下部可動体(可動体)
４３０  可動発光部
５００  左上固定発光部(固定発光部)
５０２ｂ  発光カバー(光透過部)
５１０  第１右下固定発光部(固定発光部)
５２０  第２右下固定発光部(固定発光部)
５３０  第３右下固定発光部(固定発光部)
【図１】
0005559513.tif 000002
【図２】
0005559513.tif 000003
【図３】
0005559513.tif 000004
【図４】
0005559513.tif 000005
【図５】
0005559513.tif 000006
【図６】
0005559513.tif 000007
【図７】
0005559513.tif 000008
【図８】
0005559513.tif 000009
【図９】
0005559513.tif 000010
【図１０】
0005559513.tif 000011
【図１１】
0005559513.tif 000012
【図１２】
0005559513.tif 000013
【図１３】
0005559513.tif 000014
【図１４】
0005559513.tif 000015
【図１５】
0005559513.tif 000016
【図１６】
0005559513.tif 000017
【図１７】
0005559513.tif 000018
【図１８】
0005559513.tif 000019
【図１９】
0005559513.tif 000020
【図２０】
0005559513.tif 000021
【図２１】
0005559513.tif 000022
【図２２】
0005559513.tif 000023
【図２３】
0005559513.tif 000024
【図２４】
0005559513.tif 000025
【図２５】
0005559513.tif 000026
【図２６】
0005559513.tif 000027
【図２７】
0005559513.tif 000028
【図２８】
0005559513.tif 000029
【図２９】
0005559513.tif 000030
【図３０】
0005559513.tif 000031
【図３１】
0005559513.tif 000032
【図３２】
0005559513.tif 000033
【図３３】
0005559513.tif 000034
【図３４】
0005559513.tif 000035
【図３５】
0005559513.tif 000036
【図３６】
0005559513.tif 000037
【図３７】
0005559513.tif 000038
【図３８】
0005559513.tif 000039
【図３９】
0005559513.tif 000040
【図４０】
0005559513.tif 000041
【図４１】
0005559513.tif 000042
【図４２】
0005559513.tif 000043
【図４３】
0005559513.tif 000044
【図４４】
0005559513.tif 000045
【図４５】
0005559513.tif 000046
【図４６】
0005559513.tif 000047
【図４７】
0005559513.tif 000048
【図４８】
0005559513.tif 000049
【図４９】
0005559513.tif 000050
【図５０】
0005559513.tif 000051
【図５１】
0005559513.tif 000052
【図５２】
0005559513.tif 000053
【図５３】
0005559513.tif 000054
【図５４】
0005559513.tif 000055
【図５５】
0005559513.tif 000056
【図５６】
0005559513.tif 000057
【図５７】
0005559513.tif 000058
【図５８】
0005559513.tif 000059
【図５９】
0005559513.tif 000060
【図６０】
0005559513.tif 000061
【図６１】
0005559513.tif 000062
【図６２】
0005559513.tif 000063
【図６３】
0005559513.tif 000064
【図６４】
0005559513.tif 000065
【図６５】
0005559513.tif 000066
【図６６】
0005559513.tif 000067
【図６７】
0005559513.tif 000068
【図６８】
0005559513.tif 000069
【図６９】
0005559513.tif 000070
【図７０】
0005559513.tif 000071
【図７１】
0005559513.tif 000072
【図７２】
0005559513.tif 000073
【図７３】
0005559513.tif 000074
【図７４】
0005559513.tif 000075
【図７５】
0005559513.tif 000076
【図７６】
0005559513.tif 000077
【図７７】
0005559513.tif 000078
【図７８】
0005559513.tif 000079
【図７９】
0005559513.tif 000080
【図８０】
0005559513.tif 000081
【図８１】
0005559513.tif 000082
【図８２】
0005559513.tif 000083
【図８３】
0005559513.tif 000084
【図８４】
0005559513.tif 000085
【図８５】
0005559513.tif 000086
【図８６】
0005559513.tif 000087
【図８７】
0005559513.tif 000088
【図８８】
0005559513.tif 000089
【図８９】
0005559513.tif 000090